(57)【要約】      （修正有）【課題】基地局がユーザ機器と通信する際に存在する資源の浪費の技術的な問題を解決し、かつ、資源の浪費を低減する情報処理方法、ユーザ機器及び基地局を提供する。【解決手段】情報処理方法は、ユーザ機器によってカバレージ強化要求を獲得するステップと、ユーザ機器によって、カバレージ強化要求に従って基地局と通信するステップとを含む。ユーザ機器がカバレージ強化要求を獲得し、かつ、カバレージ強化要求に従って基地局と通信する、という技術的解決法が使用されるため、ユーザ機器が基地局と正確に通信することを保証する場合、ユーザ機器は、獲得したカバレージ強化要求に従って基地局と正確に通信し、それは、基地局が、通信状態がより良好なユーザ機器と通信する際に、通信状態がより貧弱なユーザ機器と通信する際に追加される通信資源の同じ量を依然として追加する状況を回避する。【選択図】図２
2018186555.tif 000002
【特許請求の範囲】
【請求項１】
情報処理方法であって、
ユーザ機器によってカバレージ強化要求を獲得するステップと、
前記ユーザ機器によって、前記カバレージ強化要求に従って基地局と通信するステップと
を含むことを特徴とする情報処理方法。
【請求項２】
ユーザ機器によってカバレージ強化要求を獲得する前記ステップの後、
前記ユーザ機器が次のランダムアクセスプロセスに前記カバレージ強化要求を使用するように、前記ユーザ機器によって前記カバレージ強化要求を記憶するステップ
をさらに含むことを特徴とする請求項１に記載の方法。
【請求項３】
ユーザ機器によってカバレージ強化要求を獲得する前記ステップの後、
前記基地局が前記ユーザ機器の前記カバレージ強化要求を決定するように、前記ユーザ機器によって前記カバレージ強化要求を前記基地局に報告するステップ
をさらに含むことを特徴とする請求項１に記載の方法。
【請求項４】
前記ユーザ機器によって前記カバレージ強化要求を前記基地局に報告する前記ステップは、とりわけ、
前記ユーザ機器によって、第１の瞬間に、ランダムアクセスプロセスで第１のカバレージ強化要求を前記基地局に報告するステップであって、前記第１のカバレージ強化要求が第１の精度を有するステップと、
前記ユーザ機器によって、前記第１の瞬間の後の第２の瞬間に第１のメッセージを前記基地局に報告するステップであって、前記第１のメッセージは、前記第１のメッセージに基づいて前記第１のカバレージ強化要求を第２のカバレージ強化要求に調整するように前記基地局に命令するために使用され、前記第２のカバレージ強化要求は第２の精度を有し、前記第２の精度は前記第１の精度より高いステップと
を含むことを特徴とする請求項３に記載の方法。
【請求項５】
前記ユーザ機器によって第１のメッセージを前記基地局に報告する前記ステップの後、
前記ユーザ機器が次のランダムアクセスプロセスに前記第２のカバレージ強化要求を使用するように、前記ユーザ機器によって前記第２のカバレージ強化要求を記憶するステップ
をさらに含むことを特徴とする請求項４に記載の方法。
【請求項６】
ユーザ機器によってカバレージ強化要求を獲得する前記ステップは、とりわけ、
前記ユーザ機器によって、前記基地局によって配信されるカバレージ強化要求インジケーションメッセージを受信するステップと、
前記ユーザ機器によって、前記カバレージ強化要求インジケーションメッセージに従って前記カバレージ強化要求を獲得するステップと
を含むことを特徴とする請求項１に記載の方法。
【請求項７】
前記ユーザ機器によって、前記基地局によって配信されるカバレージ強化要求インジケーションメッセージを受信する前記ステップの前に、
前記基地局が前記ユーザ機器によって報告されたメッセージに従って前記カバレージ強化要求インジケーションメッセージを生成するように、前記ユーザ機器によって前記メッセージを前記基地局に報告するステップ
をさらに含むことを特徴とする請求項６に記載の方法。
【請求項８】
前記基地局が前記ユーザ機器によって報告されたメッセージに従って前記カバレージ強化要求インジケーションメッセージを生成するように、前記ユーザ機器によって前記メッセージを前記基地局に報告する前記ステップは、とりわけ、
前記ユーザ機器によって、ランダムアクセスプリアンブルシーケンスを使用することによって第１のカバレージ強化要求を第１の瞬間に前記基地局に報告するステップ
を含み、前記第１のカバレージ強化要求は、前記基地局が、前記第１の瞬間の後の第２の瞬間に、前記第１の瞬間と前記第２の瞬間の間の瞬間に前記ユーザ機器によって報告されたメッセージに従って前記カバレージ強化要求インジケーションメッセージを生成するように、第１の精度を有し、前記カバレージ強化要求インジケーションメッセージは、前記第１のカバレージ強化要求を第２のカバレージ強化要求に調整するように前記ユーザ機器に命令するために使用され、前記第２のカバレージ強化要求は第２の精度を有し、前記第２の精度は前記第１の精度より高いことを特徴とする請求項７に記載の方法。
【請求項９】
前記ユーザ機器によって、前記基地局によって配信されるカバレージ強化要求インジケーションメッセージを受信する前記ステップは、とりわけ、
前記ユーザ機器によって、ランダムアクセス応答メッセージを使用することによって前記基地局によって配信される前記カバレージ強化要求インジケーションメッセージを受信するステップ
であることを特徴とする請求項６に記載の方法。
【請求項１０】
前記ユーザ機器によって、前記カバレージ強化要求インジケーションメッセージに従って前記カバレージ強化要求を獲得する前記ステップの後、
前記ユーザ機器が次のランダムアクセスプロセスに前記カバレージ強化要求を使用するように、前記ユーザ機器によって前記カバレージ強化要求を記憶するステップ
をさらに含むことを特徴とする請求項６に記載の方法。
【請求項１１】
前記ユーザ機器によって、前記カバレージ強化要求に従って基地局と通信する前記ステップは、とりわけ、
前記ユーザ機器によって、前記カバレージ強化要求に対応する信号反復回数に従って前記基地局と通信するステップ
であることを特徴とする請求項１乃至１０のいずれか一項に記載の方法。
【請求項１２】
前記カバレージ強化要求が第１のレベルである場合、前記カバレージ強化要求に対応する前記信号反復回数は第１の値であり、前記カバレージ強化要求が前記第１のレベルより高い第２のレベルにある場合、前記第２のカバレージ強化要求に対応する前記信号反復回数は、前記第１の値より大きい第２の値であり、前記カバレージ強化要求が前記第１のレベルより低い第３のレベルにある場合、前記カバレージ強化要求に対応する前記信号反復回数は、前記第１の値より小さい第３の値であることを特徴とする請求項１１に記載の方法。
【請求項１３】
前記カバレージ強化要求が規定されたレベルにある場合、前記カバレージ強化要求に対応する前記信号反復回数は０であることを特徴とする請求項１２に記載の方法。
【請求項１４】
カバレージ強化技術は、要求緩和技術、信号反復技術、パワースペクトル密度ブースティングおよびパワーブースティングを含み、
前記カバレージ要求が規定されたレベルにある場合、前記ユーザ機器によって、前記カバレージ強化要求に従って基地局と通信する前記ステップは、とりわけ、前記ユーザ機器によって、前記信号反復技術を除く、前記カバレージ強化技術における別の技術を使用することによって、前記カバレージ強化要求に従って前記基地局と通信するステップであることを特徴とする請求項１乃至１０のいずれか一項に記載の方法。
【請求項１５】
情報処理方法であって、
基地局によってユーザ機器のカバレージ強化要求を獲得するステップと、
前記基地局によって、前記カバレージ強化要求に従って前記ユーザ機器と通信するステップと
を含むことを特徴とする情報処理方法。
【請求項１６】
基地局によってユーザ機器のカバレージ強化要求を獲得する前記ステップは、とりわけ、
前記基地局によって、第１の瞬間に、前記ユーザ機器によってランダムアクセスプロセスで前記基地局に報告される第１のカバレージ強化要求を受信するステップであって、前記第１のカバレージ強化要求が第１の精度を有するステップと、
前記基地局によって、前記第１の瞬間の後の第２の瞬間に、前記ユーザ機器によって報告される第１のメッセージを受信し、かつ、前記第１のメッセージに従って前記第１のカバレージ強化要求を第２のカバレージ強化要求に調整するステップであって、前記第２のカバレージ強化要求は第２の精度を有し、前記第２の精度は前記第１の精度より高いステップと
を含むことを特徴とする請求項１５に記載の方法。
【請求項１７】
基地局によってユーザ機器のカバレージ強化要求を獲得する前記ステップは、とりわけ、
前記基地局によって、前記ユーザ機器によって報告されるメッセージに従って前記ユーザ機器の前記カバレージ強化要求を獲得するステップ
を含むことを特徴とする請求項１５に記載の方法。
【請求項１８】
前記基地局によって、前記ユーザ機器によって報告されるメッセージに従って前記ユーザ機器の前記カバレージ強化要求を獲得する前記ステップは、とりわけ、
前記基地局によって、第１の瞬間に、ランダムアクセスプリアンブルシーケンスを使用することによって前記ユーザ機器によって報告される第１のカバレージ強化要求を受信するステップであって、前記第１のカバレージ強化要求は第１の精度を有するステップと、
前記第１の瞬間の後の第２の瞬間に、前記第１の瞬間と前記第２の瞬間の間の瞬間に前記ユーザ機器によって報告されたメッセージに従って、前記基地局によって前記ユーザ機器の第２のカバレージ強化要求を獲得し、かつ、カバレージ強化要求インジケーションメッセージを生成するステップであって、前記カバレージ強化要求インジケーションメッセージは、前記第１のカバレージ強化要求を前記第２のカバレージ強化要求に調整するように前記ユーザ機器に命令するために使用され、前記第２のカバレージ強化要求は第２の精度を有し、前記第２の精度は前記第１の精度より高いステップと
を含むことを特徴とする請求項１７に記載の方法。
【請求項１９】
前記基地局によって、前記第１の瞬間と前記第２の瞬間の間の瞬間に前記ユーザ機器によって報告されたメッセージに従って前記カバレージ強化要求インジケーションメッセージを生成する前記ステップの後、
前記基地局によって前記カバレージ強化要求インジケーションメッセージを前記ユーザ機器に配信するステップ
をさらに含むことを特徴とする請求項１８に記載の方法。
【請求項２０】
前記基地局によって前記カバレージ強化要求インジケーションメッセージを前記ユーザ機器に配信する前記ステップは、とりわけ、
前記基地局によって、ランダムアクセス応答メッセージを使用することによって前記カバレージ強化要求インジケーションメッセージを前記ユーザ機器に配信するステップ
であることを特徴とする請求項１９に記載の方法。
【請求項２１】
前記基地局によって、前記カバレージ強化要求に従って前記ユーザ機器と通信する前記ステップは、とりわけ、
前記基地局によって、前記カバレージ強化要求に対応する信号反復回数に従って前記ユーザ機器と通信するステップ
であることを特徴とする請求項１５乃至２０のいずれか一項に記載の方法。
【請求項２２】
前記カバレージ強化要求が第１のレベルにある場合、前記カバレージ強化要求に対応する前記信号反復回数は第１の値であり、前記カバレージ強化要求が前記第１のレベルより高い第２のレベルにある場合、前記第２のカバレージ強化要求に対応する前記信号反復回数は、前記第１の値以上の第２の値であり、前記カバレージ強化要求が前記第１のレベルより低い第３のレベルにある場合、前記カバレージ強化要求に対応する前記信号反復回数は、前記第１の値以下の第３の値であることを特徴とする請求項２１に記載の方法。
【請求項２３】
前記カバレージ強化要求が規定されたレベルにある場合、前記カバレージ強化要求に対応する前記信号反復回数は０であることを特徴とする請求項２２に記載の方法。
【請求項２４】
カバレージ強化技術は、要求緩和技術、信号反復技術、パワースペクトル密度ブースティングおよびパワーブースティングを含み、
前記カバレージ要求が規定されたレベルにある場合、前記基地局によって、前記カバレージ強化要求に従って前記ユーザ機器と通信する前記ステップは、とりわけ、前記基地局によって、前記信号反復技術を除く、前記カバレージ強化技術における別の技術を使用することによって、前記カバレージ強化要求に従って前記ユーザ機器と通信するステップであることを特徴とする請求項１５乃至２０のいずれか一項に記載の方法。
【請求項２５】
ユーザ機器であって、
カバレージ強化要求を獲得するように構成された獲得ユニットと、
前記カバレージ強化要求に従って基地局と通信するように構成された通信ユニットと
を備えることを特徴とするユーザ機器。
【請求項２６】
前記ユーザ機器は記憶ユニットをさらに備え、前記記憶ユニットは、前記獲得ユニットが前記カバレージ強化要求を獲得した後、前記ユーザ機器が次のランダムアクセスプロセスに前記カバレージ強化要求を使用するように、前記カバレージ強化要求を記憶するように構成されることを特徴とする請求項２５に記載のユーザ機器。
【請求項２７】
前記通信ユニットは、前記獲得ユニットが前記カバレージ強化要求を獲得した後、前記基地局が前記情報処理ユーザ機器の前記カバレージ強化要求を決定するように、前記カバレージ強化要求を前記基地局に報告するようにさらに構成されることを特徴とする請求項２５に記載のユーザ機器。
【請求項２８】
前記通信ユニットは、とりわけ、第１の瞬間に、ランダムアクセスプロセスで、第１の精度を有する第１のカバレージ強化要求を前記基地局に報告し、かつ、前記第１の瞬間の後の第２の瞬間に第１のメッセージを前記基地局に報告するように構成され、前記第１のメッセージは、前記第１のメッセージに基づいて前記第１のカバレージ強化要求を第２のカバレージ強化要求に調整するように前記基地局に命令するために使用され、前記第２のカバレージ強化要求は第２の精度を有し、前記第２の精度は前記第１の精度より高いことを特徴とする請求項２７に記載のユーザ機器。
【請求項２９】
前記ユーザ機器は記憶ユニットをさらに備え、前記記憶ユニットは、前記ユーザ機器が次のランダムアクセスプロセスに前記第２のカバレージ強化要求を使用するように、前記第２のカバレージ強化要求を記憶するように構成されることを特徴とする請求項２８に記載のユーザ機器。
【請求項３０】
前記獲得ユニットは、とりわけ、前記基地局によって配信されるカバレージ強化要求インジケーションメッセージを受信し、かつ、前記カバレージ強化要求インジケーションメッセージに従って前記カバレージ強化要求を獲得するように構成されることを特徴とする請求項２５に記載のユーザ機器。
【請求項３１】
前記通信ユニットは、前記基地局によって配信される前記カバレージ強化要求インジケーションメッセージを前記獲得ユニットが受信する前に、前記基地局が前記ユーザ機器によって報告されたメッセージに従って前記カバレージ強化要求インジケーションメッセージを生成するように、前記メッセージを前記基地局に報告するようにさらに構成されることを特徴とする請求項３０に記載のユーザ機器。
【請求項３２】
前記通信ユニットは、とりわけ、ランダムアクセスプリアンブルシーケンスを使用することによって、第１の瞬間に第１のカバレージ強化要求を前記基地局に報告するように構成され、前記第１のカバレージ強化要求は、前記基地局が、前記第１の瞬間の後の第２の瞬間に、前記第１の瞬間と前記第２の瞬間の間の瞬間に前記ユーザ機器によって報告されたメッセージに従って前記カバレージ強化要求インジケーションメッセージを生成するように、第１の精度を有し、前記カバレージ強化要求インジケーションメッセージは、前記第１のカバレージ強化要求を第２のカバレージ強化要求に調整するように前記ユーザ機器に命令するために使用され、前記第２のカバレージ強化要求は第２の精度を有し、前記第２の精度は前記第１の精度より高いことを特徴とする請求項３１に記載のユーザ機器。
【請求項３３】
前記獲得ユニットは、とりわけ、ランダムアクセス応答メッセージを使用することによって前記基地局によって配信される前記カバレージ強化要求インジケーションメッセージを受信するように構成されることを特徴とする請求項３０に記載のユーザ機器。
【請求項３４】
前記ユーザ機器は記憶ユニットをさらに備え、前記記憶ユニットは、前記獲得ユニットデバイスが前記カバレージ強化要求インジケーションメッセージに従って前記カバレージ強化要求を獲得した後、前記ユーザ機器が次のランダムアクセスプロセスに前記カバレージ強化要求を使用するように、前記カバレージ強化要求を記憶するように構成されることを特徴とする請求項３０に記載のユーザ機器。
【請求項３５】
前記通信ユニットは、とりわけ、前記カバレージ強化要求に対応する信号反復回数に従って前記基地局と通信するように構成されることを特徴とする請求項２５乃至３４のいずれか一項に記載のユーザ機器。
【請求項３６】
前記カバレージ強化要求が第１のレベルにある場合、前記カバレージ強化要求に対応する前記信号反復回数は第１の値であり、前記カバレージ強化要求が前記第１のレベルより高い第２のレベルにある場合、前記第２のカバレージ強化要求に対応する前記信号反復回数は、前記第１の値より大きい第２の値であり、前記カバレージ強化要求が前記第１のレベルより低い第３のレベルにある場合、前記カバレージ強化要求に対応する前記信号反復回数は、前記第１の値より小さい第３の値であることを特徴とする請求項３５に記載のユーザ機器。
【請求項３７】
前記カバレージ強化要求が規定されたレベルにある場合、前記カバレージ強化要求に対応する前記信号反復回数は０であることを特徴とする請求項３６に記載のユーザ機器。
【請求項３８】
カバレージ強化技術は、要求緩和技術、信号反復技術、パワースペクトル密度ブースティングおよびパワーブースティングを含み、前記カバレージ要求が規定されたレベルにある場合、前記通信ユニットは、とりわけ、前記信号反復技術を除く、前記カバレージ強化技術における別の技術を使用することによって、前記カバレージ強化要求に従って前記基地局と通信するように構成されることを特徴とする請求項２５乃至３４のいずれか一項に記載のユーザ機器。
【請求項３９】
基地局であって、
ユーザ機器のカバレージ強化要求を獲得するように構成された獲得ユニットと、
前記カバレージ強化要求に従って前記ユーザ機器と通信するように構成された通信ユニットと
を備えることを特徴とする基地局。
【請求項４０】
前記獲得ユニットは、とりわけ、第１の瞬間に、前記ユーザ機器によってランダムアクセスプロセスで前記基地局に報告される、第１の精度を有する第１のカバレージ強化要求を受信し、また、第２の瞬間に、前記ユーザ機器によって報告される第１のメッセージを受信し、かつ、前記第１のメッセージに従って前記第１のカバレージ強化要求を第２のカバレージ強化要求に調整するように構成され、前記第２のカバレージ強化要求は第２の精度を有し、前記第２の精度は前記第１の精度より高いことを特徴とする請求項３９に記載の基地局。
【請求項４１】
前記獲得ユニットは、とりわけ、前記ユーザ機器によって報告されるメッセージに従って前記ユーザ機器の前記カバレージ強化要求を獲得するように構成されることを特徴とする請求項３９に記載の基地局。
【請求項４２】
前記獲得ユニットは、とりわけ、第１の瞬間に、ランダムアクセスプリアンブルシーケンスを使用することによって前記ユーザ機器によって報告される、第１の精度を有する第１のカバレージ強化要求を受信し、また、前記第１の瞬間の後の第２の瞬間に、前記第１の瞬間と前記第２の瞬間の間の瞬間に前記ユーザ機器によって報告されたメッセージに従って、前記ユーザ機器の第２のカバレージ強化要求を獲得し、かつ、カバレージ強化要求インジケーションメッセージを生成するように構成され、前記カバレージ強化要求インジケーションメッセージは、前記第１のカバレージ強化要求を前記第２のカバレージ強化要求に調整するように前記ユーザ機器に命令するために使用され、前記第２のカバレージ強化要求は第２の精度を有し、前記第２の精度は前記第１の精度より高いことを特徴とする請求項４１に記載の基地局。
【請求項４３】
前記通信ユニットは、前記獲得ユニットが、前記第１の瞬間と前記第２の瞬間の間の前記瞬間に前記ユーザ機器によって報告された前記メッセージに従って前記カバレージ強化要求インジケーションメッセージを生成した後、前記カバレージ強化要求インジケーションメッセージを前記ユーザ機器に配信するようにさらに構成されることを特徴とする請求項４２に記載の基地局。
【請求項４４】
前記通信ユニットは、とりわけ、ランダムアクセス応答メッセージを使用することによって前記カバレージ強化要求インジケーションメッセージを前記ユーザ機器に配信するように構成されることを特徴とする請求項４３に記載の基地局。
【請求項４５】
前記通信ユニットは、とりわけ、前記カバレージ強化要求に対応する信号反復回数に従って前記ユーザ機器と通信するように構成されることを特徴とする請求項３９乃至４４のいずれか一項に記載の基地局。
【請求項４６】
前記カバレージ強化要求が第１のレベルにある場合、前記カバレージ強化要求に対応する前記信号反復回数は第１の値であり、前記カバレージ強化要求が前記第１のレベルより高い第２のレベルにある場合、前記第２のカバレージ強化要求に対応する前記信号反復回数は、前記第１の値より大きい第２の値であり、前記カバレージ強化要求が前記第１のレベルより低い第３のレベルにある場合、前記カバレージ強化要求に対応する前記信号反復回数は、前記第１の値より小さい第３の値であることを特徴とする請求項４５に記載の基地局。
【請求項４７】
前記カバレージ強化要求が規定されたレベルにある場合、前記カバレージ強化要求に対応する前記信号反復回数は０であることを特徴とする請求項４６に記載の基地局。
【請求項４８】
カバレージ強化技術は、要求緩和技術、信号反復技術、パワースペクトル密度ブースティングおよびパワーブースティングを含み、
前記カバレージ要求が規定されたレベルにある場合、前記通信ユニットは、とりわけ、前記信号反復技術を除く、前記カバレージ強化技術における別の技術を使用することによって、前記カバレージ強化要求に従って前記ユーザ機器と通信するように構成されることを特徴とする請求項３９乃至４４のいずれか一項に記載の基地局。
【請求項４９】
ユーザ機器であって、
カバレージ強化要求を獲得するように構成されたプロセッサと、
カバレージ強化要求に従って基地局と通信するように構成されたトランシーバと
を備えることを特徴とするユーザ機器。
【請求項５０】
前記ユーザ機器はメモリをさらに備え、前記メモリは、前記プロセッサが前記カバレージ強化要求を獲得した後、前記ユーザ機器が次のランダムアクセスプロセスに前記カバレージ強化要求を使用するように、前記カバレージ強化要求を記憶するように構成されることを特徴とする請求項４９に記載のユーザ機器。
【請求項５１】
前記トランシーバは、獲得ユニットが前記カバレージ強化要求を獲得した後、前記基地局が前記情報処理ユーザ機器の前記カバレージ強化要求を決定するように、前記カバレージ強化要求を前記基地局に報告するようにさらに構成されることを特徴とする請求項４９に記載のユーザ機器。
【請求項５２】
前記トランシーバは、とりわけ、第１の瞬間に、ランダムアクセスプロセスで、第１の精度を有する第１のカバレージ強化要求を前記基地局に報告し、かつ、前記第１の瞬間の後の第２の瞬間に第１のメッセージを前記基地局に報告するように構成され、前記第１のメッセージは、前記第１のメッセージに基づいて前記第１のカバレージ強化要求を第２のカバレージ強化要求に調整するように前記基地局に命令するために使用され、前記第２のカバレージ強化要求は第２の精度を有し、前記第２の精度は前記第１の精度より高いことを特徴とする請求項５１に記載のユーザ機器。
【請求項５３】
前記ユーザ機器はメモリをさらに備え、前記メモリは、前記ユーザ機器が次のランダムアクセスプロセスに前記第２のカバレージ強化要求を使用するように、前記第２のカバレージ強化要求を記憶するように構成されることを特徴とする請求項５２に記載のユーザ機器。
【請求項５４】
前記プロセッサは、とりわけ、前記基地局によって配信されるカバレージ強化要求インジケーションメッセージを受信し、かつ、前記カバレージ強化要求インジケーションメッセージに従って前記カバレージ強化要求を獲得するように構成されることを特徴とする請求項４９に記載のユーザ機器。
【請求項５５】
前記トランシーバは、前記プロセッサが前記基地局によって配信される前記カバレージ強化要求インジケーションメッセージを受信する前に、前記基地局が前記ユーザ機器によって報告されたメッセージに従って前記カバレージ強化要求インジケーションメッセージを生成するように、前記メッセージを前記基地局に報告するようにさらに構成されることを特徴とする請求項５４に記載のユーザ機器。
【請求項５６】
前記トランシーバは、とりわけ、第１の瞬間に、ランダムアクセスプリアンブルシーケンスを使用することによって第１のカバレージ強化要求を前記基地局に報告するように構成され、前記第１のカバレージ強化要求は、前記基地局が、前記第１の瞬間の後の第２の瞬間に、前記第１の瞬間と前記第２の瞬間の間の瞬間に前記ユーザ機器によって報告されたメッセージに従って前記カバレージ強化要求インジケーションメッセージを生成するように、第１の精度を有し、前記カバレージ強化要求インジケーションメッセージは、前記第１のカバレージ強化要求を第２のカバレージ強化要求に調整するように前記ユーザ機器に命令するために使用され、前記第２のカバレージ強化要求は第２の精度を有し、前記第２の精度は前記第１の精度より高いことを特徴とする請求項５５に記載のユーザ機器。
【請求項５７】
前記プロセッサは、とりわけ、ランダムアクセス応答メッセージを使用することによって前記基地局によって配信される前記カバレージ強化要求インジケーションメッセージを受信するように構成されることを特徴とする請求項５４に記載のユーザ機器。
【請求項５８】
前記ユーザ機器はメモリをさらに備え、前記メモリは、前記プロセッサデバイスが前記カバレージ強化要求インジケーションメッセージに従って前記カバレージ強化要求を獲得した後、前記ユーザ機器が次のランダムアクセスプロセスに前記カバレージ強化要求を使用するように、前記カバレージ強化要求を記憶するように構成されることを特徴とする請求項５４に記載のユーザ機器。
【請求項５９】
前記トランシーバは、とりわけ、前記カバレージ強化要求に対応する信号反復回数に従って前記基地局と通信するように構成されることを特徴とする請求項４９乃至５８のいずれか一項に記載のユーザ機器。
【請求項６０】
前記カバレージ強化要求が第１のレベルにある場合、前記カバレージ強化要求に対応する前記信号反復回数は第１の値であり、前記カバレージ強化要求が前記第１のレベルより高い第２のレベルにある場合、前記第２のカバレージ強化要求に対応する前記信号反復回数は、前記第１の値より大きい第２の値であり、前記カバレージ強化要求が前記第１のレベルより低い第３のレベルにある場合、前記カバレージ強化要求に対応する前記信号反復回数は、前記第１の値より小さい第３の値であることを特徴とする請求項５９に記載のユーザ機器。
【請求項６１】
前記カバレージ強化要求が規定されたレベルにある場合、前記カバレージ強化要求に対応する前記信号反復回数は０であることを特徴とする請求項６０に記載のユーザ機器。
【請求項６２】
カバレージ強化技術は、要求緩和技術、信号反復技術、パワースペクトル密度ブースティングおよびパワーブースティングを含み、前記カバレージ要求が規定されたレベルにある場合、前記トランシーバは、とりわけ、前記信号反復技術を除く、前記カバレージ強化技術における別の技術を使用することによって、前記カバレージ強化要求に従って前記基地局と通信するように構成されることを特徴とする請求項４９乃至５８のいずれか一項に記載のユーザ機器。
【請求項６３】
基地局であって、
ユーザ機器のカバレージ強化要求を獲得するように構成されたプロセッサと、
前記カバレージ強化要求に従って前記ユーザ機器と通信するように構成されたトランシーバと
を備えることを特徴とする基地局。
【請求項６４】
前記プロセッサは、とりわけ、第１の瞬間に、前記ユーザ機器によってランダムアクセスプロセスで前記基地局に報告される、第１の精度を有する第１のカバレージ強化要求を受信し、また、第２の瞬間に、前記ユーザ機器によって報告される第１のメッセージを受信し、かつ、前記第１のメッセージに従って前記第１のカバレージ強化要求を第２のカバレージ強化要求に調整するように構成され、前記第２のカバレージ強化要求は第２の精度を有し、前記第２の精度は前記第１の精度より高いことを特徴とする請求項６３に記載の基地局。
【請求項６５】
前記プロセッサは、とりわけ、前記ユーザ機器によって報告されるメッセージに従って前記ユーザ機器の前記カバレージ強化要求を獲得するように構成されることを特徴とする請求項６３に記載の基地局。
【請求項６６】
前記プロセッサは、とりわけ、第１の瞬間に、ランダムアクセスプリアンブルシーケンスを使用することによって前記ユーザ機器によって報告される、第１の精度を有する第１のカバレージ強化要求を受信し、また、前記第１の瞬間の後の第２の瞬間に、前記第１の瞬間と前記第２の瞬間の間の瞬間に前記ユーザ機器によって報告されたメッセージに従って、前記ユーザ機器の第２のカバレージ強化要求を獲得し、かつ、カバレージ強化要求インジケーションメッセージを生成するように構成され、前記カバレージ強化要求インジケーションメッセージは、前記第１のカバレージ強化要求を前記第２のカバレージ強化要求に調整するように前記ユーザ機器に命令するために使用され、前記第２のカバレージ強化要求は第２の精度を有し、前記第２の精度は前記第１の精度より高いことを特徴とする請求項６５に記載の基地局。
【請求項６７】
前記トランシーバは、前記プロセッサが、前記第１の瞬間と前記第２の瞬間の間の前記瞬間に前記ユーザ機器によって報告された前記メッセージに従って前記カバレージ強化要求インジケーションメッセージを生成した後、前記カバレージ強化要求インジケーションメッセージを前記ユーザ機器に配信するようにさらに構成されることを特徴とする請求項６６に記載の基地局。
【請求項６８】
前記トランシーバは、とりわけ、ランダムアクセス応答メッセージを使用することによって前記カバレージ強化要求インジケーションメッセージを前記ユーザ機器に配信するように構成されることを特徴とする請求項６７に記載の基地局。
【請求項６９】
前記トランシーバは、とりわけ、前記カバレージ強化要求に対応する信号反復回数に従って前記ユーザ機器と通信するように構成されることを特徴とする請求項６３乃至６８のいずれか一項に記載の基地局。
【請求項７０】
前記カバレージ強化要求が第１のレベルにある場合、前記カバレージ強化要求に対応する前記信号反復回数は第１の値であり、前記カバレージ強化要求が前記第１のレベルより高い第２のレベルにある場合、前記第２のカバレージ強化要求に対応する前記信号反復回数は、前記第１の値より大きい第２の値であり、前記カバレージ強化要求が前記第１のレベルより低い第３のレベルにある場合、前記カバレージ強化要求に対応する前記信号反復回数は、前記第１の値より小さい第３の値であることを特徴とする請求項６９に記載の基地局。
【請求項７１】
前記カバレージ強化要求が規定されたレベルにある場合、前記カバレージ強化要求に対応する前記信号反復回数は０であることを特徴とする請求項７０に記載の基地局。
【請求項７２】
カバレージ強化技術は、要求緩和技術、信号反復技術、パワースペクトル密度ブースティングおよびパワーブースティングを含み、
前記カバレージ要求が規定されたレベルにある場合、前記トランシーバは、とりわけ、前記信号反復技術を除く、前記カバレージ強化技術における別の技術を使用することによって、前記カバレージ強化要求に従って前記ユーザ機器と通信するように構成されることを特徴とする請求項６３乃至６８のいずれか一項に記載の基地局。
【発明の詳細な説明】
【技術分野】
【０００１】
本発明は通信分野に関し、詳細には情報処理方法、ユーザ機器および基地局に関する。
【背景技術】
【０００２】
科学および技術の発展にともなって通信技術も急速に発展し、人々の生活をより便利にしている。
【０００３】
モノのインターネット（Ｔｈｅ  Ｉｎｔｅｒｎｅｔ  ｏｆ  Ｔｈｉｎｇｓ）が、そのような例として使用される。モノのインターネットとは、知覚、計算、実行および通信の特定の能力を有するユーザ機器（ＵＥ、Ｕｓｅｒ  Ｅｑｕｉｐｍｅｎｔ）を展開することによって物理世界に関する情報が取得されるネットワークを意味しており、基地局は、情報をネットワークに送信し、次に情報伝送、コーディネーションおよび処理が実現され、それにより人とモノの間、およびモノとモノの間の相互接続を実現する。したがってモノのインターネットは、スマートグリッド、知的農業、知的交通および環境検出などの様々な態様に適用されることができ、様々な態様で人々の生活に便宜を提供している。
【０００４】
ユーザ機器のハードウェアおよびソフトウェアの構成が互いに異なっており、また、ユーザ機器が配置される環境も互いに異なっているため、ユーザ機器が基地局と通信する通信状態も著しく異なる。詳細には、異なるユーザ機器が同じ環境の基地局と通信する場合であっても通信状態が異なることがあり、また、同じデバイスが異なる環境の基地局と通信する場合の通信状態も異なることがある。
【０００５】
現状では、ユーザ機器と基地局の間の正確な通信を保証するために、通常、基地局は、余分の通信資源を追加しており、例えば基地局と、基地局と通信しているユーザ機器との間の通信の精度を保証するために、伝送情報が繰り返し伝送されている。しかしながら、基地局が余分の通信資源を追加する場合、基地局と、基地局と通信する際の通信状態が最も貧弱であるユーザ機器との間の通信の精度が保証されることが必要であるが、通信状態がより良好である別のユーザ機器に対しては、基地局によって追加される余分の通信資源は、資源の浪費になる。
【０００６】
したがって、従来技術には、基地局がユーザ機器と通信する際の資源の浪費という技術的な問題が存在している。
【発明の概要】
【０００７】
本発明は、基地局がユーザ機器と通信する際に存在する資源の浪費という従来技術の技術的な問題を解決する情報処理方法、ユーザ機器および基地局を提供する。
【０００８】
第１の態様によれば、本発明は、ユーザ機器によってカバレージ強化要求を獲得するステップと、ユーザ機器によって、カバレージ強化要求に従って基地局と通信するステップとを含む情報処理方法を提供する。
【０００９】
第１の態様を参照すると、第１の可能実施態様方式では、ユーザ機器によってカバレージ強化要求を獲得するステップの後、方法は、ユーザ機器が次のランダムアクセスプロセスにカバレージ強化要求を使用するように、ユーザ機器によってカバレージ強化要求を記憶するステップをさらに含む。
【００１０】
第１の態様を参照すると、第２の可能実施態様方式では、ユーザ機器によってカバレージ強化要求を獲得するステップの後、方法は、基地局がユーザ機器のカバレージ強化要求を決定するように、ユーザ機器によってカバレージ強化要求を基地局に報告するステップをさらに含む。
【００１１】
第１の態様または第２の可能実施態様方式を参照すると、第３の可能実施態様方式では、ユーザ機器によってカバレージ強化要求を基地局に報告するステップは、とりわけ、ユーザ機器によって、第１の瞬間に、ランダムアクセスプロセスで第１のカバレージ強化要求を基地局に報告するステップであって、第１のカバレージ強化要求が第１の精度を有するステップと、ユーザ機器によって、第１の瞬間の後の第２の瞬間に第１のメッセージを基地局に報告するステップであって、第１のメッセージは、第１のメッセージに基づいて第１のカバレージ強化要求を第２のカバレージ強化要求に調整するように基地局に命令するために使用され、第２のカバレージ強化要求は第２の精度を有し、また、第２の精度は第１の精度より高いステップとを含む。
【００１２】
第１の態様または第３の可能実施態様方式を参照すると、第４の可能実施態様方式では、ユーザ機器によって第１のメッセージを基地局に報告するステップの後、方法は、ユーザ機器が次のランダムアクセスプロセスに第２のカバレージ強化要求を使用するように、ユーザ機器によって第２のカバレージ強化要求を記憶するステップをさらに含む。
【００１３】
第１の態様を参照すると、第５の可能実施態様方式では、ユーザ機器によってカバレージ強化要求を獲得するステップは、とりわけ、ユーザ機器によって、基地局によって配信されるカバレージ強化要求インジケーションメッセージを受信するステップと、ユーザ機器によって、カバレージ強化要求インジケーションメッセージに従ってカバレージ強化要求を獲得するステップとを含む。
【００１４】
第１の態様または第５の可能実施態様方式を参照すると、第６の可能実施態様方式では、ユーザ機器によって、基地局によって配信されるカバレージ強化要求インジケーションメッセージを受信するステップの前に、方法は、基地局がユーザ機器によって報告されたメッセージに従ってカバレージ強化要求インジケーションメッセージを生成するように、ユーザ機器によってメッセージを基地局に報告するステップをさらに含む。
【００１５】
第１の態様または第６の可能実施態様方式を参照すると、第７の可能実施態様方式では、基地局がユーザ機器によって報告されたメッセージに従ってカバレージ強化要求インジケーションメッセージを生成するように、ユーザ機器によってメッセージを基地局に報告するステップは、とりわけ、ユーザ機器によって、ランダムアクセスプリアンブルシーケンスを使用することによって第１のカバレージ強化要求を第１の瞬間に基地局に報告するステップを含み、第１のカバレージ強化要求は、基地局が、第１の瞬間の後の第２の瞬間に、第１の瞬間と第２の瞬間の間の瞬間にユーザ機器によって報告されたメッセージに従ってカバレージ強化要求インジケーションメッセージを生成するように、第１の精度を有し、カバレージ強化要求インジケーションメッセージは、第１のカバレージ強化要求を第２のカバレージ強化要求に調整するようにユーザ機器に命令するために使用され、第２のカバレージ強化要求は第２の精度を有し、また、第２の精度は第１の精度より高い。
【００１６】
第１の態様または第５の可能実施態様方式を参照すると、第８の可能実施態様方式では、ユーザ機器によって、基地局によって配信されるカバレージ強化要求インジケーションメッセージを受信するステップは、とりわけ、ユーザ機器によって、ランダムアクセス応答メッセージを使用することによって基地局によって配信されるカバレージ強化要求インジケーションメッセージを受信するステップである。
【００１７】
第１の態様または第５の可能実施態様方式を参照すると、第９の可能実施態様方式では、ユーザ機器によって、カバレージ強化要求インジケーションメッセージに従ってカバレージ強化要求を獲得するステップの後、方法は、ユーザ機器が次のランダムアクセスプロセスにカバレージ強化要求を使用するように、ユーザ機器によってカバレージ強化要求を記憶するステップをさらに含む。
【００１８】
第１の態様または第１の可能実施態様方式乃至第９の可能実施態様方式を参照すると、第１０の可能実施態様方式では、ユーザ機器によって、カバレージ強化要求に従って基地局と通信するステップは、とりわけ、ユーザ機器によって、カバレージ強化要求に対応する信号反復回数に従って基地局と通信するステップである。
【００１９】
第１の態様または第１０の可能実施態様方式を参照すると、第１１の可能実施態様方式では、カバレージ強化要求が第１のレベルである場合、カバレージ強化要求に対応する信号反復回数は第１の値であり、カバレージ強化要求が第１のレベルより高い第２のレベルにある場合、第２のカバレージ強化要求に対応する信号反復回数は、第１の値より大きい第２の値であり、また、カバレージ強化要求が第１のレベルより低い第３のレベルにある場合、カバレージ強化要求に対応する信号反復回数は、第１の値より小さい第３の値である。
【００２０】
第１の態様または第１１の可能実施態様方式を参照すると、第１２の可能実施態様方式では、カバレージ強化要求が規定されたレベルにある場合、カバレージ強化要求に対応する信号反復回数は０である。
【００２１】
第１の態様または第１の可能実施態様方式乃至第９の可能実施態様方式を参照すると、第１３の可能実施態様方式では、カバレージ強化技術は、要求緩和技術、信号反復技術、パワースペクトル密度ブースティングおよびパワーブースティングを含み、カバレージ要求が規定されたレベルにある場合、ユーザ機器によって、カバレージ強化要求に従って基地局と通信するステップは、とりわけ、ユーザ機器によって、信号反復技術を除く、カバレージ強化技術における別の技術を使用することによって、カバレージ強化要求に従って基地局と通信するステップである。
【００２２】
第２の態様によれば、本発明の実施形態は、さらに、基地局によってユーザ機器のカバレージ強化要求を獲得するステップと、基地局によって、カバレージ強化要求に従ってユーザ機器と通信するステップとを含む情報処理方法を提供する。
【００２３】
第２の態様を参照すると、第１の可能実施態様方式では、基地局によってユーザ機器のカバレージ強化要求を獲得するステップは、とりわけ、基地局によって、第１の瞬間に、ユーザ機器によってランダムアクセスプロセスで基地局に報告される第１のカバレージ強化要求を受信するステップであって、第１のカバレージ強化要求が第１の精度を有するステップと、基地局によって、第１の瞬間の後の第２の瞬間に、ユーザ機器によって報告される第１のメッセージを受信し、かつ、第１のメッセージに従って第１のカバレージ強化要求を第２のカバレージ強化要求に調整するステップであって、第２のカバレージ強化要求は第２の精度を有し、また、第２の精度は第１の精度より高いステップとを含む。
【００２４】
第２の態様を参照すると、第２の可能実施態様方式では、基地局によってユーザ機器のカバレージ強化要求を獲得するステップは、とりわけ、基地局によって、ユーザ機器によって報告されるメッセージに従ってユーザ機器のカバレージ強化要求を獲得するステップを含む。
【００２５】
第２の態様または第２の可能実施態様方式を参照すると、第３の可能実施態様方式では、基地局によって、ユーザ機器によって報告されるメッセージに従ってユーザ機器のカバレージ強化要求を獲得するステップは、とりわけ、基地局によって、第１の瞬間に、ランダムアクセスプリアンブルシーケンスを使用することによってユーザ機器によって報告される第１のカバレージ強化要求を受信するステップであって、第１のカバレージ強化要求は第１の精度を有するステップと、第１の瞬間の後の第２の瞬間に、第１の瞬間と第２の瞬間の間の瞬間にユーザ機器によって報告されたメッセージに従って、基地局によってユーザ機器の第２のカバレージ強化要求を獲得し、かつ、カバレージ強化要求インジケーションメッセージを生成するステップであって、カバレージ強化要求インジケーションメッセージは、第１のカバレージ強化要求を第２のカバレージ強化要求に調整するようにユーザ機器に命令するために使用され、第２のカバレージ強化要求は第２の精度を有し、また、第２の精度は第１の精度より高いステップとを含む。
【００２６】
第２の態様または第３の可能実施態様方式を参照すると、第４の可能実施態様方式では、基地局によって、第１の瞬間と第２の瞬間の間の瞬間にユーザ機器によって報告されたメッセージに従ってカバレージ強化要求インジケーションメッセージを生成するステップの後、方法は、基地局によってカバレージ強化要求インジケーションメッセージをユーザ機器に配信するステップをさらに含む。
【００２７】
第２の態様または第４の可能実施態様方式を参照すると、第５の可能実施態様方式では、基地局によってカバレージ強化要求インジケーションメッセージをユーザ機器に配信するステップは、とりわけ、基地局によって、ランダムアクセス応答メッセージを使用することによってカバレージ強化要求インジケーションメッセージをユーザ機器に配信するステップである。
【００２８】
第２の態様または第１の可能実施態様方式乃至第５の可能実施態様方式を参照すると、第６の可能実施態様方式では、基地局によって、カバレージ強化要求に従ってユーザ機器と通信するステップは、とりわけ、基地局によって、カバレージ強化要求に対応する信号反復回数に従ってユーザ機器と通信するステップである。
【００２９】
第２の態様または第７の可能実施態様方式を参照すると、第７の可能実施態様方式では、カバレージ強化要求が第１のレベルにある場合、カバレージ強化要求に対応する信号反復回数は第１の値であり、カバレージ強化要求が第１のレベルより高い第２のレベルにある場合、第２のカバレージ強化要求に対応する信号反復回数は、第１の値以上の第２の値であり、また、カバレージ強化要求が第１のレベルより低い第３のレベルにある場合、カバレージ強化要求に対応する信号反復回数は、第１の値以下の第３の値である。
【００３０】
第２の態様または第８の可能実施態様方式を参照すると、第８の可能実施態様方式では、カバレージ強化要求が規定されたレベルにある場合、カバレージ強化要求に対応する信号反復回数は０である。
【００３１】
第２の態様または第１の可能実施態様方式乃至第５の可能実施態様方式を参照すると、第９の可能実施態様方式では、カバレージ強化技術は、要求緩和技術、信号反復技術、パワースペクトル密度ブースティングおよびパワーブースティングを含み、カバレージ要求が規定されたレベルにある場合、基地局によって、カバレージ強化要求に従ってユーザ機器と通信するステップは、とりわけ、基地局によって、信号反復技術を除く、カバレージ強化技術における別の技術を使用することによって、カバレージ強化要求に従ってユーザ機器と通信するステップである。
【００３２】
第３の態様によれば、本発明の実施形態は、さらに、カバレージ強化要求を獲得するように構成された獲得ユニットと、カバレージ強化要求に従って基地局と通信するように構成された通信ユニットとを含むユーザ機器を提供する。
【００３３】
第３の態様を参照すると、第１の可能実施態様方式では、ユーザ機器は記憶ユニットをさらに含み、記憶ユニットは、獲得ユニットがカバレージ強化要求を獲得した後、ユーザ機器が次のランダムアクセスプロセスにカバレージ強化要求を使用するように、カバレージ強化要求を記憶するように構成される。
【００３４】
第３の態様を参照すると、第２の可能実施態様方式では、通信ユニットは、獲得ユニットがカバレージ強化要求を獲得した後、基地局が情報処理ユーザ機器のカバレージ強化要求を決定するように、カバレージ強化要求を基地局に報告するようにさらに構成される。
【００３５】
第３の態様または第２の可能実施態様方式を参照すると、第３の可能実施態様方式では、通信ユニットは、とりわけ、第１の瞬間に、ランダムアクセスプロセスで、第１の精度を有する第１のカバレージ強化要求を基地局に報告し、かつ、第１の瞬間の後の第２の瞬間に第１のメッセージを基地局に報告するように構成され、第１のメッセージは、第１のメッセージに基づいて第１のカバレージ強化要求を第２のカバレージ強化要求に調整するように基地局に命令するために使用され、第２のカバレージ強化要求は第２の精度を有し、また、第２の精度は第１の精度より高い。
【００３６】
第３の態様または第３の可能実施態様方式を参照すると、第４の可能実施態様方式では、ユーザ機器は、ユーザ機器が次のランダムアクセスプロセスに第２のカバレージ強化要求を使用するように、第２のカバレージ強化要求を記憶するように構成された記憶ユニットをさらに含む。
【００３７】
第３の態様を参照すると、第５の可能実施態様方式では、獲得ユニットは、とりわけ、基地局によって配信されるカバレージ強化要求インジケーションメッセージを受信し、かつ、カバレージ強化要求インジケーションメッセージに従ってカバレージ強化要求を獲得するように構成される。
【００３８】
第３の態様または第５の可能実施態様方式を参照すると、第６の可能実施態様方式では、通信ユニットは、基地局によって配信されるカバレージ強化要求インジケーションメッセージを獲得ユニットが受信する前に、基地局がユーザ機器によって報告されたメッセージに従ってカバレージ強化要求インジケーションメッセージを生成するように、メッセージを基地局に報告するようにさらに構成される。
【００３９】
第３の態様または第６の可能実施態様方式を参照すると、第７の可能実施態様方式では、通信ユニットは、とりわけ、ランダムアクセスプリアンブルシーケンスを使用することによって、第１の瞬間に第１のカバレージ強化要求を基地局に報告するように構成され、第１のカバレージ強化要求は、基地局が、第１の瞬間の後の第２の瞬間に、第１の瞬間と第２の瞬間の間の瞬間にユーザ機器によって報告されたメッセージに従ってカバレージ強化要求インジケーションメッセージを生成するように、第１の精度を有し、カバレージ強化要求インジケーションメッセージは、第１のカバレージ強化要求を第２のカバレージ強化要求に調整するようにユーザ機器に命令するために使用され、第２のカバレージ強化要求は第２の精度を有し、また、第２の精度は第１の精度より高い。
【００４０】
第３の態様または第５の可能実施態様方式を参照すると、第８の可能実施態様方式では、獲得ユニットは、とりわけ、ランダムアクセス応答メッセージを使用することによって基地局によって配信されるカバレージ強化要求インジケーションメッセージを受信するように構成される。
【００４１】
第３の態様または第５の可能実施態様方式を参照すると、第９の可能実施態様方式では、ユーザ機器は、獲得ユニットデバイスがカバレージ強化要求インジケーションメッセージに従ってカバレージ強化要求を獲得した後、ユーザ機器が次のランダムアクセスプロセスにカバレージ強化要求を使用するように、カバレージ強化要求を記憶するように構成された記憶ユニットをさらに含む。
【００４２】
第３の態様または第１の可能実施態様方式乃至第９の可能実施態様方式を参照すると、第１０の可能実施態様方式では、通信ユニットは、とりわけ、カバレージ強化要求に対応する信号反復回数に従って基地局と通信するように構成される。
【００４３】
第３の態様または第１０の可能実施態様方式を参照すると、第１１の可能実施態様方式では、カバレージ強化要求が第１のレベルにある場合、カバレージ強化要求に対応する信号反復回数は第１の値であり、カバレージ強化要求が第１のレベルより高い第２のレベルにある場合、第２のカバレージ強化要求に対応する信号反復回数は、第１の値より大きい第２の値であり、また、カバレージ強化要求が第１のレベルより低い第３のレベルにある場合、カバレージ強化要求に対応する信号反復回数は、第１の値より小さい第３の値である。
【００４４】
第３の態様または第１１の可能実施態様方式を参照すると、第１２の可能実施態様方式では、カバレージ強化要求が規定されたレベルにある場合、カバレージ強化要求に対応する信号反復回数は０である。
【００４５】
第３の態様または第１の可能実施態様方式乃至第９の可能実施態様方式を参照すると、第１３の可能実施態様方式では、カバレージ強化技術は、要求緩和技術、信号反復技術、パワースペクトル密度ブースティングおよびパワーブースティングを含み、カバレージ要求が規定されたレベルにある場合、通信ユニットは、とりわけ、信号反復技術を除く、カバレージ強化技術における別の技術を使用することによって、カバレージ強化要求に従って基地局と通信するように構成される。
【００４６】
第４の態様によれば、本発明の実施形態は、さらに、ユーザ機器のカバレージ強化要求を獲得するように構成された獲得ユニットと、カバレージ強化要求に従ってユーザ機器と通信するように構成された通信ユニットとを含む基地局を提供する。
【００４７】
第４の態様を参照すると、第１の可能実施態様方式では、獲得ユニットは、とりわけ、第１の瞬間に、ユーザ機器によってランダムアクセスプロセスで基地局に報告される、第１の精度を有する第１のカバレージ強化要求を受信し、また、第２の瞬間に、ユーザ機器によって報告される第１のメッセージを受信し、かつ、第１のメッセージに従って第１のカバレージ強化要求を第２のカバレージ強化要求に調整するように構成され、第２のカバレージ強化要求は第２の精度を有し、また、第２の精度は第１の精度より高い。
【００４８】
第４の態様を参照すると、第２の可能実施態様方式では、獲得ユニットは、とりわけ、ユーザ機器によって報告されるメッセージに従ってユーザ機器のカバレージ強化要求を獲得するように構成される。
【００４９】
第４の態様または第２の可能実施態様方式を参照すると、第３の可能実施態様方式では、獲得ユニットは、とりわけ、第１の瞬間に、ランダムアクセスプリアンブルシーケンスを使用することによってユーザ機器によって報告される、第１の精度を有する第１のカバレージ強化要求を受信し、また、第１の瞬間の後の第２の瞬間に、第１の瞬間と第２の瞬間の間の瞬間にユーザ機器によって報告されたメッセージに従って、ユーザ機器の第２のカバレージ強化要求を獲得し、かつ、カバレージ強化要求インジケーションメッセージを生成するように構成され、カバレージ強化要求インジケーションメッセージは、第１のカバレージ強化要求を第２のカバレージ強化要求に調整するようにユーザ機器に命令するために使用され、第２のカバレージ強化要求は第２の精度を有し、また、第２の精度は第１の精度より高い。
【００５０】
第４の態様または第３の可能実施態様方式を参照すると、第４の可能実施態様方式では、通信ユニットは、獲得ユニットが、第１の瞬間と第２の瞬間の間の瞬間にユーザ機器によって報告されたメッセージに従ってカバレージ強化要求インジケーションメッセージを生成した後、カバレージ強化要求インジケーションメッセージをユーザ機器に配信するようにさらに構成される。
【００５１】
第４の態様または第４の可能実施態様方式を参照すると、第５の可能実施態様方式では、通信ユニットは、とりわけ、ランダムアクセス応答メッセージを使用することによってカバレージ強化要求インジケーションメッセージをユーザ機器に配信するように構成される。
【００５２】
第４の態様または第１の可能実施態様方式乃至第５の可能実施態様方式を参照すると、第６の可能実施態様方式では、通信ユニットは、とりわけ、カバレージ強化要求に対応する信号反復回数に従ってユーザ機器と通信するように構成される。
【００５３】
第４の態様または第７の可能実施態様方式を参照すると、第７の可能実施態様方式では、カバレージ強化要求が第１のレベルにある場合、カバレージ強化要求に対応する信号反復回数は第１の値であり、カバレージ強化要求が第１のレベルより高い第２のレベルにある場合、第２のカバレージ強化要求に対応する信号反復回数は、第１の値より大きい第２の値であり、また、カバレージ強化要求が第１のレベルより低い第３のレベルにある場合、カバレージ強化要求に対応する信号反復回数は、第１の値より小さい第３の値である。
【００５４】
第４の態様または第８の可能実施態様方式を参照すると、第８の可能実施態様方式では、カバレージ強化要求が規定されたレベルにある場合、カバレージ強化要求に対応する信号反復回数は０である。
【００５５】
第４の態様または第１の可能実施態様方式乃至第５の可能実施態様方式を参照すると、第９の可能実施態様方式では、カバレージ強化技術は、要求緩和技術、信号反復技術、パワースペクトル密度ブースティングおよびパワーブースティングを含み、カバレージ要求が規定されたレベルにある場合、通信ユニットは、とりわけ、信号反復技術を除く、カバレージ強化技術における別の技術を使用することによって、カバレージ強化要求に従ってユーザ機器と通信するように構成される。
【００５６】
第５の態様によれば、本発明の実施形態は、さらに、カバレージ強化要求を獲得するように構成されたプロセッサと、カバレージ強化要求に従って基地局と通信するように構成されたトランシーバとを含むユーザ機器を提供する。
【００５７】
第５の態様を参照すると、第１の可能実施態様方式では、ユーザ機器はメモリをさらに含み、メモリは、プロセッサがカバレージ強化要求を獲得した後、ユーザ機器が次のランダムアクセスプロセスにカバレージ強化要求を使用するように、カバレージ強化要求を記憶するように構成される。
【００５８】
第５の態様を参照すると、第２の可能実施態様方式では、トランシーバは、獲得ユニットがカバレージ強化要求を獲得した後、基地局が情報処理ユーザ機器のカバレージ強化要求を決定するように、カバレージ強化要求を基地局に報告するようにさらに構成される。
【００５９】
第５の態様または第２の可能実施態様方式を参照すると、第３の可能実施態様方式では、トランシーバは、とりわけ、第１の瞬間に、ランダムアクセスプロセスで、第１の精度を有する第１のカバレージ強化要求を基地局に報告し、かつ、第１の瞬間の後の第２の瞬間に第１のメッセージを基地局に報告するように構成され、第１のメッセージは、第１のメッセージに基づいて第１のカバレージ強化要求を第２のカバレージ強化要求に調整するように基地局に命令するために使用され、第２のカバレージ強化要求は第２の精度を有し、また、第２の精度は第１の精度より高い。
【００６０】
第５の態様または第３の可能実施態様方式を参照すると、第４の可能実施態様方式では、ユーザ機器はメモリをさらに含み、メモリは、ユーザ機器が次のランダムアクセスプロセスに第２のカバレージ強化要求を使用するように、第２のカバレージ強化要求を記憶するように構成される。
【００６１】
第５の態様を参照すると、第５の可能実施態様方式では、プロセッサは、とりわけ、基地局によって配信されるカバレージ強化要求インジケーションメッセージを受信し、かつ、カバレージ強化要求インジケーションメッセージに従ってカバレージ強化要求を獲得するように構成される。
【００６２】
第５の態様または第５の可能実施態様方式を参照すると、第６の可能実施態様方式では、トランシーバは、プロセッサが基地局によって配信されるカバレージ強化要求インジケーションメッセージを受信する前に、基地局がユーザ機器によって報告されたメッセージに従ってカバレージ強化要求インジケーションメッセージを生成するように、メッセージを基地局に報告するようにさらに構成される。
【００６３】
第５の態様または第６の可能実施態様方式を参照すると、第７の可能実施態様方式では、トランシーバは、とりわけ、第１の瞬間に、ランダムアクセスプリアンブルシーケンスを使用することによって第１のカバレージ強化要求を基地局に報告するように構成され、第１のカバレージ強化要求は、基地局が、第１の瞬間の後の第２の瞬間に、第１の瞬間と第２の瞬間の間の瞬間にユーザ機器によって報告されたメッセージに従ってカバレージ強化要求インジケーションメッセージを生成するように、第１の精度を有し、カバレージ強化要求インジケーションメッセージは、第１のカバレージ強化要求を第２のカバレージ強化要求に調整するようにユーザ機器に命令するために使用され、第２のカバレージ強化要求は第２の精度を有し、また、第２の精度は第１の精度より高い。
【００６４】
第５の態様または第５の可能実施態様方式を参照すると、第８の可能実施態様方式では、プロセッサは、とりわけ、ランダムアクセス応答メッセージを使用することによって基地局によって配信されるカバレージ強化要求インジケーションメッセージを受信するように構成される。
【００６５】
第５の態様または第５の可能実施態様方式を参照すると、第９の可能実施態様方式では、ユーザ機器はメモリをさらに含み、メモリは、プロセッサデバイスがカバレージ強化要求インジケーションメッセージに従ってカバレージ強化要求を獲得した後、ユーザ機器が次のランダムアクセスプロセスにカバレージ強化要求を使用するように、カバレージ強化要求を記憶するように構成される。
【００６６】
第５の態様または第１の可能実施態様方式乃至第９の可能実施態様方式を参照すると、第１０の可能実施態様方式では、トランシーバは、とりわけ、カバレージ強化要求に対応する信号反復回数に従って基地局と通信するように構成される。
【００６７】
第５の態様または第１０の可能実施態様方式を参照すると、第１１の可能実施態様方式では、カバレージ強化要求が第１のレベルにある場合、カバレージ強化要求に対応する信号反復回数は第１の値であり、カバレージ強化要求が第１のレベルより高い第２のレベルにある場合、第２のカバレージ強化要求に対応する信号反復回数は、第１の値より大きい第２の値であり、また、カバレージ強化要求が第１のレベルより低い第３のレベルにある場合、カバレージ強化要求に対応する信号反復回数は、第１の値より小さい第３の値である。
【００６８】
第５の態様または第１１の可能実施態様方式を参照すると、第１２の可能実施態様方式では、カバレージ強化要求が規定されたレベルにある場合、カバレージ強化要求に対応する信号反復回数は０である。
【００６９】
第５の態様または第１の可能実施態様方式乃至第９の可能実施態様方式を参照すると、第１３の可能実施態様方式では、カバレージ強化技術は、要求緩和技術、信号反復技術、パワースペクトル密度ブースティングおよびパワーブースティングを含み、カバレージ要求が規定されたレベルにある場合、トランシーバは、とりわけ、信号反復技術を除く、カバレージ強化技術における別の技術を使用することによって、カバレージ強化要求に従って基地局と通信するように構成される。
【００７０】
第６の態様によれば、本発明の実施形態は、さらに、ユーザ機器のカバレージ強化要求を獲得するように構成されたプロセッサと、カバレージ強化要求に従ってユーザ機器と通信するように構成されたトランシーバとを含む基地局を提供する。
【００７１】
第４の態様を参照すると、第１の可能実施態様方式では、プロセッサは、とりわけ、第１の瞬間に、ユーザ機器によってランダムアクセスプロセスで基地局に報告される、第１の精度を有する第１のカバレージ強化要求を受信し、また、第２の瞬間に、ユーザ機器によって報告される第１のメッセージを受信し、かつ、第１のメッセージに従って第１のカバレージ強化要求を第２のカバレージ強化要求に調整するように構成され、第２のカバレージ強化要求は第２の精度を有し、また、第２の精度は第１の精度より高い。
【００７２】
第４の態様を参照すると、第２の可能実施態様方式では、プロセッサは、とりわけ、ユーザ機器によって報告されるメッセージに従ってユーザ機器のカバレージ強化要求を獲得するように構成される。
【００７３】
第４の態様または第２の可能実施態様方式を参照すると、第３の可能実施態様方式では、プロセッサは、とりわけ、第１の瞬間に、ランダムアクセスプリアンブルシーケンスを使用することによってユーザ機器によって報告される、第１の精度を有する第１のカバレージ強化要求を受信し、また、第１の瞬間の後の第２の瞬間に、第１の瞬間と第２の瞬間の間の瞬間にユーザ機器によって報告されたメッセージに従って、ユーザ機器の第２のカバレージ強化要求を獲得し、かつ、カバレージ強化要求インジケーションメッセージを生成するように構成され、カバレージ強化要求インジケーションメッセージは、第１のカバレージ強化要求を第２のカバレージ強化要求に調整するようにユーザ機器に命令するために使用され、第２のカバレージ強化要求は第２の精度を有し、また、第２の精度は第１の精度より高い。
【００７４】
第４の態様または第３の可能実施態様方式を参照すると、第４の可能実施態様方式では、トランシーバは、プロセッサが、第１の瞬間と第２の瞬間の間の瞬間にユーザ機器によって報告されたメッセージに従ってカバレージ強化要求インジケーションメッセージを生成した後、カバレージ強化要求インジケーションメッセージをユーザ機器に配信するようにさらに構成される。
【００７５】
第４の態様または第４の可能実施態様方式を参照すると、第５の可能実施態様方式では、トランシーバは、とりわけ、ランダムアクセス応答メッセージを使用することによってカバレージ強化要求インジケーションメッセージをユーザ機器に配信するように構成される。
【００７６】
第４の態様または第１の可能実施態様方式乃至第５の可能実施態様方式を参照すると、第６の可能実施態様方式では、トランシーバは、とりわけ、カバレージ強化要求に対応する信号反復回数に従ってユーザ機器と通信するように構成される。
【００７７】
第４の態様または第７の可能実施態様方式を参照すると、第７の可能実施態様方式では、カバレージ強化要求が第１のレベルにある場合、カバレージ強化要求に対応する信号反復回数は第１の値であり、カバレージ強化要求が第１のレベルより高い第２のレベルにある場合、第２のカバレージ強化要求に対応する信号反復回数は、第１の値より大きい第２の値であり、また、カバレージ強化要求が第１のレベルより低い第３のレベルにある場合、カバレージ強化要求に対応する信号反復回数は、第１の値より小さい第３の値である。
【００７８】
第４の態様または第８の可能実施態様方式を参照すると、第８の可能実施態様方式では、カバレージ強化要求が規定されたレベルにある場合、カバレージ強化要求に対応する信号反復回数は０である。
【００７９】
第４の態様または第１の可能実施態様方式乃至第５の可能実施態様方式を参照すると、第９の可能実施態様方式では、カバレージ強化技術は、要求緩和技術、信号反復技術、パワースペクトル密度ブースティングおよびパワーブースティングを含み、カバレージ要求が規定されたレベルにある場合、トランシーバは、とりわけ、信号反復技術を除く、カバレージ強化技術における別の技術を使用することによって、カバレージ強化要求に従ってユーザ機器と通信するように構成される。
【発明の効果】
【００８０】
本発明の有益な効果は以下の通りである。
【００８１】
ユーザ機器がカバレージ強化要求を獲得し、かつ、カバレージ強化要求に従って基地局と通信する、という技術的解決法が使用されるため、ユーザ機器が基地局と正確に通信することを保証する場合、ユーザ機器は、獲得したカバレージ強化要求に従って基地局と正確に通信し、それは、基地局が、通信状態がより良好なユーザ機器と通信する際に、通信状態がより貧弱なユーザ機器と通信する際に追加される通信資源の同じ量を依然として追加する状況を回避し、それにより、基地局がユーザ機器と通信する際に存在する資源の浪費という従来技術の技術的な問題を解決し、かつ、資源の浪費を低減する技術的効果を実現する。
【図面の簡単な説明】
【００８２】
【図１】本発明の実施形態による、複数のユーザ機器と基地局の間の通信の略図である。
【図２】本発明の実施形態による、ユーザ機器側の情報処理方法のフローチャートである。
【図３Ａ】本発明の実施形態による第１のカバレージ強化要求のレベル分類の略図である。
【図３Ｂ】本発明の実施形態による第２のカバレージ強化要求のレベル分類の略図である。
【図４】本発明の実施形態によるランダムアクセス応答メッセージのフォーマットの略図である。
【図５】本発明の実施形態による媒体アクセス制御プロトコルデータユニットの構造の略図である。
【図６Ａ】本発明の実施形態による媒体アクセス制御サブヘッダの略構造的線図である。
【図６Ｂ】本発明の実施形態による別の媒体アクセス制御サブヘッダの略構造的線図である。
【図７Ａ】本発明の実施形態によるユーザ機器の機能的モジュールの線図である。
【図７Ｂ】本発明の実施形態によるユーザ機器のハードウェア実施態様の概念線図である。
【図８】本発明の実施形態による基地局側の情報処理方法のフローチャートである。
【図９Ａ】本発明の実施形態による基地局の機能的モジュールの線図である。
【図９Ｂ】本発明の実施形態による基地局のハードウェア実施態様の概念線図である。
【発明を実施するための形態】
【００８３】
本発明は、基地局がユーザ機器と通信する際に存在する資源の浪費という従来技術の技術的な問題を解決する情報処理方法、ユーザ機器および基地局を提供する。
【００８４】
本発明の実施形態の目的、技術的解決法および利点をより明確にするために、以下、本発明の実施形態における添付の図面を参照して、本発明の実施形態における技術的解決法を明確に、かつ、完全に説明する。明らかに、説明される実施形態は、本発明の実施形態の一部であり、すべてではない。創造的な努力を必要とすることなく、本発明の実施形態に基づいて当業者によって獲得されるすべての他の実施形態は、本発明の保護範囲の範疇であるものとする。
【００８５】
本明細書における「および／または」という用語は、関連する対象を記述するための関連関係を記述しているにすぎず、３つの関係が存在し得ることを表している。例えばＡおよび／またはＢは、Ａのみが存在する場合、ＡおよびＢの両方が存在する場合、およびＢのみが存在する場合の３つの場合を表すことができる。さらに、本明細書における「／」という文字は、一般に、関連する対象と対象の間の「または」関係を示している。
【００８６】
以下、本発明の好ましい実施態様方式について、添付の図面を参照して詳細に説明する。
実施形態１
【００８７】
図１を参照すると、図１は、本発明の実施形態による、複数のユーザ機器と基地局の間の通信の略図である。
【００８８】
第１の態様によれば、ユーザ機器側では、本発明のこの実施形態は情報処理方法を提供する。図２を参照すると、図２は、本発明の実施形態による情報処理方法のフローチャートである。図２に示されているように、方法は、
【００８９】
Ｓ１：ユーザ機器がカバレージ強化要求を獲得することと、
【００９０】
Ｓ２：ユーザ機器がカバレージ強化要求に従って基地局と通信することと
を含む。
【００９１】
ステップＳ１で、とりわけユーザ機器は、基地局によって間断なく配信されるダウンリンク基準信号などの基地局のいくつかのシステム信号を取得することによってユーザ機器のカバレージ強化要求を獲得することができ、またはユーザ機器は、基地局によって配信されるカバレージ強化要求インジケーションメッセージを受信することによってユーザ機器のカバレージ強化要求を獲得することができる。
【００９２】
この実施形態では、カバレージ強化要求は、基地局との通信のプロセスにユーザ機器によって要求されるカバレージ強化支持の範囲を意味しており、それは、サービスを獲得するためのユーザ機器によるネットワークへのアクセスをイネーブルすることができる。例えばカバレージ強化要求を使用して、カバレージ強化レベル、カバレージ強化レベルのインデックス、信号反復回数、信号反復回数のインデックス、カバレージ強化方法およびカバレージ強化方法のインデックスのうちの１または複数を示すことができる。実際のアプリケーションでは、カバレージ強化要求の表現方法は、本明細書においては制限されないことは確かであり、カバレージ強化要求を使用して、実際の状態の要求と一致させるために、実際の状態に応じて別のパラメータをも示すことが可能であり、詳細は、本明細書においては繰り返して説明されない。
【００９３】
特定の実施態様プロセスでは、カバレージ強化要求は、より低い精度を有する第１のカバレージ強化要求であっても、またはより高い精度を有する第２のカバレージ強化要求であってもよい。０ｄｂから１５ｄｂ上でカバレージ強化レベル分類を実施する例が使用される。図３Ａおよび図３Ｂを参照すると、図３Ａは、本発明の実施形態による第１のカバレージ強化要求のレベル分類の略図であり、また、図３Ｂは、本発明の実施形態による第２のカバレージ強化要求のレベル分類の略図である。
【００９４】
図３Ａに示されているように、第１のカバレージ強化要求の分類は、カバレージ強化レベルがレベル０である、経路損失≦５ｄＢ、カバレージ強化レベルがレベル１である、５ｄＢ＜経路損失≦１０ｄＢ、およびカバレージ強化レベルがレベル２である、経路損失＞１０ｄＢである。カバレージ強化技術が信号反復技術である例では、レベル０に対応する信号反復回数は５であってもよく、レベル１に対応する信号反復回数は１０であってもよく、また、レベル２に対応する信号反復回数は１５であってもよい。
【００９５】
図３Ｂに示されているように、第２のカバレージ強化要求の分類は、カバレージ強化レベルがレベル０．１である、経路損失≦１ｄＢ、カバレージ強化レベルがレベル０．２である、１ｄＢ＜経路損失≦２ｄＢ、カバレージ強化レベルがレベル０．３である、２ｄＢ＜経路損失≦３ｄＢ、カバレージ強化レベルがレベル０．４である、３ｄＢ＜経路損失≦４ｄＢ、カバレージ強化レベルがレベル０．５である、４ｄＢ＜経路損失≦５ｄＢ、…、およびカバレージ強化レベルがレベル２．５である、１４ｄＢ＜経路損失≦１５ｄＢである。カバレージ強化技術が信号反復技術である例では、レベル０．１に対応する信号反復回数は１であってもよく、レベル０．２に対応する信号反復回数は２であってもよく、レベル０．３に対応する信号反復回数は３であってもよく、レベル０．４に対応する信号反復回数は４であってもよく、レベル０．５に対応する信号反復回数は５であってもよく、…、また、レベル２．５に対応する信号反復回数は１５であってもよい。
【００９６】
第１のカバレージ強化要求の個々のレベルに対応する信号反復回数と、第２のカバレージ強化要求の個々のレベルに対応する信号反復回数とを比較することにより、第２のカバレージ強化要求のレベル分類のための精度がより高いため、第２のカバレージ強化要求がカバレージ強化要求として使用されると、カバレージ強化は、より目標が定められることが可能であり、資源の浪費がさらに低減され得ることが分かる。
【００９７】
しかしながら、ランダムアクセスプリアンブルがランダムアクセスプロセスで送信されている場合に第２のカバレージ強化要求が直接使用されると、ランダムアクセスプロセスにおけるユーザ機器間に生じる競合の確率が度を越して高くなる問題がもたらされる。詳細にはランダムアクセスプリアンブルシーケンスは、時間領域、周波数領域および符号分割の３つのタイプの資源を含む。符号分割の例が使用される。レベル分類が第１のカバレージ強化要求に従って実施される場合、すべての符号資源は３つの部分に分類される必要がある。ユーザ機器は、ユーザ機器の測定結果に従って適切な符号資源を選択してランダムアクセスプロセスを開始し、また、基地局は、受信した符号を使用することによって、ユーザ機器が属するカバレージ強化要求レベルを決定する。ランダムアクセスプロセスにおいて２つのユーザ機器によって使用される符号が同じである場合、２つのユーザのランダムアクセスプロセスが無効になることがある。これは、ランダムアクセスプロセスにおける競合の問題である。より特定のレベル分類がカバレージ強化要求に対して実施されると、符号資源を分類することによって獲得されるより多くのグループが存在し、また、個々のグループにはより少ない符号が存在し、グループに存在する符号資源がより少ない場合、グループ内のユーザ機器によって同じ符号を選択する確率がより高くなり、また、ユーザ機器の無効ランダムアクセスプロセスもより多く存在し、したがってランダムアクセスプロセスにおいて、グループ内のユーザ機器間に生じる競合の確率がより高くなる。
【００９８】
ユーザ機器によってカバレージ強化メッセージを獲得する２つの方式によれば、以下の部分は、とりわけ、ランダムアクセスプロセスにおいてユーザ機器間に生じる競合の確率に影響を及ぼすことなく、資源の浪費をさらに低減するために、ユーザ機器と基地局の間の通信における第２のカバレージ強化要求の使用法に関する方法を説明している。
【００９９】
第１の方式では、ユーザ機器は、基地局によって間断なく配信されるダウンリンク基準信号などの基地局のいくつかのシステム信号を取得することによってユーザ機器のカバレージ強化要求を獲得する。
【０１００】
基地局のいくつかのシステム信号を取得することによってユーザ機器のカバレージ強化要求を獲得した後、ユーザ機器は、さらに、基地局がユーザ機器の現在のカバレージ強化要求を決定するように、カバレージ強化要求を基地局に報告しなければならない。
【０１０１】
この時点で報告されるカバレージ強化要求が図３Ａに示されている第１のカバレージ強化要求である場合、カバレージ強化要求は直接報告され得ることに留意されたい。この時点で報告されるカバレージ強化要求が図３Ｂに示されている第２のカバレージ強化要求である場合、カバレージ強化要求は、以下のステップを実施することによって報告されなければならない。
【０１０２】
ユーザ機器が、第１の瞬間に、ランダムアクセスプロセスで第１のカバレージ強化要求を基地局に報告するステップであって、第１のカバレージ強化要求が第１の精度を有するステップと、ユーザ機器が、第１の瞬間の後の第２の瞬間に第１のメッセージを基地局に報告するステップであって、第１のメッセージが、第１のメッセージに基づいて第１のカバレージ強化要求を第２のカバレージ強化要求に調整するように基地局に命令するために使用され、第２のカバレージ強化要求が第２の精度を有し、また、第２の精度が第１の精度より高いステップ。
【０１０３】
詳細には、ユーザ機器は、ランダムアクセスプリアンブルシーケンスを送信する同じ時間の第１の瞬間に、第１のカバレージ強化要求を基地局に報告することができ、第１のカバレージ強化要求は、図３に示されている第１のカバレージ強化要求であってもよく、第１のカバレージ強化要求は第１の精度を有し、５ｄｂが、カバレージ強化要求を分類するためのレベルとして使用される。
【０１０４】
ユーザ機器が、第１の瞬間の後の第２の瞬間に第１のメッセージを基地局に報告するステップは、例えば、ランダムアクセスプロセスにおいてＭｓｇ３である第３のメッセージを使用することによって第１のメッセージを基地局に報告するステップであってもよく、第１のメッセージは、第１のカバレージ強化要求を第２のカバレージ強化要求に調整するインジケーション情報を含む。ユーザ機器は、別の新たに定義された専用メッセージを使用することによって第１のメッセージを基地局に報告することも可能であり、それは本明細書においては制限されないことは確かである。
【０１０５】
第２の瞬間に、ユーザ機器によって報告された第１のメッセージを受信した後、基地局は、第１のカバレージ強化要求を第２のカバレージ強化要求に調整することができ、第２のカバレージ強化要求は、図３Ｂに示されている第２のカバレージ強化要求であってもよく、第２のカバレージ強化要求は第２の精度を有し、また、１ｄｂが、カバレージ強化要求を分類するためのレベルとして使用される。
【０１０６】
実際のアプリケーションでは、第１のメッセージは、第１のカバレージ強化要求を第２のカバレージ強化要求に調整するための相対値を示すことができ、つまり第１のメッセージは、第１のカバレージ強化要求を調整して第２のカバレージ強化要求を獲得するようにユーザ機器に命令するために使用される。例えば第１の瞬間にユーザ機器によって報告される第１のカバレージ強化要求はレベル０にあり、また、第１のメッセージがカバレージ強化要求レベル２を示している場合、基地局は、ユーザ機器の第２のカバレージ強化要求がレベル０．２にあることを決定することができる。第１のメッセージは、第１のカバレージ強化要求を第２のカバレージ強化要求に調整するための絶対値をも示すことができることも確かであり、つまり第１のメッセージは、ユーザ機器の第２のカバレージ強化要求を直接示す。例えば第１の瞬間にユーザ機器によって報告される第１のカバレージ強化要求がレベル０にあっても、またはレベル１にあっても、いずれにせよ第１のメッセージがカバレージ強化要求レベル２を示している場合、基地局は、ユーザ機器の第２のカバレージ強化要求がレベル０．２にあることを決定することができる。
【０１０７】
上記部分から、ユーザ機器が第２のカバレージ強化要求を基地局に報告した後、基地局は、ユーザ機器のカバレージ強化要求が、その精度が第１のカバレージ強化要求の第１の精度より高い第２のカバレージ強化要求であることを決定し、かつ、第２のカバレージ強化要求に従ってユーザ機器と通信することができ、それにより資源の浪費をさらに低減することができることが分かる。
【０１０８】
ユーザ機器が第２のカバレージ強化要求を基地局に報告した後、ユーザ機器は、さらに、ユーザ機器が次のランダムアクセスプロセスに第２のカバレージ強化要求を使用し、例えば次の回のランダムアクセスプリアンブルシーケンスを送信する際に第２のカバレージ強化要求を使用することができるように、第２のカバレージ強化要求を記憶することができることは確かであるが、それは実際のアプリケーションでは本明細書においては制限されないことは確かであり、例えばデータチャネル信号を送信する際に、または制御チャネル信号を送信する際に第２のカバレージ強化要求をさらに使用することができる。詳細は、本明細書においては繰り返し説明されない。ユーザ機器が次のランダムアクセスプロセスにカバレージ強化要求を使用するように、基地局との通信にユーザ機器によって使用されるカバレージ強化要求が記憶される、という技術的解決法が使用されるため、ユーザ機器は、次のランダムアクセスプロセスにおけるユーザ機器のカバレージ強化要求を速やかに、かつ、正確に獲得することができ、それにより資源の浪費をさらに低減することが分かる。
【０１０９】
第２の方式では、ユーザ機器は、ユーザ機器のカバレージ強化要求を獲得するように、基地局によって配信されるカバレージ強化要求インジケーションメッセージを受信する。
【０１１０】
詳細には、ユーザ機器は、基地局が、ユーザ機器によって報告されたメッセージに従ってカバレージ強化要求インジケーションメッセージを生成することができるように、メッセージを基地局に報告し、かつ、生成したカバレージ強化要求インジケーションメッセージをユーザ機器に配信することができ、ユーザ機器は、ユーザ機器のカバレージ強化要求を獲得するように、カバレージ強化要求インジケーションメッセージを受信することができる。本明細書におけるカバレージ強化要求は、第１のカバレージ強化要求のみであってもよく、または第２のカバレージ強化要求を含むことも可能であり、それは本明細書においては制限されない。
【０１１１】
ユーザ機器によって基地局に報告されるメッセージは、いくつかの特定のアップリンク基準メッセージを含むことができ、また、メッセージは、基地局による測定、等々のためにのみ使用されるが、有用な情報の別のピースは報告されなくてもよく、それは本明細書においては制限されないことに留意されたい。
【０１１２】
詳細には、ユーザ機器は、第１の瞬間に、ランダムアクセスプリアンブルシーケンスを使用することによって第１のカバレージ強化要求を基地局に報告することができ、第１のカバレージ強化要求は第１の精度を有し、また、第１のカバレージ強化要求は、基地局が、第１の瞬間の後の第２の瞬間に、第１の瞬間と第２の瞬間の間の瞬間にユーザ機器によって報告されたメッセージに従って、ユーザ機器の第２のカバレージ強化要求を獲得し、かつ、第１のカバレージ強化要求を第２のカバレージ強化要求に調整するようにユーザ機器に命令するために使用されるカバレージ強化要求インジケーションメッセージを生成するように、図３Ａに示されている第１のカバレージ強化要求であってもよく、第２のカバレージ強化要求は第２の精度を有し、また、第２の精度は、第１のカバレージ強化要求の第１の精度より高い。第２のカバレージ強化要求は、図３Ｂに示されている第２のカバレージ強化要求であってもよい。
【０１１３】
実際のアプリケーションでは、ユーザ機器は、第１のカバレージ強化要求を報告しなくてもよいことは確かであり、その代わりに、基地局が、第１の瞬間の後の第２の瞬間に、第１の瞬間と第２の瞬間の間の瞬間にユーザ機器によって報告されたメッセージに従って、ユーザ機器の第２のカバレージ強化要求を獲得し、かつ、カバレージ強化要求インジケーションメッセージを生成することができるように、第１の瞬間からメッセージの報告を開始し、カバレージ強化要求インジケーションメッセージは、ユーザ機器のカバレージ強化要求が第２のカバレージ強化要求であることを示すことができる。第２のカバレージ強化要求は、図３Ｂに示されている第２のカバレージ強化要求であってもよい。ユーザ機器によって報告されたメッセージに従ってカバレージ強化要求インジケーションメッセージを生成する場合、基地局は、カバレージ強化要求インジケーションメッセージを生成するように、測定によって、また、第１の瞬間と第２の瞬間の間の瞬間に報告されたすべてのメッセージの代わりにいくつかのメッセージに従って、ユーザ機器によって要求されるカバレージ強化要求を学習することができることに留意されたい。詳細は、本明細書においては繰り返して説明されない。
【０１１４】
特定の実施態様プロセスでは、ユーザ機器は、ランダムアクセス応答（ＲＡＲ、Ｒａｎｄｏｍ  Ａｃｃｅｓｓ  Ｒｅｓｐｏｎｓｅ）メッセージを使用することによって基地局によって配信されるカバレージ強化要求インジケーションメッセージを受信することができる。
【０１１５】
例えば、図４を参照すると、図４は、本発明の実施形態によるランダムアクセス応答メッセージのフォーマットの略図である。図４に示されているように、個々のランダムアクセス応答メッセージは、１つの予約済み（Ｒ、Ｒｅｓｅｒｖｅｄ）ビットを含む。さらに図５を参照すると、ランダムアクセス応答メッセージを運ぶように構成された媒体アクセス制御プロトコルデータユニット（ＭＡＣ  ＰＤＵ、Ｍｅｄｉａ  Ａｃｃｅｓｓ  Ｃｏｎｔｒｏｌ  Ｐｒｏｔｏｃｏｌ  Ｄａｔａ  Ｕｎｉｔ）は、１つの媒体アクセス制御ヘッダ（ＭＡＣ  ｈｅａｄｅｒ）および複数のランダムアクセス応答メッセージを含む。１つの媒体アクセス制御ヘッダは、図６Ａに示されている複数の媒体アクセス制御サブヘッダ（ＭＡＣ  ｓｕｂｈｅａｄｅｒ）を含み、図６Ａに示されている媒体アクセス制御サブヘッダは、予約済み情報ビットを含んでおらず、図６Ｂに示されているせいぜい１つの媒体アクセス制御サブヘッダを含み、また、図６Ｂに示されている媒体アクセス制御サブヘッダは、２つの予約済み情報ビットを含む。
【０１１６】
図４、図５、図６Ａおよび６Ｂを同時に参照すると、１つの媒体アクセス制御プロトコルデータユニットがｎ個のランダムアクセス応答メッセージを含んでいる場合、媒体アクセス制御プロトコルデータユニット全体は、Ｍ個の予約済み情報ビットを含み、ｎ≦Ｍ≦ｎ＋２であり、ｎは１以上の整数であり、また、Ｍは正の整数である。
【０１１７】
基地局がランダムアクセス応答メッセージを使用することによってカバレージ強化要求をユーザ機器に転送する場合、以下の２つの方式が使用され得る。
【０１１８】
方式１：基地局は、ユーザ機器によって報告された第１のカバレージ強化要求に基づいてカバレージ強化要求インジケーションメッセージを配信し、カバレージ強化要求インジケーションメッセージは絶対値であってもよく、つまりユーザ機器の第１のカバレージ強化のレベル値に無関係に、カバレージ強化要求インジケーションメッセージは、ユーザ機器の第２のカバレージ強化要求を直接示す。例えばユーザ機器によって報告される第１のカバレージ強化要求がレベル０にあっても、またはレベル１にあっても、いずれにせよ基地局によって配信されたカバレージ強化要求インジケーションメッセージによって示された第２のカバレージ強化要求のレベルが５である場合、ユーザ機器は、カバレージ強化要求に従って、カバレージ強化レベルがレベル０．５であることを決定する。
【０１１９】
方式２：基地局は、ユーザ機器によって報告された第１のカバレージ強化要求に基づいてカバレージ強化要求インジケーションメッセージを配信し、カバレージ強化要求インジケーションメッセージは相対値であってもよく、つまりユーザ機器の第１のカバレージ強化のレベル値に無関係に、カバレージ強化要求インジケーションメッセージは、ユーザ機器の第２のカバレージ強化要求を直接示す。例えばユーザによって報告された第１のカバレージ強化要求がレベル１にあり、また、基地局によって配信されたカバレージ強化要求インジケーションメッセージが−２である場合、ユーザ機器は、第１のカバレージ強化要求およびカバレージ強化要求インジケーションメッセージに従って、ユーザ機器のカバレージ強化要求のレベルは、レベル１から２つのレベルを控除することによって獲得されるレベル０．４であることを決定することができ、また、基地局がレベル２を配信している場合、端末は、端末のカバレージ強化レベルは、レベル１に２つのレベルを加えることによって獲得されるレベル１．２であると見なす。この方式では、１ビットの情報ビットは、第２のレベルの２つの相対値を示すことができ、例えば０は、カバレージ強化レベルプラス（マイナス）１つのレベルを示し、また、１は、カバレージ強化レベルプラス（マイナス）２つのレベルを示す。また、１ビットの情報ビットは、カバレージ強化レベルの調整方向を示すことも可能であり、例えば基地局が０を配信している場合、端末は、端末のカバレージ強化レベルが１つのレベルだけ下方に調整されなければならないと見なし、また、基地局が１を配信している場合、端末は、端末のカバレージ強化レベルが１つのレベルだけ上方に調整されなければならないと見なす。
【０１２０】
特定の実施態様プロセスでは、１つの媒体アクセス制御ヘッダが図６Ｂに示されている１つの媒体アクセス制御サブヘッダを含んでいない場合、媒体アクセス制御プロトコルデータユニット全体は、ｎ個の予約済み情報ビットを含み、少なくとも１つの予約済み情報ビットが使用され得る。媒体アクセス制御プロトコルデータユニットが１つの予約済み情報ビットを含んでいる場合、カバレージ強化要求は、上で説明した方式１または方式２でユーザ機器に転送され得る。媒体アクセス制御プロトコルデータユニットがｎ個のランダムアクセス応答メッセージを含んでいる場合、媒体アクセス制御プロトコルデータユニットは、ｎ個の予約済み情報ビットを含む。ユーザ機器のカバレージ強化要求であり、また、ｎ個のランダムアクセス応答メッセージに対応しているカバレージ強化要求が同じであるかどうかにかかわらず、ｎ個の予約済み情報ビットは連帯的に使用され得る。例えば２つの予約済み情報ビットは、第２のカバレージ強化要求のレベルの４つの相対値または絶対値を示すことができ、または予約済み情報ビットのうちの１つは相対値の調整方向を示し、また、他の予約済み情報ビットは、カバレージ強化要求がユーザ機器に転送されるように、調整値を示すために使用される。予約済み情報ビットのより多くの事例に対しては、詳細は繰り返し説明されない。
【０１２１】
特定の実施態様プロセスでは、１つの媒体アクセス制御ヘッダが図６Ａに示されている１つの媒体アクセス制御サブヘッダを含んでいる場合、媒体アクセス制御プロトコルデータユニット全体は、ｎ＋２個の予約済み情報ビットを含み、少なくとも３つの予約済み情報ビットを連帯的に使用することによってカバレージ強化要求がユーザ機器に転送され得るように、少なくとも３つの予約済み情報ビットが使用され得る。特定のプロセスは、上記プロセスと同じであり、詳細は、本明細書においては繰り返し説明されない。
【０１２２】
ランダムアクセス応答メッセージの予約済み情報ビットを使用することによるユーザ機器へのカバレージ強化要求の転送に加えて、ランダムアクセス応答メッセージの新たに追加された情報ビットを使用することによってカバレージ強化要求がユーザ機器に転送され得ることは確かである。
【０１２３】
第２のカバレージ強化要求をユーザ機器に転送するために、基地局がカバレージ強化要求インジケーションメッセージをランダムアクセス応答メッセージに追加し、かつ、ランダムアクセス応答メッセージをユーザ機器に配信することは全く問題ではないことが分かる。ランダムアクセス応答メッセージを使用することによって基地局によって配信されるカバレージ強化要求インジケーションメッセージを受信した後、ユーザ機器は、カバレージ強化要求インジケーションメッセージに従ってカバレージ強化要求を獲得することができる。
【０１２４】
特定の実施態様プロセスでは、ユーザ機器が、ランダムアクセス応答メッセージを使用することによって基地局によって配信されるカバレージ強化要求インジケーションメッセージに従ってカバレージ強化要求を獲得した後、ユーザ機器は、さらに、ユーザ機器が次のランダムアクセスプロセスにカバレージ強化要求を使用するように、カバレージ強化要求を記憶することができ、カバレージ強化要求は、本明細書においては第１のカバレージ強化要求であっても、または第２のカバレージ強化要求であってもよく、それは本明細書においては制限されない。例えば、ユーザ機器は、ユーザ機器が次のランダムアクセスプロセスにおけるユーザ機器のカバレージ強化要求を速やかに、かつ、正確に決定するように、次の回のランダムアクセスプリアンブルシーケンスを送信する際にカバレージ強化要求を使用することができる。
【０１２５】
ユーザ機器のカバレージ強化要求がステップＳ１で獲得されると、本発明のこの実施形態で提供される情報処理方法におけるステップＳ２が実行され、つまりユーザ機器がカバレージ強化要求に従って基地局と通信する。
【０１２６】
ステップＳ２では、とりわけ、カバレージ強化要求がユーザ機器のカバレージ強化レベルを示しており、また、ユーザ機器および基地局が、異なるカバレージ強化レベルに対して使用されるカバレージ強化技術を予め定義している場合、ユーザ機器は、対応するカバレージ強化技術を使用することによって、また、カバレージ強化要求によって示されるカバレージ強化レベルに従って基地局と通信する。ステップＳ２におけるカバレージ強化要求は、ステップＳ１で説明した第１のカバレージ強化要求であっても、または第２のカバレージ強化要求であってもよく、それは本明細書においては制限されないことに留意されたい。
【０１２７】
例えばカバレージ強化要求が第１のレベルにある場合、カバレージ強化要求は、ユーザ機器のカバレージ強化レベルが第１のレベルであることを示すことができ、ユーザ機器および基地局によって予め定義され、かつ、第１のレベルに対して使用されるカバレージ強化技術が信号反復技術である場合、ユーザ機器は、カバレージ強化要求に対応する信号反復回数に従って基地局と通信する。
【０１２８】
信号反復技術を使用して、周波数領域資源上で、つまり複数の周波数領域資源上で同じ瞬間に同じ信号を送信するために反復が実施されることが可能であり、または時間領域資源上で、つまりユーザ機器が基地局と正確に通信することができるように、同じ周波数領域資源上で異なる瞬間（連続する瞬間であってもよい）に信号を繰り返し送信するために反復が実施されることが可能である。
【０１２９】
実際のアプリケーションでは、信号反復技術に加えて、カバレージ強化技術は、要求緩和技術、パワースペクトル密度ブースティング（ＰＳＤブースティング、Ｐｏｗｅｒ  Ｓｐｅｃｔｒｕｍ  Ｄｅｎｓｉｔｙ  ｂｏｏｓｔｉｎｇ）技術、パワーブースティング（ＰＢ、ｐｏｗｅｒ  ｂｏｏｓｔｉｎｇ）技術、等々を含むことができることは確かである。要求緩和技術は、ユーザ機器のランダムアクセスプロセスが成功しない場合、ユーザ機器が基地局と正確に通信することができるように、より多くの回数の試行がユーザ機器に許容されることを意味している。パワースペクトル密度ブースティング技術は、例えばメッセージを送信するために３つの資源がユーザ機器に割り当てられることを意味しているが、現在は１つの資源のみが送信のために使用されており、他の２つの資源はアイドル状態であり、この例では、３つの資源上で情報を送信するために元々使用されるパワーは、ユーザ機器が基地局と正確に通信することができるように、伝送パワーを１つの資源上で多くする目的を達成するように１つの資源上に集中化され、それにより送信を実施している。パワーブースティング技術は、例えば基地局が最初に信号をユーザ機器Ａおよびユーザ機器Ｂに同時に送信することを意味しているが、現在は基地局は信号をユーザ機器Ｂには送信せず、ユーザ機器が基地局と正確に通信することができるように、ユーザ機器Ａに送信される信号の伝送パワーを増すために、ユーザ機器に最初に送信される信号のパワーをユーザ機器Ａに送信される信号のパワーに重畳する。本発明のこの実施形態におけるカバレージ強化技術は、説明されているいくつかの技術に限定されず、または当業者によって使用され得る別の技術であってもよいことに留意されたい。
【０１３０】
つまり、ユーザ機器が同じである場合、ユーザ機器は、ユーザ機器が配置される環境の差に従って、また、環境におけるカバレージ強化要求に対応する信号反復回数に従って基地局と正確に通信する。ユーザ機器が異なる場合、ユーザ機器は、ユーザ機器のカバレージ強化要求に対応する信号反復回数に従って基地局と正確に通信する。
【０１３１】
特定の実施態様プロセスでは、ユーザ機器と基地局の間の通信の精度を保証するために、信号反復技術を使用することによって、異なるレベルの２つのカバレージ強化要求のための異なるカバレージ強化補償が獲得されなければならない場合、異なるレベルのカバレージ強化要求に対応する信号反復回数も異なっていなければならない。したがってカバレージ強化要求が第１のレベルにある場合、カバレージ強化要求に対応する信号反復回数は第１の値であり、例えば６であってもよく、カバレージ強化要求が第１のレベルより高い第２のレベルにある場合、第２のカバレージ強化要求に対応する信号反復回数は、第１の値より大きい第２の値であり、例えば７であってもよく、また、カバレージ強化要求が第１のレベルより低い第３のレベルにある場合、カバレージ強化要求に対応する信号反復回数は、第１の値より小さい第３の値であり、例えば５であってもよい。
【０１３２】
カバレージ強化要求が第１のレベルにある場合、カバレージ強化要求に対応する信号反復回数は第１の値であり、カバレージ強化要求が第１のレベルより高い第２のレベルにある場合、第２のカバレージ強化要求に対応する信号反復回数は、第１の値より大きい第２の値であり、また、カバレージ強化要求が第１のレベルより低い第３のレベルにある場合、カバレージ強化要求に対応する信号反復回数は、第１の値より小さい第３の値である、という技術的解決法が使用されるため、異なるレベルの２つのカバレージ強化要求に対応する信号反復回数が同じになることが回避され、それによりユーザ機器と基地局の間の通信の精度を保証することが分かる。
【０１３３】
特定の実施態様プロセスでは、カバレージ強化要求が規定されたレベルにあり、また、ユーザ機器と基地局の間の通信の状態が極めて良好である場合、信号反復技術は、ユーザ機器と基地局の間の正確な通信を保証するためには要求されない。したがって規定されたレベルのカバレージ強化要求に対応する信号反復回数は、０に設定されることが可能であり、詳細は、本明細書においては繰り返し説明されない。
【０１３４】
カバレージ強化要求が規定されたレベルにあり、また、ユーザ機器と基地局の間の通信の状態が極めて良好ではない場合、カバレージ強化技術を使用して、ユーザ機器と基地局の間の正確な通信が保証されなければならないことは確かである。しかしながら、ユーザ機器は、信号反復技術を除き、上で説明したカバレージ強化技術における別の技術のみを使用し、信号反復技術を使用することなく基地局と通信しなければならず、詳細は、本明細書においては繰り返し説明されない。本明細書において説明されている規定されたレベルは、上記部分における信号反復回数０に対応するカバレージ強化要求の規定されたレベルと同じであっても、または異なっていてもよいことに留意されたい。
【０１３５】
上記部分から、ユーザ機器がカバレージ強化要求を獲得し、かつ、カバレージ強化要求に従って基地局と通信する、という技術的解決法が使用されるため、ユーザ機器が基地局と正確に通信することを保証する場合、ユーザ機器は、獲得したカバレージ強化要求に従って基地局と正確に通信し、それは、基地局が、通信状態がより良好なユーザ機器と通信する際に、通信状態がより貧弱なユーザ機器と通信する際に追加される通信資源の同じ量を依然として追加する状況を回避し、それにより、基地局がユーザ機器と通信する際に存在する資源の浪費という従来技術の技術的な問題を解決し、かつ、資源の浪費を低減する技術的効果を実現することが分かる。
【０１３６】
特定の実施態様プロセスでは、ユーザ機器が次のランダムアクセスプロセスにおけるユーザ機器のカバレージ強化要求を速やかに、かつ、正確に獲得し、基地局との正確な通信を保証することができるように、ユーザ機器がカバレージ強化要求に従って基地局と通信した後、本発明のこの実施形態で提供される情報処理方法は、ユーザ機器が次のランダムアクセスプロセスにカバレージ強化要求を使用するように、ユーザ機器がカバレージ強化要求を記憶するステップをさらに含む。本明細書におけるカバレージ強化要求は、第１のカバレージ強化要求であっても、または第２のカバレージ強化要求であってもよく、それは本明細書においては制限されないことに留意されたい。
【０１３７】
例えば獲得したカバレージ強化要求に従って基地局と正確に通信した後、ユーザ機器は、次の回のランダムアクセスプロセスを開始する際にユーザ機器がカバレージ強化要求を直接使用するように、カバレージ強化要求を記憶する。例えば、ランダムアクセスプロセスを開始する際に、ユーザ機器は、ユーザ機器が基地局と正確に通信することを保証するために、記憶されているカバレージ強化要求を使用することによってランダムアクセスプリアンブルシーケンスを報告する。
【０１３８】
同じ発明着想に基づいて、本発明のこの実施形態の一態様は、さらにユーザ機器を提供する。図７Ａを参照すると、図７Ａは、本発明の実施形態によるユーザ機器の機能的モジュールの線図である。図７Ａに示されているように、ユーザ機器は、カバレージ強化要求を獲得するように構成された獲得ユニット７０１、およびカバレージ強化要求に従って基地局と通信するように構成された通信ユニット７０２を含む。
【０１３９】
特定の実施態様プロセスでは、ユーザ機器は記憶ユニットをさらに含み、記憶ユニットは、獲得ユニットがカバレージ強化要求を獲得した後、ユーザ機器が次のランダムアクセスプロセスにカバレージ強化要求を使用するように、カバレージ強化要求を記憶するように構成される。
【０１４０】
特定の実施態様プロセスでは、通信ユニット７０２は、獲得ユニット７０１がカバレージ強化要求を獲得した後、基地局がユーザ機器のカバレージ強化要求を決定するように、カバレージ強化要求を基地局に報告するようにさらに構成される。
【０１４１】
特定の実施態様プロセスでは、通信ユニット７０２は、とりわけ、第１の瞬間に、ランダムアクセスプロセスで、第１の精度を有する第１のカバレージ強化要求を基地局に報告し、かつ、第１の瞬間の後の第２の瞬間に第１のメッセージを基地局に報告するように構成され、第１のメッセージは、第１のメッセージに基づいて第１のカバレージ強化要求を第２のカバレージ強化要求に調整するように基地局に命令するために使用され、第２のカバレージ強化要求は第２の精度を有し、また、第２の精度は第１の精度より高い。
【０１４２】
特定の実施態様プロセスでは、ユーザ機器は、ユーザ機器が次のランダムアクセスプロセスに第２のカバレージ強化要求を使用するように、第２のカバレージ強化要求を記憶するように構成された記憶ユニットをさらに含む。
【０１４３】
特定の実施態様プロセスでは、獲得ユニット７０１は、とりわけ、基地局によって配信されるカバレージ強化要求インジケーションメッセージを受信し、かつ、カバレージ強化要求インジケーションメッセージに従ってカバレージ強化要求を獲得するように構成される。
【０１４４】
特定の実施態様プロセスでは、通信ユニット７０２は、さらに、獲得ユニット７０１が基地局によって配信されるカバレージ強化要求インジケーションメッセージを受信する前に、基地局がユーザ機器によって報告されたメッセージに従ってカバレージ強化要求インジケーションメッセージを生成するように、メッセージを基地局に報告するように構成される。
【０１４５】
特定の実施態様プロセスでは、通信ユニット７０２は、とりわけ、第１の瞬間に、ランダムアクセスプリアンブルシーケンスを使用することによって第１のカバレージ強化要求を基地局に報告するように構成され、第１のカバレージ強化要求は、基地局が、第１の瞬間の後の第２の瞬間に、第１の瞬間と第２の瞬間の間の瞬間にユーザ機器によって報告されたメッセージに従ってカバレージ強化要求インジケーションメッセージを生成するように、第１の精度を有し、カバレージ強化要求インジケーションメッセージは、第１のカバレージ強化要求を第２のカバレージ強化要求に調整するようにユーザ機器に命令するために使用され、第２のカバレージ強化要求は第２の精度を有し、また、第２の精度は第１の精度より高い。
【０１４６】
特定の実施態様プロセスでは、獲得ユニット７０１は、とりわけ、ランダムアクセス応答メッセージを使用することによって基地局によって配信されるカバレージ強化要求インジケーションメッセージを受信するように構成される。
【０１４７】
特定の実施態様プロセスでは、ユーザ機器は、獲得ユニット７０１デバイスがカバレージ強化要求インジケーションメッセージに従ってカバレージ強化要求を獲得した後、ユーザ機器が次のランダムアクセスプロセスにカバレージ強化要求を使用するように、カバレージ強化要求を記憶するように構成された記憶ユニットをさらに含む。
【０１４８】
特定の実施態様プロセスでは、通信ユニット７０２は、とりわけ、カバレージ強化要求に対応する信号反復回数に従って基地局と通信するように構成される。
【０１４９】
特定の実施態様プロセスでは、カバレージ強化要求が第１のレベルにある場合、カバレージ強化要求に対応する信号反復回数は第１の値であり、カバレージ強化要求が第１のレベルより高い第２のレベルにある場合、第２のカバレージ強化要求に対応する信号反復回数は、第１の値より大きい第２の値であり、また、カバレージ強化要求が第１のレベルより低い第３のレベルにある場合、カバレージ強化要求に対応する信号反復回数は、第１の値より小さい第３の値である。
【０１５０】
特定の実施態様プロセスでは、カバレージ強化要求が規定されたレベルにある場合、カバレージ強化要求に対応する信号反復回数は０である。
【０１５１】
特定の実施態様プロセスでは、カバレージ強化技術は、要求緩和技術、信号反復技術、パワースペクトル密度ブースティングおよびパワーブースティングを含み、カバレージ要求が規定されたレベルにある場合、通信ユニット７０２は、とりわけ、信号反復技術を除く、カバレージ強化技術における別の技術を使用することによって、カバレージ強化要求に従って基地局と通信するように構成される。
【０１５２】
さらに、図７Ｂを参照すると、図７Ｂは、本発明の実施形態によるユーザ機器のハードウェア実施態様の概念線図である。図７Ｂに示されているように、ユーザ機器は、カバレージ強化要求を獲得するように構成されたプロセッサ７１、およびカバレージ強化要求に従って基地局と通信するように構成されたトランシーバ７２を含む。
【０１５３】
特定の実施態様プロセスでは、ユーザ機器はメモリ７３をさらに含み、メモリ７３は、プロセッサ７１がカバレージ強化要求を獲得した後、ユーザ機器が次のランダムアクセスプロセスにカバレージ強化要求を使用するように、カバレージ強化要求を記憶するように構成される。
【０１５４】
引き続いて図７Ｂを参照すると、バスアーキテクチャ（バス７００によって表されている）が存在している。バス７００は、任意の量の相互接続されたバスおよびブリッジを含むことができ、また、バス７００は、プロセッサ７１によって表されている１または複数のプロセッサ、およびメモリ７３によって表されているメモリを含む様々なタイプの回路を一体にリンクしている。バス７００は、さらに、周辺デバイス、電圧調整器およびパワー管理回路などの様々な他のタイプの回路を一体にリンクすることができる。これらの様々な他のタイプの回路は、当分野で公に知られており、したがって本明細書においては、それ以上は説明されない。バスインタフェース７４は、様々な他の装置またはデバイスと伝送媒体上で通信するように構成されたユニットを提供するために、バス７００とトランシーバ７２の間のインタフェースを提供し、トランシーバ７２は、同じ構成要素または装置であってもよく、または受信機および送信機から連帯的に構成されることができ、それは本明細書においては制限されない。ユーザ機器は、さらに、ユーザ機器の特性に応じて、キーパッド、ディスプレイ、拡声器、マイクロホンおよびジョイスティックなどのユーザインタフェース７５を提供することができる。
【０１５５】
特定の実施態様プロセスでは、トランシーバ７２は、プロセッサ７１がカバレージ強化要求を獲得した後、基地局が情報処理ユーザ機器のカバレージ強化要求を決定するように、カバレージ強化要求を基地局に報告するようにさらに構成される。
【０１５６】
特定の実施態様プロセスでは、トランシーバ７２は、とりわけ、第１の瞬間に、ランダムアクセスプロセスで、第１の精度を有する第１のカバレージ強化要求を基地局に報告し、かつ、第１の瞬間の後の第２の瞬間に第１のメッセージを基地局に報告するように構成され、第１のメッセージは、第１のメッセージに基づいて第１のカバレージ強化要求を第２のカバレージ強化要求に調整するように基地局に命令するために使用され、第２のカバレージ強化要求は第２の精度を有し、また、第２の精度は第１の精度より高い。
【０１５７】
特定の実施態様プロセスでは、ユーザ機器はメモリ７３をさらに含み、メモリ７３は、ユーザ機器が次のランダムアクセスプロセスに第２のカバレージ強化要求を使用するように、第２のカバレージ強化要求を記憶するように構成される。
【０１５８】
特定の実施態様プロセスでは、プロセッサ７１は、とりわけ、基地局によって配信されるカバレージ強化要求インジケーションメッセージを受信し、かつ、カバレージ強化要求インジケーションメッセージに従ってカバレージ強化要求を獲得するように構成される。
【０１５９】
特定の実施態様プロセスでは、トランシーバ７２は、プロセッサ７１が基地局によって配信されるカバレージ強化要求インジケーションメッセージを受信する前に、基地局がユーザ機器によって報告されたメッセージに従ってカバレージ強化要求インジケーションメッセージを生成するように、メッセージを基地局に報告するようにさらに構成される。
【０１６０】
特定の実施態様プロセスでは、トランシーバ７２は、とりわけ、第１の瞬間に、ランダムアクセスプリアンブルシーケンスを使用することによって第１のカバレージ強化要求を基地局に報告するように構成され、第１のカバレージ強化要求は、基地局が、第１の瞬間の後の第２の瞬間に、第１の瞬間と第２の瞬間の間の瞬間にユーザ機器によって報告されたメッセージに従ってカバレージ強化要求インジケーションメッセージを生成するように、第１の精度を有し、カバレージ強化要求インジケーションメッセージは、第１のカバレージ強化要求を第２のカバレージ強化要求に調整するようにユーザ機器に命令するために使用され、第２のカバレージ強化要求は第２の精度を有し、また、第２の精度は第１の精度より高い。
【０１６１】
特定の実施態様プロセスでは、プロセッサ７１は、とりわけ、ランダムアクセス応答メッセージを使用することによって基地局によって配信されるカバレージ強化要求インジケーションメッセージを受信するように構成される。
【０１６２】
特定の実施態様プロセスでは、ユーザ機器はメモリ７３をさらに含み、メモリ７３は、プロセッサ７１がカバレージ強化要求インジケーションメッセージに従ってカバレージ強化要求を獲得した後、ユーザ機器が次のランダムアクセスプロセスにカバレージ強化要求を使用するように、カバレージ強化要求を記憶するように構成される。
【０１６３】
特定の実施態様プロセスでは、トランシーバ７２は、とりわけ、カバレージ強化要求に対応する信号反復回数に従って基地局と通信するように構成される。
【０１６４】
特定の実施態様プロセスでは、カバレージ強化要求が第１のレベルにある場合、カバレージ強化要求に対応する信号反復回数は第１の値であり、カバレージ強化要求が第１のレベルより高い第２のレベルにある場合、第２のカバレージ強化要求に対応する信号反復回数は、第１の値より大きい第２の値であり、また、カバレージ強化要求が第１のレベルより低い第３のレベルにある場合、カバレージ強化要求に対応する信号反復回数は、第１の値より小さい第３の値である。
【０１６５】
特定の実施態様プロセスでは、カバレージ強化要求が規定されたレベルにある場合、カバレージ強化要求に対応する信号反復回数は０である。
【０１６６】
特定の実施態様プロセスでは、カバレージ強化技術は、要求緩和技術、信号反復技術、パワースペクトル密度ブースティングおよびパワーブースティングを含み、カバレージ要求が規定されたレベルにある場合、トランシーバ７２は、とりわけ、信号反復技術を除く、カバレージ強化技術における別の技術を使用することによって、カバレージ強化要求に従って基地局と通信するように構成される。
【０１６７】
この実施形態におけるユーザ機器および上記部分における報処理方法は、同じ発明着想に基づく２つの態様であり、方法の実施態様プロセスは、上記部分で詳細に説明され、したがって従来技術の技術者は、上記説明に従って、この実施形態におけるユーザ機器の構造および実施態様プロセスを明確に理解することができる。本明細書を簡潔にするために、詳細は、本明細書においては繰り返し説明されない。
【０１６８】
実施形態１は、ユーザ機器側における本発明の実施形態の技術的解決法を説明したものであり、また、以下の実施形態２は、基地局側における本発明の実施形態の技術的解決法を説明したものである。
実施形態２
【０１６９】
図８を参照すると、本発明のこの実施形態は、さらに、情報処理方法を提供する。図８に示されているように、情報処理方法は、
【０１７０】
Ｓ１：基地局がユーザ機器のカバレージ強化要求を獲得することと、
【０１７１】
Ｓ２：基地局がカバレージ強化要求に従ってユーザ機器と通信することと
を含む。
【０１７２】
ステップＳ１で基地局は、以下の部分で個別に説明される２つの方式でユーザ機器のカバレージ強化要求を獲得することができる。
【０１７３】
方式１：
【０１７４】
基地局は、第１の瞬間に、ユーザ機器によってランダムアクセスプロセスで基地局に報告される、第１の精度を有する第１のカバレージ強化要求を受信し、また、基地局は、第１の瞬間の後の第２の瞬間に、ユーザ機器によって報告される第１のメッセージを受信し、かつ、第１のメッセージに従って第１のカバレージ強化要求を第２のカバレージ強化要求に調整し、第２のカバレージ強化要求は第２の精度を有し、また、第２の精度は第１の精度より高い。方式１の特定のプロセスは、実施形態１で詳細に説明されており、したがって方式１の特定のプロセスについては、実施形態１における対応する部分が参照され、詳細は、本明細書においては繰り返し説明されない。
【０１７５】
方式２：基地局は、ユーザ機器によって報告されたメッセージに従ってユーザ機器のカバレージ強化要求を獲得する。
【０１７６】
詳細には、方式２は、以下を含むことができる。
【０１７７】
基地局は、第１の瞬間に、ランダムアクセスプリアンブルシーケンスを使用することによってユーザ機器によって報告される、第１の精度を有する第１のカバレージ強化要求を受信し、また、基地局は、第１の瞬間の後の第２の瞬間に、第１の瞬間と第２の瞬間の間の瞬間にユーザ機器によって報告されたメッセージに従ってユーザ機器の第２のカバレージ強化要求を獲得し、かつ、カバレージ強化要求インジケーションメッセージを生成し、カバレージ強化要求インジケーションメッセージは、第１のカバレージ強化要求を第２のカバレージ強化要求に調整するようにユーザ機器に命令するために使用され、第２のカバレージ強化要求は第２の精度を有し、また、第２の精度は第１の精度より高い。
【０１７８】
方式２の特定のプロセスは、実施形態１で詳細に説明されており、したがって方式２の特定のプロセスについては、実施形態１における対応する部分が参照され、詳細は、本明細書においては繰り返し説明されない。
【０１７９】
特定の実施態様プロセスでは、ユーザ機器が基地局によって獲得されるカバレージ強化要求を決定することができるように、基地局が、第１の瞬間と第２の瞬間の間の瞬間にユーザ機器によって報告されたメッセージに従ってカバレージ強化要求インジケーションメッセージを生成した後、本発明のこの実施形態で提供される方法は、基地局がカバレージ強化要求インジケーションメッセージをユーザ機器に配信するステップをさらに含むことができる。
【０１８０】
特定の実施態様プロセスでは、基地局は、ランダムアクセス応答メッセージを使用することによってカバレージ強化要求インジケーションメッセージをユーザ機器に配信する。
【０１８１】
ランダムアクセス応答メッセージを使用することによって基地局によってカバレージ強化要求インジケーションメッセージをユーザ機器に配信する特定のプロセスは、実施形態１で詳細に説明されており、詳細は、本明細書においては繰り返し説明されない。
【０１８２】
特定の実施態様プロセスでは、基地局がユーザ機器のカバレージ強化要求を獲得し、かつ、カバレージ強化要求インジケーションメッセージを使用することによってカバレージ強化要求をユーザ機器に配信した後、カバレージ強化要求が、ユーザ機器によって使用されるカバレージ強化技術が信号反復技術であることを示している場合、基地局は、カバレージ強化要求に対応する信号反復回数に従ってユーザ機器と通信することができ、詳細は、本明細書においては繰り返し説明されない。
【０１８３】
特定の実施態様プロセスでは、カバレージ強化要求が第１のレベルにある場合、カバレージ強化要求に対応する信号反復回数は第１の値であり、カバレージ強化要求が第１のレベルより高い第２のレベルにある場合、第２のカバレージ強化要求に対応する信号反復回数は、第１の値より大きい第２の値であり、また、カバレージ強化要求が第１のレベルより低い第３のレベルにある場合、カバレージ強化要求に対応する信号反復回数は、第１の値より小さい第３の値である。
【０１８４】
特定の実施態様プロセスでは、カバレージ強化要求が規定されたレベルにある場合、カバレージ強化要求に対応する信号反復回数は０である。
【０１８５】
特定の実施態様プロセスでは、カバレージ強化技術は、要求緩和技術、信号反復技術、パワースペクトル密度ブースティングおよびパワーブースティングを含む。
【０１８６】
カバレージ要求が規定されたレベルにある場合、基地局がカバレージ強化要求に従ってユーザ機器と通信することは、とりわけ、基地局が、信号反復技術を除く、カバレージ強化技術における別の技術を使用することによって、カバレージ強化要求に従ってユーザ機器と通信することである。
【０１８７】
同じ発明着想に基づいて、本発明のこの実施形態の一態様は、さらに基地局を提供する。図９Ａを参照すると、図９Ａは、本発明の実施形態による基地局の機能的モジュールの線図である。図９Ａに示されているように、基地局は、ユーザ機器のカバレージ強化要求を獲得するように構成された獲得ユニット９０１、およびカバレージ強化要求に従ってユーザ機器と通信するように構成された通信ユニット９０２を含む。
【０１８８】
特定の実施態様プロセスでは、獲得ユニット９０１は、とりわけ、第１の瞬間に、ユーザ機器によってランダムアクセスプロセスで基地局に報告される、第１の精度を有する第１のカバレージ強化要求を受信し、また、第２の瞬間に、ユーザ機器によって報告される第１のメッセージを受信し、かつ、第１のメッセージに従って第１のカバレージ強化要求を第２のカバレージ強化要求に調整するように構成され、第２のカバレージ強化要求は第２の精度を有し、また、第２の精度は第１の精度より高い。
【０１８９】
特定の実施態様プロセスでは、獲得ユニット９０１は、とりわけ、ユーザ機器によって報告されたメッセージに従ってユーザ機器のカバレージ強化要求を獲得するように構成される。
【０１９０】
特定の実施態様プロセスでは、獲得ユニット９０１は、とりわけ、第１の瞬間に、ランダムアクセスプリアンブルシーケンスを使用することによってユーザ機器によって報告される、第１の精度を有する第１のカバレージ強化要求を受信し、また、第１の瞬間の後の第２の瞬間に、第１の瞬間と第２の瞬間の間の瞬間にユーザ機器によって報告されたメッセージに従って、ユーザ機器の第２のカバレージ強化要求を獲得し、かつ、カバレージ強化要求インジケーションメッセージを生成するように構成され、カバレージ強化要求インジケーションメッセージは、第１のカバレージ強化要求を第２のカバレージ強化要求に調整するようにユーザ機器に命令するために使用され、第２のカバレージ強化要求は第２の精度を有し、また、第２の精度は第１の精度より高い。
【０１９１】
特定の実施態様プロセスでは、通信ユニット９０２は、獲得ユニット９０１が、第１の瞬間と第２の瞬間の間の瞬間にユーザ機器によって報告されたメッセージに従ってカバレージ強化要求インジケーションメッセージを生成した後、カバレージ強化要求インジケーションメッセージをユーザ機器に配信するようにさらに構成される。
【０１９２】
特定の実施態様プロセスでは、通信ユニット９０２は、とりわけ、ランダムアクセス応答メッセージを使用することによってカバレージ強化要求インジケーションメッセージをユーザ機器に配信するように構成される。
【０１９３】
特定の実施態様プロセスでは、通信ユニット９０２は、とりわけ、カバレージ強化要求に対応する信号反復回数に従ってユーザ機器と通信するように構成される。
【０１９４】
特定の実施態様プロセスでは、カバレージ強化要求が第１のレベルにある場合、カバレージ強化要求に対応する信号反復回数は第１の値であり、カバレージ強化要求が第１のレベルより高い第２のレベルにある場合、第２のカバレージ強化要求に対応する信号反復回数は、第１の値より大きい第２の値であり、また、カバレージ強化要求が第１のレベルより低い第３のレベルにある場合、カバレージ強化要求に対応する信号反復回数は、第１の値より小さい第３の値である。
【０１９５】
特定の実施態様プロセスでは、カバレージ強化要求が規定されたレベルにある場合、カバレージ強化要求に対応する信号反復回数は０である。
【０１９６】
特定の実施態様プロセスでは、カバレージ強化技術は、要求緩和技術、信号反復技術、パワースペクトル密度ブースティングおよびパワーブースティングを含み、カバレージ要求が規定されたレベルにある場合、通信ユニット９０２は、とりわけ、信号反復技術を除く、カバレージ強化技術における別の技術を使用することによって、カバレージ強化要求に従ってユーザ機器と通信するように構成される。
【０１９７】
さらに図９Ｂを参照すると、図９Ｂは、本発明の実施形態による基地局のハードウェア実施態様の概念線図である。図９Ｂに示されているように、基地局は、ユーザ機器のカバレージ強化要求を獲得するように構成されたプロセッサ９１、およびカバレージ強化要求に従ってユーザ機器と通信するように構成されたトランシーバ９２を含む。
【０１９８】
引き続いて図９Ｂを参照すると、バスアーキテクチャ（バス９００によって表されている）が存在している。バス９００は、任意の量の相互接続されたバスおよびブリッジを含むことができ、また、バス９００は、プロセッサ９１によって表されている１または複数のプロセッサ、およびメモリ９３によって表されているメモリを含む様々なタイプの回路を一体にリンクしており、メモリ９３は、プロセッサ９１が操作を実施する際に使用されるデータを記憶するように構成され得る。バス９００は、さらに、周辺デバイス、電圧調整器およびパワー管理回路などの様々な他のタイプの回路を一体にリンクすることができる。これらの様々な他のタイプの回路は、当分野で公に知られており、したがって本明細書においては、それ以上は説明されない。バスインタフェース９４は、様々な他の装置またはデバイスと伝送媒体上で通信するように構成されたユニットを提供するために、バス９００とトランシーバ９２の間のインタフェースを提供し、トランシーバ９２は、同じ構成要素または装置であってもよく、または受信機および送信機から連帯的に構成されることができ、それは本明細書においては制限されない。ユーザ機器は、さらに、ユーザ機器の特性に応じて、キーパッド、ディスプレイ、拡声器、マイクロホンおよびジョイスティックなどのユーザインタフェース９５を提供することができる。
【０１９９】
特定の実施態様プロセスでは、プロセッサ９１は、とりわけ、第１の瞬間に、ユーザ機器によってランダムアクセスプロセスで基地局に報告される、第１の精度を有する第１のカバレージ強化要求を受信し、また、第２の瞬間に、ユーザ機器によって報告される第１のメッセージを受信し、かつ、第１のメッセージに従って第１のカバレージ強化要求を第２のカバレージ強化要求に調整するように構成され、第２のカバレージ強化要求は第２の精度を有し、また、第２の精度は第１の精度より高い。
【０２００】
特定の実施態様プロセスでは、プロセッサ９１は、とりわけ、ユーザ機器によって報告されたメッセージに従ってユーザ機器のカバレージ強化要求を獲得するように構成される。
【０２０１】
特定の実施態様プロセスでは、プロセッサ９１は、とりわけ、第１の瞬間に、ランダムアクセスプリアンブルシーケンスを使用することによってユーザ機器によって報告される、第１の精度を有する第１のカバレージ強化要求を受信し、また、第１の瞬間の後の第２の瞬間に、第１の瞬間と第２の瞬間の間の瞬間にユーザ機器によって報告されたメッセージに従って、ユーザ機器の第２のカバレージ強化要求を獲得し、かつ、カバレージ強化要求インジケーションメッセージを生成するように構成され、カバレージ強化要求インジケーションメッセージは、第１のカバレージ強化要求を第２のカバレージ強化要求に調整するようにユーザ機器に命令するために使用され、第２のカバレージ強化要求は第２の精度を有し、また、第２の精度は第１の精度より高い。
【０２０２】
特定の実施態様プロセスでは、トランシーバ９２は、プロセッサ９１が、第１の瞬間と第２の瞬間の間の瞬間にユーザ機器によって報告されたメッセージに従ってカバレージ強化要求インジケーションメッセージを生成した後、カバレージ強化要求インジケーションメッセージをユーザ機器に配信するようにさらに構成される。
【０２０３】
特定の実施態様プロセスでは、トランシーバ９２は、とりわけ、ランダムアクセス応答メッセージを使用することによってカバレージ強化要求インジケーションメッセージをユーザ機器に配信するように構成される。
【０２０４】
特定の実施態様プロセスでは、トランシーバ９２は、とりわけ、カバレージ強化要求に対応する信号反復回数に従ってユーザ機器と通信するように構成される。
【０２０５】
特定の実施態様プロセスでは、カバレージ強化要求が第１のレベルにある場合、カバレージ強化要求に対応する信号反復回数は第１の値であり、カバレージ強化要求が第１のレベルより高い第２のレベルにある場合、第２のカバレージ強化要求に対応する信号反復回数は、第１の値より大きい第２の値であり、また、カバレージ強化要求が第１のレベルより低い第３のレベルにある場合、カバレージ強化要求に対応する信号反復回数は、第１の値より小さい第３の値である。
【０２０６】
特定の実施態様プロセスでは、カバレージ強化要求が規定されたレベルにある場合、カバレージ強化要求に対応する信号反復回数は０である。
【０２０７】
特定の実施態様プロセスでは、カバレージ強化技術は、要求緩和技術、信号反復技術、パワースペクトル密度ブースティングおよびパワーブースティングを含み、カバレージ要求が規定されたレベルにある場合、トランシーバ９２は、とりわけ、信号反復技術を除く、カバレージ強化技術における別の技術を使用することによって、カバレージ強化要求に従ってユーザ機器と通信するように構成される。
【０２０８】
この実施形態における基地局および上記部分における情報処理方法は、同じ発明着想に基づく２つの態様であり、方法の実施態様プロセスは、上記部分で詳細に説明され、したがって従来技術の技術者は、上記説明に従って、この実施形態における情報処理装置の構造および実施態様プロセスを明確に理解することができる。本明細書を簡潔にするために、詳細は、本明細書においては繰り返し説明されない。
【０２０９】
本発明の１または複数の実施形態は、以下の技術的効果を実現することができる。
【０２１０】
１．ユーザ機器がカバレージ強化要求を獲得し、かつ、カバレージ強化要求に従って基地局と通信する、という技術的解決法が使用されるため、ユーザ機器が基地局と正確に通信することを保証する場合、ユーザ機器は、獲得したカバレージ強化要求に従って基地局と正確に通信し、それは、基地局が、通信状態がより良好なユーザ機器と通信する際に、通信状態がより貧弱なユーザ機器と通信する際に追加される通信資源の同じ量を依然として追加する状況を回避し、それにより、基地局がユーザ機器と通信する際に存在する資源の浪費という従来技術の技術的な問題を解決し、かつ、資源の浪費を低減する技術的効果を実現する。
【０２１１】
２．ユーザ機器が第２のカバレージ強化要求を基地局に報告した後、基地局は、ユーザ機器のカバレージ強化要求が、その精度が第１のカバレージ強化要求の第１の精度より高い第２のカバレージ強化要求であることを決定し、かつ、第２のカバレージ強化要求に従ってユーザ機器と通信することができ、それにより資源の浪費をさらに低減する。
【０２１２】
３．ユーザ機器が次のランダムアクセスプロセスにカバレージ強化要求を使用するように、基地局との通信にユーザ機器によって使用されるカバレージ強化要求が記憶される、という技術的解決法が使用されるため、ユーザ機器は、次のランダムアクセスプロセスにおけるユーザ機器のカバレージ強化要求を速やかに、かつ、正確に獲得することができ、それにより資源の浪費をさらに低減する。
【０２１３】
４．カバレージ強化要求が第１のレベルにある場合、カバレージ強化要求に対応する信号反復回数は第１の値であり、カバレージ強化要求が第１のレベルより高い第２のレベルにある場合、第２のカバレージ強化要求に対応する信号反復回数は、第１の値より大きい第２の値であり、また、カバレージ強化要求が第１のレベルより低い第３のレベルにある場合、カバレージ強化要求に対応する信号反復回数は、第１の値より小さい第３の値である、という技術的解決法が使用されるため、異なるレベルの２つのカバレージ強化要求に対応する信号反復回数が同じになることが回避され、それによりユーザ機器と基地局の間の通信の精度を保証する。
【０２１４】
当業者には、本発明の実施形態は、方法、システムまたはコンピュータプログラム製品として提供され得ることを理解されたい。したがって本発明は、ハードウェアのみの実施形態、ソフトウェアのみの実施形態、またはソフトウェアおよびハードウェアの組合せを使用した実施形態の形態を使用することができる。さらに、本発明は、コンピュータ使用可能プログラムコードを含む１または複数のコンピュータ使用可能記憶媒体（それらに限定されないが、ディスクメモリ、ＣＤ−ＲＯＭ、光メモリ、等々を含む）上で実現されるコンピュータプログラム製品の形態を使用することができる。
【０２１５】
本発明は、本発明の実施形態による方法、デバイス（システム）およびコンピュータプログラム製品のフローチャートおよび／またはブロック図を参照して説明されている。コンピュータプログラム命令を使用して、フローチャートおよび／またはブロック図における個々のプロセスおよび／または個々のブロック、ならびにフローチャートおよび／またはブロック図におけるプロセスおよび／またはブロックの組合せが実現され得ることを理解されたい。これらのコンピュータプログラム命令は、マシンを生成するための汎用コンピュータ、専用コンピュータ、組込み型プロセッサまたは任意の他のプログラマブルデータ処理デバイスのプロセッサのために提供されることができ、それによりコンピュータまたは任意の他のプログラマブルデータ処理デバイスのプロセッサによって実行される命令は、フローチャートにおける１または複数のプロセス、および／またはブロック図における１または複数のブロックにおける特定の機能を実現するための装置を生成する。
【０２１６】
これらのコンピュータプログラム命令は、特定の方式で動作するようにコンピュータまたは任意の他のプログラマブルデータ処理デバイスに命令することができるコンピュータ可読メモリにも記憶されることができ、したがってコンピュータ可読メモリに記憶された命令は、命令装置を含むアーチファクトを生成する。命令装置は、フローチャートにおける１または複数のプロセス、および／またはブロック図における１または複数のブロックにおける特定の機能を実現する。
【０２１７】
また、これらのコンピュータプログラム命令は、コンピュータまたは別のプログラマブルデータ処理デバイス上にロードされることも可能であり、したがって一連の操作およびステップがコンピュータまたは別のプログラマブルデバイス上で実施され、それによりコンピュータ実現処理を生成する。したがってコンピュータまたは別のプログラマブルデバイス上で実行される命令は、フローチャートにおける１または複数のプロセス、および／またはブロック図における１または複数のブロックにおける特定の機能を実現するためのステップを提供する。
【０２１８】
本発明のいくつかの好ましい実施形態が説明されたが、当業者は、それらが基本的な発明概念を一度学習すれば、これらの実施形態に変更および修正を加えることができる。したがって以下の特許請求の範囲には、好ましい実施形態をカバーするものとして解釈されるべきことが意図されており、すべての変更および修正は、本発明の範囲の範疇である。
【０２１９】
当業者は、本発明の実施形態の精神および範囲を逸脱することなく、本発明の実施形態に様々な修正および変化を加えることができることは明らかである。本発明には、それらが、以下の特許請求の範囲およびそれらの等価技術によって定義される保護の範囲の範疇であることを条件として、これらの修正および変化をカバーすることが意図されている。
【図１】
2018186555.tif 000003
【図２】
2018186555.tif 000004
【図３Ａ】
2018186555.tif 000005
【図３Ｂ】
2018186555.tif 000006
【図４】
2018186555.tif 000007
【図５】
2018186555.tif 000008
【図６Ａ】
2018186555.tif 000009
【図６Ｂ】
2018186555.tif 000010
【図７Ａ】
2018186555.tif 000011
【図７Ｂ】
2018186555.tif 000012
【図８】
2018186555.tif 000013
【図９Ａ】
2018186555.tif 000014
【図９Ｂ】
2018186555.tif 000015
【手続補正書】
【提出日】平成30年7月20日(2018.7.20)
【手続補正１】
【補正対象書類名】特許請求の範囲
【補正対象項目名】全文
【補正方法】変更
【補正の内容】
【特許請求の範囲】
【請求項１】
基地局によって実行される情報処理方法であって、
第１の瞬間に、ランダムアクセスシーケンスにおいてユーザ機器によって前記基地局に報告される第１のカバレージ強化要求を受信するステップであって、前記第１のカバレージ強化要求は第１の精度を有するステップと、
前記第１の瞬間と第２の瞬間の間の瞬間にメッセージを受信し、引き続いて前記第１の瞬間の後の第２の瞬間にカバレージ強化要求インジケーションメッセージを送信し、前記カバレージ強化要求インジケーションメッセージは、前記第１のカバレージ強化要求を第２のカバレージ強化要求に調整するように前記ユーザ機器に命令するために使用され、前記第２のカバレージ強化要求は第２の精度を有し、前記第２の精度は前記第１の精度より高いステップと
前記第２のカバレージ強化要求に従って前記ユーザ機器と通信するステップと
を含むことを特徴とする情報処理方法。
【請求項２】
前記第２のカバレージ強化要求に従って前記ユーザ機器と通信するステップは、さらに、
前記第２のカバレージ強化要求に対応する信号反復回数に従って前記ユーザ機器と通信するステップ
を含むことを特徴とする請求項１に記載の方法。
【請求項３】
基地局であって、
プロセッサと、
前記プロセッサに結合され、前記プロセッサによる実行のためのプログラム命令を記録した非一時的コンピュータ可読記録媒体を含み、前記プログラム命令は前記プロセッサに、
第１の瞬間に、ランダムアクセスシーケンスにおいてユーザ機器によって前記基地局に報告される第１のカバレージ強化要求を受信するステップであって、前記第１のカバレージ強化要求は第１の精度を有するステップと、
前記第１の瞬間と第２の瞬間の間の瞬間にメッセージを受信し、引き続いて前記第１の瞬間の後の第２の瞬間にカバレージ強化要求インジケーションメッセージを送信し、前記カバレージ強化要求インジケーションメッセージは、前記第１のカバレージ強化要求を第２のカバレージ強化要求に調整するように前記ユーザ機器に命令するために使用され、前記第２のカバレージ強化要求は第２の精度を有し、前記第２の精度は前記第１の精度より高いステップと
前記第２のカバレージ強化要求に従って前記ユーザ機器と通信するステップと
を命令することを特徴とする基地局。
【請求項４】
前記プログラム命令は前記プロセッサに、さらに、
前記第２のカバレージ強化要求に対応する信号反復回数に従って前記ユーザ機器と通信するステップ
を命令することを特徴とする請求項３に記載の基地局。
【請求項５】
ユーザ機器（ＵＥ）であって、
プロセッサと、
前記プロセッサに結合され、前記プロセッサによる実行のためのプログラム命令を記録した非一時的コンピュータ可読記録媒体を含み、前記プログラム命令は前記プロセッサに、
第１の瞬間に、ランダムアクセスシーケンスにより基地局に第１のカバレージ強化要求を報告するステップであって、前記第１のカバレージ強化要求は第１の精度を有するステップと、
前記第１の瞬間と第２の瞬間の間の瞬間にメッセージを前記基地局に報告し、引き続いて前記第１の瞬間の後の第２の瞬間にカバレージ強化要求インジケーションメッセージを、前記第１の瞬間と第２の瞬間の間の瞬間に前記ユーザ機器によって報告されたメッセージに従って受信し、前記カバレージ強化要求インジケーションメッセージは、前記第１のカバレージ強化要求を第２のカバレージ強化要求に調整するように前記ユーザ機器に命令するために使用され、前記第２のカバレージ強化要求は第２の精度を有し、前記第２の精度は前記第１の精度より高いステップと、
前記カバレージ強化要求インジケーションメッセージに従って前記第２のカバレージ強化要求を獲得するステップと、
前記第２のカバレージ強化要求に従って前記基地局と通信するステップと、
を命令することを特徴とするユーザ機器。
【請求項６】
前記プログラム命令は前記プロセッサに、さらに、
前記第２のカバレージ強化要求に対応する信号反復回数に従って前記基地局と通信するステップ
を命令することを特徴とする請求項５に記載のユーザ機器。
【請求項７】
プログラム命令を含む非一時的コンピュータ可読記録媒体であって、ユーザ機器（ＵＥ）のコンピュータによって実行されたときに前記コンピュータに、
第１の瞬間に、ランダムアクセスシーケンスにより基地局に第１のカバレージ強化要求を報告するステップであって、前記第１のカバレージ強化要求は第１の精度を有するステップと、
前記第１の瞬間と第２の瞬間の間の瞬間にメッセージを前記基地局に報告し、引き続いて前記第１の瞬間の後の第２の瞬間にカバレージ強化要求インジケーションメッセージを、前記第１の瞬間と第２の瞬間の間の瞬間に報告されたメッセージに従って受信し、前記カバレージ強化要求インジケーションメッセージは、前記第１のカバレージ強化要求を第２のカバレージ強化要求に調整するように前記ユーザ機器に命令するために使用され、前記第２のカバレージ強化要求は第２の精度を有し、前記第２の精度は前記第１の精度より高いステップと、
前記カバレージ強化要求インジケーションメッセージに従って前記第２のカバレージ強化要求を獲得するステップと、
前記第２のカバレージ強化要求に従って前記基地局と通信するステップと、
を実行させることを特徴とする非一時的コンピュータ可読記録媒体。
【請求項８】
前記プログラム命令は前記コンピュータに、さらに、
前記第２のカバレージ強化要求に対応する信号反復回数に従って前記基地局と通信するステップ
を実行させることを特徴とする請求項７に記載の非一時的コンピュータ可読記録媒体。
【請求項９】
プログラム命令を含む非一時的コンピュータ可読記録媒体であって、基地局のコンピュータによって実行されたときに前記コンピュータに、
第１の瞬間に、ランダムアクセスシーケンスによってユーザ機器によって前記基地局に報告される第１のカバレージ強化要求を受信するステップであって、前記第１のカバレージ強化要求は第１の精度を有するステップと、
前記第１の瞬間と第２の瞬間の間の瞬間にメッセージを受信し、引き続いて前記第１の瞬間の後の第２の瞬間にカバレージ強化要求インジケーションメッセージを送信し、
ここで、前記カバレージ強化要求インジケーションメッセージは、前記第１のカバレージ強化要求を第２のカバレージ強化要求に調整するように前記ユーザ機器に命令するために使用され、前記第２のカバレージ強化要求は第２の精度を有し、前記第２の精度は前記第１の精度より高いステップと
前記第２のカバレージ強化要求に従って前記ユーザ機器と通信するステップと
を実行させることを特徴とする非一時的コンピュータ可読記録媒体。
【請求項１０】
前記プログラム命令は前記コンピュータに、さらに、
前記第２のカバレージ強化要求に対応する信号反復回数に従って前記ユーザ機器と通信するステップ
を実行させることを特徴とする請求項９に記載の非一時的コンピュータ可読記録媒体。
【手続補正２】
【補正対象書類名】明細書
【補正対象項目名】全文
【補正方法】変更
【補正の内容】
【発明の詳細な説明】
【技術分野】
【０００１】
本発明は通信分野に関し、詳細には情報処理方法、ユーザ機器および基地局に関する。
【背景技術】
【０００２】
科学および技術の発展にともなって通信技術も急速に発展し、人々の生活をより便利にしている。
【０００３】
モノのインターネット（Ｔｈｅ  Ｉｎｔｅｒｎｅｔ  ｏｆ  Ｔｈｉｎｇｓ）が、そのような例として使用される。モノのインターネットとは、知覚、計算、実行および通信の特定の能力を有するユーザ機器（Ｕｓｅｒ  Ｅｑｕｉｐｍｅｎｔ、ＵＥ）を展開することによって物理世界に関する情報が取得されるネットワークを意味しており、基地局は、情報をネットワークに送信し、次に情報伝送、コーディネーションおよび処理が実現され、それにより人とモノの間、およびモノとモノの間の相互接続を実現する。したがってモノのインターネットは、スマートグリッド、知的農業、知的交通および環境検出などの様々な態様に適用されることができ、様々な態様で人々の生活に便宜を提供している。
【０００４】
ユーザ機器のハードウェアおよびソフトウェアの構成が互いに異なっており、また、ユーザ機器が配置される環境も互いに異なっているため、ユーザ機器が基地局と通信する通信状態も著しく異なる。詳細には、異なるユーザ機器が同じ環境の基地局と通信する場合であっても通信状態が異なることがあり、また、同じデバイスが異なる環境の基地局と通信する場合の通信状態も異なることがある。
【０００５】
現状では、ユーザ機器と基地局の間の正確な通信を保証するために、通常、基地局は、余分の通信資源を追加しており、例えば基地局と、基地局と通信しているユーザ機器との間の通信の精度を保証するために、伝送情報が繰り返し伝送されている。しかしながら、基地局が余分の通信資源を追加する場合、基地局と、基地局と通信する際の通信状態が最も貧弱であるユーザ機器との間の通信の精度が保証されることが必要であるが、通信状態がより良好である別のユーザ機器に対しては、基地局によって追加される余分の通信資源は、資源の浪費になる。
【０００６】
したがって、従来技術には、基地局がユーザ機器と通信する際の資源の浪費という技術的な問題が存在している。
【発明の概要】
【０００７】
本発明は、基地局がユーザ機器と通信する際に存在する資源の浪費という従来技術の技術的な問題を解決する情報処理方法、ユーザ機器および基地局を提供する。
【０００８】
第１の態様によれば、本発明は、ユーザ機器によってカバレージ強化要求を獲得するステップと、ユーザ機器によって、カバレージ強化要求に従って基地局と通信するステップとを含む情報処理方法を提供する。
【０００９】
第１の態様を参照すると、第１の可能実施態様方式では、ユーザ機器によってカバレージ強化要求を獲得するステップの後、方法は、ユーザ機器が次のランダムアクセスプロセスにカバレージ強化要求を使用するように、ユーザ機器によってカバレージ強化要求を記憶するステップをさらに含む。
【００１０】
第１の態様を参照すると、第２の可能実施態様方式では、ユーザ機器によってカバレージ強化要求を獲得するステップの後、方法は、基地局がユーザ機器のカバレージ強化要求を決定するように、ユーザ機器によってカバレージ強化要求を基地局に報告するステップをさらに含む。
【００１１】
第１の態様または第２の可能実施態様方式を参照すると、第３の可能実施態様方式では、ユーザ機器によってカバレージ強化要求を基地局に報告するステップは、とりわけ、ユーザ機器によって、第１の瞬間に、ランダムアクセスプロセスで第１のカバレージ強化要求を基地局に報告するステップであって、第１のカバレージ強化要求が第１の精度を有するステップと、ユーザ機器によって、第１の瞬間の後の第２の瞬間に第１のメッセージを基地局に報告するステップであって、第１のメッセージは、第１のメッセージに基づいて第１のカバレージ強化要求を第２のカバレージ強化要求に調整するように基地局に命令するために使用され、第２のカバレージ強化要求は第２の精度を有し、また、第２の精度は第１の精度より高いステップとを含む。
【００１２】
第１の態様または第３の可能実施態様方式を参照すると、第４の可能実施態様方式では、ユーザ機器によって第１のメッセージを基地局に報告するステップの後、方法は、ユーザ機器が次のランダムアクセスプロセスに第２のカバレージ強化要求を使用するように、ユーザ機器によって第２のカバレージ強化要求を記憶するステップをさらに含む。
【００１３】
第１の態様を参照すると、第５の可能実施態様方式では、ユーザ機器によってカバレージ強化要求を獲得するステップは、とりわけ、ユーザ機器によって、基地局によって配信されるカバレージ強化要求インジケーションメッセージを受信するステップと、ユーザ機器によって、カバレージ強化要求インジケーションメッセージに従ってカバレージ強化要求を獲得するステップとを含む。
【００１４】
第１の態様または第５の可能実施態様方式を参照すると、第６の可能実施態様方式では、ユーザ機器によって、基地局によって配信されるカバレージ強化要求インジケーションメッセージを受信するステップの前に、方法は、基地局がユーザ機器によって報告されたメッセージに従ってカバレージ強化要求インジケーションメッセージを生成するように、ユーザ機器によってメッセージを基地局に報告するステップをさらに含む。
【００１５】
第１の態様または第６の可能実施態様方式を参照すると、第７の可能実施態様方式では、基地局がユーザ機器によって報告されたメッセージに従ってカバレージ強化要求インジケーションメッセージを生成するように、ユーザ機器によってメッセージを基地局に報告するステップは、とりわけ、ユーザ機器によって、ランダムアクセスプリアンブルシーケンスを使用することによって第１のカバレージ強化要求を第１の瞬間に基地局に報告するステップを含み、第１のカバレージ強化要求は、基地局が、第１の瞬間の後の第２の瞬間に、第１の瞬間と第２の瞬間の間の瞬間にユーザ機器によって報告されたメッセージに従ってカバレージ強化要求インジケーションメッセージを生成するように、第１の精度を有し、カバレージ強化要求インジケーションメッセージは、第１のカバレージ強化要求を第２のカバレージ強化要求に調整するようにユーザ機器に命令するために使用され、第２のカバレージ強化要求は第２の精度を有し、また、第２の精度は第１の精度より高い。
【００１６】
第１の態様または第５の可能実施態様方式を参照すると、第８の可能実施態様方式では、ユーザ機器によって、基地局によって配信されるカバレージ強化要求インジケーションメッセージを受信するステップは、とりわけ、ユーザ機器によって、ランダムアクセス応答メッセージを使用することによって基地局によって配信されるカバレージ強化要求インジケーションメッセージを受信するステップである。
【００１７】
第１の態様または第５の可能実施態様方式を参照すると、第９の可能実施態様方式では、ユーザ機器によって、カバレージ強化要求インジケーションメッセージに従ってカバレージ強化要求を獲得するステップの後、方法は、ユーザ機器が次のランダムアクセスプロセスにカバレージ強化要求を使用するように、ユーザ機器によってカバレージ強化要求を記憶するステップをさらに含む。
【００１８】
第１の態様または第１の可能実施態様方式乃至第９の可能実施態様方式を参照すると、第１０の可能実施態様方式では、ユーザ機器によって、カバレージ強化要求に従って基地局と通信するステップは、とりわけ、ユーザ機器によって、カバレージ強化要求に対応する信号反復回数に従って基地局と通信するステップである。
【００１９】
第１の態様または第１０の可能実施態様方式を参照すると、第１１の可能実施態様方式では、カバレージ強化要求が第１のレベルである場合、カバレージ強化要求に対応する信号反復回数は第１の値であり、カバレージ強化要求が第１のレベルより高い第２のレベルにある場合、第２のカバレージ強化要求に対応する信号反復回数は、第１の値より大きい第２の値であり、また、カバレージ強化要求が第１のレベルより低い第３のレベルにある場合、カバレージ強化要求に対応する信号反復回数は、第１の値より小さい第３の値である。
【００２０】
第１の態様または第１１の可能実施態様方式を参照すると、第１２の可能実施態様方式では、カバレージ強化要求が規定されたレベルにある場合、カバレージ強化要求に対応する信号反復回数は０である。
【００２１】
第１の態様または第１の可能実施態様方式乃至第９の可能実施態様方式を参照すると、第１３の可能実施態様方式では、カバレージ強化技術は、要求緩和技術、信号反復技術、パワースペクトル密度ブースティングおよびパワーブースティングを含み、カバレージ要求が規定されたレベルにある場合、ユーザ機器によって、カバレージ強化要求に従って基地局と通信するステップは、とりわけ、ユーザ機器によって、信号反復技術を除く、カバレージ強化技術における別の技術を使用することによって、カバレージ強化要求に従って基地局と通信するステップである。
【００２２】
第２の態様によれば、本発明の実施形態は、さらに、基地局によってユーザ機器のカバレージ強化要求を獲得するステップと、基地局によって、カバレージ強化要求に従ってユーザ機器と通信するステップとを含む情報処理方法を提供する。
【００２３】
第２の態様を参照すると、第１の可能実施態様方式では、基地局によってユーザ機器のカバレージ強化要求を獲得するステップは、とりわけ、基地局によって、第１の瞬間に、ユーザ機器によってランダムアクセスプロセスで基地局に報告される第１のカバレージ強化要求を受信するステップであって、第１のカバレージ強化要求が第１の精度を有するステップと、基地局によって、第１の瞬間の後の第２の瞬間に、ユーザ機器によって報告される第１のメッセージを受信し、かつ、第１のメッセージに従って第１のカバレージ強化要求を第２のカバレージ強化要求に調整するステップであって、第２のカバレージ強化要求は第２の精度を有し、また、第２の精度は第１の精度より高いステップとを含む。
【００２４】
第２の態様を参照すると、第２の可能実施態様方式では、基地局によってユーザ機器のカバレージ強化要求を獲得するステップは、とりわけ、基地局によって、ユーザ機器によって報告されるメッセージに従ってユーザ機器のカバレージ強化要求を獲得するステップを含む。
【００２５】
第２の態様または第２の可能実施態様方式を参照すると、第３の可能実施態様方式では、基地局によって、ユーザ機器によって報告されるメッセージに従ってユーザ機器のカバレージ強化要求を獲得するステップは、とりわけ、基地局によって、第１の瞬間に、ランダムアクセスプリアンブルシーケンスを使用することによってユーザ機器によって報告される第１のカバレージ強化要求を受信するステップであって、第１のカバレージ強化要求は第１の精度を有するステップと、第１の瞬間の後の第２の瞬間に、第１の瞬間と第２の瞬間の間の瞬間にユーザ機器によって報告されたメッセージに従って、基地局によってユーザ機器の第２のカバレージ強化要求を獲得し、かつ、カバレージ強化要求インジケーションメッセージを生成するステップであって、カバレージ強化要求インジケーションメッセージは、第１のカバレージ強化要求を第２のカバレージ強化要求に調整するようにユーザ機器に命令するために使用され、第２のカバレージ強化要求は第２の精度を有し、また、第２の精度は第１の精度より高いステップとを含む。
【００２６】
第２の態様または第３の可能実施態様方式を参照すると、第４の可能実施態様方式では、基地局によって、第１の瞬間と第２の瞬間の間の瞬間にユーザ機器によって報告されたメッセージに従ってカバレージ強化要求インジケーションメッセージを生成するステップの後、方法は、基地局によってカバレージ強化要求インジケーションメッセージをユーザ機器に配信するステップをさらに含む。
【００２７】
第２の態様または第４の可能実施態様方式を参照すると、第５の可能実施態様方式では、基地局によってカバレージ強化要求インジケーションメッセージをユーザ機器に配信するステップは、とりわけ、基地局によって、ランダムアクセス応答メッセージを使用することによってカバレージ強化要求インジケーションメッセージをユーザ機器に配信するステップである。
【００２８】
第２の態様または第１の可能実施態様方式乃至第５の可能実施態様方式を参照すると、第６の可能実施態様方式では、基地局によって、カバレージ強化要求に従ってユーザ機器と通信するステップは、とりわけ、基地局によって、カバレージ強化要求に対応する信号反復回数に従ってユーザ機器と通信するステップである。
【００２９】
第２の態様または第７の可能実施態様方式を参照すると、第７の可能実施態様方式では、カバレージ強化要求が第１のレベルにある場合、カバレージ強化要求に対応する信号反復回数は第１の値であり、カバレージ強化要求が第１のレベルより高い第２のレベルにある場合、第２のカバレージ強化要求に対応する信号反復回数は、第１の値以上の第２の値であり、また、カバレージ強化要求が第１のレベルより低い第３のレベルにある場合、カバレージ強化要求に対応する信号反復回数は、第１の値以下の第３の値である。
【００３０】
第２の態様または第８の可能実施態様方式を参照すると、第８の可能実施態様方式では、カバレージ強化要求が規定されたレベルにある場合、カバレージ強化要求に対応する信号反復回数は０である。
【００３１】
第２の態様または第１の可能実施態様方式乃至第５の可能実施態様方式を参照すると、第９の可能実施態様方式では、カバレージ強化技術は、要求緩和技術、信号反復技術、パワースペクトル密度ブースティングおよびパワーブースティングを含み、カバレージ要求が規定されたレベルにある場合、基地局によって、カバレージ強化要求に従ってユーザ機器と通信するステップは、とりわけ、基地局によって、信号反復技術を除く、カバレージ強化技術における別の技術を使用することによって、カバレージ強化要求に従ってユーザ機器と通信するステップである。
【００３２】
第３の態様によれば、本発明の実施形態は、さらに、カバレージ強化要求を獲得するように構成された獲得ユニットと、カバレージ強化要求に従って基地局と通信するように構成された通信ユニットとを含むユーザ機器を提供する。
【００３３】
第３の態様を参照すると、第１の可能実施態様方式では、ユーザ機器は記憶ユニットをさらに含み、記憶ユニットは、獲得ユニットがカバレージ強化要求を獲得した後、ユーザ機器が次のランダムアクセスプロセスにカバレージ強化要求を使用するように、カバレージ強化要求を記憶するように構成される。
【００３４】
第３の態様を参照すると、第２の可能実施態様方式では、通信ユニットは、獲得ユニットがカバレージ強化要求を獲得した後、基地局が情報処理ユーザ機器のカバレージ強化要求を決定するように、カバレージ強化要求を基地局に報告するようにさらに構成される。
【００３５】
第３の態様または第２の可能実施態様方式を参照すると、第３の可能実施態様方式では、通信ユニットは、とりわけ、第１の瞬間に、ランダムアクセスプロセスで、第１の精度を有する第１のカバレージ強化要求を基地局に報告し、かつ、第１の瞬間の後の第２の瞬間に第１のメッセージを基地局に報告するように構成され、第１のメッセージは、第１のメッセージに基づいて第１のカバレージ強化要求を第２のカバレージ強化要求に調整するように基地局に命令するために使用され、第２のカバレージ強化要求は第２の精度を有し、また、第２の精度は第１の精度より高い。
【００３６】
第３の態様または第３の可能実施態様方式を参照すると、第４の可能実施態様方式では、ユーザ機器は、ユーザ機器が次のランダムアクセスプロセスに第２のカバレージ強化要求を使用するように、第２のカバレージ強化要求を記憶するように構成された記憶ユニットをさらに含む。
【００３７】
第３の態様を参照すると、第５の可能実施態様方式では、獲得ユニットは、とりわけ、基地局によって配信されるカバレージ強化要求インジケーションメッセージを受信し、かつ、カバレージ強化要求インジケーションメッセージに従ってカバレージ強化要求を獲得するように構成される。
【００３８】
第３の態様または第５の可能実施態様方式を参照すると、第６の可能実施態様方式では、通信ユニットは、基地局によって配信されるカバレージ強化要求インジケーションメッセージを獲得ユニットが受信する前に、基地局がユーザ機器によって報告されたメッセージに従ってカバレージ強化要求インジケーションメッセージを生成するように、メッセージを基地局に報告するようにさらに構成される。
【００３９】
第３の態様または第６の可能実施態様方式を参照すると、第７の可能実施態様方式では、通信ユニットは、とりわけ、ランダムアクセスプリアンブルシーケンスを使用することによって、第１の瞬間に第１のカバレージ強化要求を基地局に報告するように構成され、第１のカバレージ強化要求は、基地局が、第１の瞬間の後の第２の瞬間に、第１の瞬間と第２の瞬間の間の瞬間にユーザ機器によって報告されたメッセージに従ってカバレージ強化要求インジケーションメッセージを生成するように、第１の精度を有し、カバレージ強化要求インジケーションメッセージは、第１のカバレージ強化要求を第２のカバレージ強化要求に調整するようにユーザ機器に命令するために使用され、第２のカバレージ強化要求は第２の精度を有し、また、第２の精度は第１の精度より高い。
【００４０】
第３の態様または第５の可能実施態様方式を参照すると、第８の可能実施態様方式では、獲得ユニットは、とりわけ、ランダムアクセス応答メッセージを使用することによって基地局によって配信されるカバレージ強化要求インジケーションメッセージを受信するように構成される。
【００４１】
第３の態様または第５の可能実施態様方式を参照すると、第９の可能実施態様方式では、ユーザ機器は、獲得ユニットデバイスがカバレージ強化要求インジケーションメッセージに従ってカバレージ強化要求を獲得した後、ユーザ機器が次のランダムアクセスプロセスにカバレージ強化要求を使用するように、カバレージ強化要求を記憶するように構成された記憶ユニットをさらに含む。
【００４２】
第３の態様または第１の可能実施態様方式乃至第９の可能実施態様方式を参照すると、第１０の可能実施態様方式では、通信ユニットは、とりわけ、カバレージ強化要求に対応する信号反復回数に従って基地局と通信するように構成される。
【００４３】
第３の態様または第１０の可能実施態様方式を参照すると、第１１の可能実施態様方式では、カバレージ強化要求が第１のレベルにある場合、カバレージ強化要求に対応する信号反復回数は第１の値であり、カバレージ強化要求が第１のレベルより高い第２のレベルにある場合、第２のカバレージ強化要求に対応する信号反復回数は、第１の値より大きい第２の値であり、また、カバレージ強化要求が第１のレベルより低い第３のレベルにある場合、カバレージ強化要求に対応する信号反復回数は、第１の値より小さい第３の値である。
【００４４】
第３の態様または第１１の可能実施態様方式を参照すると、第１２の可能実施態様方式では、カバレージ強化要求が規定されたレベルにある場合、カバレージ強化要求に対応する信号反復回数は０である。
【００４５】
第３の態様または第１の可能実施態様方式乃至第９の可能実施態様方式を参照すると、第１３の可能実施態様方式では、カバレージ強化技術は、要求緩和技術、信号反復技術、パワースペクトル密度ブースティングおよびパワーブースティングを含み、カバレージ要求が規定されたレベルにある場合、通信ユニットは、とりわけ、信号反復技術を除く、カバレージ強化技術における別の技術を使用することによって、カバレージ強化要求に従って基地局と通信するように構成される。
【００４６】
第４の態様によれば、本発明の実施形態は、さらに、ユーザ機器のカバレージ強化要求を獲得するように構成された獲得ユニットと、カバレージ強化要求に従ってユーザ機器と通信するように構成された通信ユニットとを含む基地局を提供する。
【００４７】
第４の態様を参照すると、第１の可能実施態様方式では、獲得ユニットは、とりわけ、第１の瞬間に、ユーザ機器によってランダムアクセスプロセスで基地局に報告される、第１の精度を有する第１のカバレージ強化要求を受信し、また、第２の瞬間に、ユーザ機器によって報告される第１のメッセージを受信し、かつ、第１のメッセージに従って第１のカバレージ強化要求を第２のカバレージ強化要求に調整するように構成され、第２のカバレージ強化要求は第２の精度を有し、また、第２の精度は第１の精度より高い。
【００４８】
第４の態様を参照すると、第２の可能実施態様方式では、獲得ユニットは、とりわけ、ユーザ機器によって報告されるメッセージに従ってユーザ機器のカバレージ強化要求を獲得するように構成される。
【００４９】
第４の態様または第２の可能実施態様方式を参照すると、第３の可能実施態様方式では、獲得ユニットは、とりわけ、第１の瞬間に、ランダムアクセスプリアンブルシーケンスを使用することによってユーザ機器によって報告される、第１の精度を有する第１のカバレージ強化要求を受信し、また、第１の瞬間の後の第２の瞬間に、第１の瞬間と第２の瞬間の間の瞬間にユーザ機器によって報告されたメッセージに従って、ユーザ機器の第２のカバレージ強化要求を獲得し、かつ、カバレージ強化要求インジケーションメッセージを生成するように構成され、カバレージ強化要求インジケーションメッセージは、第１のカバレージ強化要求を第２のカバレージ強化要求に調整するようにユーザ機器に命令するために使用され、第２のカバレージ強化要求は第２の精度を有し、また、第２の精度は第１の精度より高い。
【００５０】
第４の態様または第３の可能実施態様方式を参照すると、第４の可能実施態様方式では、通信ユニットは、獲得ユニットが、第１の瞬間と第２の瞬間の間の瞬間にユーザ機器によって報告されたメッセージに従ってカバレージ強化要求インジケーションメッセージを生成した後、カバレージ強化要求インジケーションメッセージをユーザ機器に配信するようにさらに構成される。
【００５１】
第４の態様または第４の可能実施態様方式を参照すると、第５の可能実施態様方式では、通信ユニットは、とりわけ、ランダムアクセス応答メッセージを使用することによってカバレージ強化要求インジケーションメッセージをユーザ機器に配信するように構成される。
【００５２】
第４の態様または第１の可能実施態様方式乃至第５の可能実施態様方式を参照すると、第６の可能実施態様方式では、通信ユニットは、とりわけ、カバレージ強化要求に対応する信号反復回数に従ってユーザ機器と通信するように構成される。
【００５３】
第４の態様または第７の可能実施態様方式を参照すると、第７の可能実施態様方式では、カバレージ強化要求が第１のレベルにある場合、カバレージ強化要求に対応する信号反復回数は第１の値であり、カバレージ強化要求が第１のレベルより高い第２のレベルにある場合、第２のカバレージ強化要求に対応する信号反復回数は、第１の値より大きい第２の値であり、また、カバレージ強化要求が第１のレベルより低い第３のレベルにある場合、カバレージ強化要求に対応する信号反復回数は、第１の値より小さい第３の値である。
【００５４】
第４の態様または第８の可能実施態様方式を参照すると、第８の可能実施態様方式では、カバレージ強化要求が規定されたレベルにある場合、カバレージ強化要求に対応する信号反復回数は０である。
【００５５】
第４の態様または第１の可能実施態様方式乃至第５の可能実施態様方式を参照すると、第９の可能実施態様方式では、カバレージ強化技術は、要求緩和技術、信号反復技術、パワースペクトル密度ブースティングおよびパワーブースティングを含み、カバレージ要求が規定されたレベルにある場合、通信ユニットは、とりわけ、信号反復技術を除く、カバレージ強化技術における別の技術を使用することによって、カバレージ強化要求に従ってユーザ機器と通信するように構成される。
【００５６】
第５の態様によれば、本発明の実施形態は、さらに、カバレージ強化要求を獲得するように構成されたプロセッサと、カバレージ強化要求に従って基地局と通信するように構成されたトランシーバとを含むユーザ機器を提供する。
【００５７】
第５の態様を参照すると、第１の可能実施態様方式では、ユーザ機器はメモリをさらに含み、メモリは、プロセッサがカバレージ強化要求を獲得した後、ユーザ機器が次のランダムアクセスプロセスにカバレージ強化要求を使用するように、カバレージ強化要求を記憶するように構成される。
【００５８】
第５の態様を参照すると、第２の可能実施態様方式では、トランシーバは、獲得ユニットがカバレージ強化要求を獲得した後、基地局が情報処理ユーザ機器のカバレージ強化要求を決定するように、カバレージ強化要求を基地局に報告するようにさらに構成される。
【００５９】
第５の態様または第２の可能実施態様方式を参照すると、第３の可能実施態様方式では、トランシーバは、とりわけ、第１の瞬間に、ランダムアクセスプロセスで、第１の精度を有する第１のカバレージ強化要求を基地局に報告し、かつ、第１の瞬間の後の第２の瞬間に第１のメッセージを基地局に報告するように構成され、第１のメッセージは、第１のメッセージに基づいて第１のカバレージ強化要求を第２のカバレージ強化要求に調整するように基地局に命令するために使用され、第２のカバレージ強化要求は第２の精度を有し、また、第２の精度は第１の精度より高い。
【００６０】
第５の態様または第３の可能実施態様方式を参照すると、第４の可能実施態様方式では、ユーザ機器はメモリをさらに含み、メモリは、ユーザ機器が次のランダムアクセスプロセスに第２のカバレージ強化要求を使用するように、第２のカバレージ強化要求を記憶するように構成される。
【００６１】
第５の態様を参照すると、第５の可能実施態様方式では、プロセッサは、とりわけ、基地局によって配信されるカバレージ強化要求インジケーションメッセージを受信し、かつ、カバレージ強化要求インジケーションメッセージに従ってカバレージ強化要求を獲得するように構成される。
【００６２】
第５の態様または第５の可能実施態様方式を参照すると、第６の可能実施態様方式では、トランシーバは、プロセッサが基地局によって配信されるカバレージ強化要求インジケーションメッセージを受信する前に、基地局がユーザ機器によって報告されたメッセージに従ってカバレージ強化要求インジケーションメッセージを生成するように、メッセージを基地局に報告するようにさらに構成される。
【００６３】
第５の態様または第６の可能実施態様方式を参照すると、第７の可能実施態様方式では、トランシーバは、とりわけ、第１の瞬間に、ランダムアクセスプリアンブルシーケンスを使用することによって第１のカバレージ強化要求を基地局に報告するように構成され、第１のカバレージ強化要求は、基地局が、第１の瞬間の後の第２の瞬間に、第１の瞬間と第２の瞬間の間の瞬間にユーザ機器によって報告されたメッセージに従ってカバレージ強化要求インジケーションメッセージを生成するように、第１の精度を有し、カバレージ強化要求インジケーションメッセージは、第１のカバレージ強化要求を第２のカバレージ強化要求に調整するようにユーザ機器に命令するために使用され、第２のカバレージ強化要求は第２の精度を有し、また、第２の精度は第１の精度より高い。
【００６４】
第５の態様または第５の可能実施態様方式を参照すると、第８の可能実施態様方式では、プロセッサは、とりわけ、ランダムアクセス応答メッセージを使用することによって基地局によって配信されるカバレージ強化要求インジケーションメッセージを受信するように構成される。
【００６５】
第５の態様または第５の可能実施態様方式を参照すると、第９の可能実施態様方式では、ユーザ機器はメモリをさらに含み、メモリは、プロセッサデバイスがカバレージ強化要求インジケーションメッセージに従ってカバレージ強化要求を獲得した後、ユーザ機器が次のランダムアクセスプロセスにカバレージ強化要求を使用するように、カバレージ強化要求を記憶するように構成される。
【００６６】
第５の態様または第１の可能実施態様方式乃至第９の可能実施態様方式を参照すると、第１０の可能実施態様方式では、トランシーバは、とりわけ、カバレージ強化要求に対応する信号反復回数に従って基地局と通信するように構成される。
【００６７】
第５の態様または第１０の可能実施態様方式を参照すると、第１１の可能実施態様方式では、カバレージ強化要求が第１のレベルにある場合、カバレージ強化要求に対応する信号反復回数は第１の値であり、カバレージ強化要求が第１のレベルより高い第２のレベルにある場合、第２のカバレージ強化要求に対応する信号反復回数は、第１の値より大きい第２の値であり、また、カバレージ強化要求が第１のレベルより低い第３のレベルにある場合、カバレージ強化要求に対応する信号反復回数は、第１の値より小さい第３の値である。
【００６８】
第５の態様または第１１の可能実施態様方式を参照すると、第１２の可能実施態様方式では、カバレージ強化要求が規定されたレベルにある場合、カバレージ強化要求に対応する信号反復回数は０である。
【００６９】
第５の態様または第１の可能実施態様方式乃至第９の可能実施態様方式を参照すると、第１３の可能実施態様方式では、カバレージ強化技術は、要求緩和技術、信号反復技術、パワースペクトル密度ブースティングおよびパワーブースティングを含み、カバレージ要求が規定されたレベルにある場合、トランシーバは、とりわけ、信号反復技術を除く、カバレージ強化技術における別の技術を使用することによって、カバレージ強化要求に従って基地局と通信するように構成される。
【００７０】
第６の態様によれば、本発明の実施形態は、さらに、ユーザ機器のカバレージ強化要求を獲得するように構成されたプロセッサと、カバレージ強化要求に従ってユーザ機器と通信するように構成されたトランシーバとを含む基地局を提供する。
【００７１】
第４の態様を参照すると、第１の可能実施態様方式では、プロセッサは、とりわけ、第１の瞬間に、ユーザ機器によってランダムアクセスプロセスで基地局に報告される、第１の精度を有する第１のカバレージ強化要求を受信し、また、第２の瞬間に、ユーザ機器によって報告される第１のメッセージを受信し、かつ、第１のメッセージに従って第１のカバレージ強化要求を第２のカバレージ強化要求に調整するように構成され、第２のカバレージ強化要求は第２の精度を有し、また、第２の精度は第１の精度より高い。
【００７２】
第４の態様を参照すると、第２の可能実施態様方式では、プロセッサは、とりわけ、ユーザ機器によって報告されるメッセージに従ってユーザ機器のカバレージ強化要求を獲得するように構成される。
【００７３】
第４の態様または第２の可能実施態様方式を参照すると、第３の可能実施態様方式では、プロセッサは、とりわけ、第１の瞬間に、ランダムアクセスプリアンブルシーケンスを使用することによってユーザ機器によって報告される、第１の精度を有する第１のカバレージ強化要求を受信し、また、第１の瞬間の後の第２の瞬間に、第１の瞬間と第２の瞬間の間の瞬間にユーザ機器によって報告されたメッセージに従って、ユーザ機器の第２のカバレージ強化要求を獲得し、かつ、カバレージ強化要求インジケーションメッセージを生成するように構成され、カバレージ強化要求インジケーションメッセージは、第１のカバレージ強化要求を第２のカバレージ強化要求に調整するようにユーザ機器に命令するために使用され、第２のカバレージ強化要求は第２の精度を有し、また、第２の精度は第１の精度より高い。
【００７４】
第４の態様または第３の可能実施態様方式を参照すると、第４の可能実施態様方式では、トランシーバは、プロセッサが、第１の瞬間と第２の瞬間の間の瞬間にユーザ機器によって報告されたメッセージに従ってカバレージ強化要求インジケーションメッセージを生成した後、カバレージ強化要求インジケーションメッセージをユーザ機器に配信するようにさらに構成される。
【００７５】
第４の態様または第４の可能実施態様方式を参照すると、第５の可能実施態様方式では、トランシーバは、とりわけ、ランダムアクセス応答メッセージを使用することによってカバレージ強化要求インジケーションメッセージをユーザ機器に配信するように構成される。
【００７６】
第４の態様または第１の可能実施態様方式乃至第５の可能実施態様方式を参照すると、第６の可能実施態様方式では、トランシーバは、とりわけ、カバレージ強化要求に対応する信号反復回数に従ってユーザ機器と通信するように構成される。
【００７７】
第４の態様または第７の可能実施態様方式を参照すると、第７の可能実施態様方式では、カバレージ強化要求が第１のレベルにある場合、カバレージ強化要求に対応する信号反復回数は第１の値であり、カバレージ強化要求が第１のレベルより高い第２のレベルにある場合、第２のカバレージ強化要求に対応する信号反復回数は、第１の値より大きい第２の値であり、また、カバレージ強化要求が第１のレベルより低い第３のレベルにある場合、カバレージ強化要求に対応する信号反復回数は、第１の値より小さい第３の値である。
【００７８】
第４の態様または第８の可能実施態様方式を参照すると、第８の可能実施態様方式では、カバレージ強化要求が規定されたレベルにある場合、カバレージ強化要求に対応する信号反復回数は０である。
【００７９】
第４の態様または第１の可能実施態様方式乃至第５の可能実施態様方式を参照すると、第９の可能実施態様方式では、カバレージ強化技術は、要求緩和技術、信号反復技術、パワースペクトル密度ブースティングおよびパワーブースティングを含み、カバレージ要求が規定されたレベルにある場合、トランシーバは、とりわけ、信号反復技術を除く、カバレージ強化技術における別の技術を使用することによって、カバレージ強化要求に従ってユーザ機器と通信するように構成される。
【発明の効果】
【００８０】
本発明の有益な効果は以下の通りである。
【００８１】
ユーザ機器がカバレージ強化要求を獲得し、かつ、カバレージ強化要求に従って基地局と通信する、という技術的解決法が使用されるため、ユーザ機器が基地局と正確に通信することを保証する場合、ユーザ機器は、獲得したカバレージ強化要求に従って基地局と正確に通信し、それは、基地局が、通信状態がより良好なユーザ機器と通信する際に、通信状態がより貧弱なユーザ機器と通信する際に追加される通信資源の同じ量を依然として追加する状況を回避し、それにより、基地局がユーザ機器と通信する際に存在する資源の浪費という従来技術の技術的な問題を解決し、かつ、資源の浪費を低減する技術的効果を実現する。
【図面の簡単な説明】
【００８２】
【図１】本発明の実施形態による、複数のユーザ機器と基地局の間の通信の略図である。
【図２】本発明の実施形態による、ユーザ機器側の情報処理方法のフローチャートである。
【図３Ａ】本発明の実施形態による第１のカバレージ強化要求のレベル分類の略図である。
【図３Ｂ】本発明の実施形態による第２のカバレージ強化要求のレベル分類の略図である。
【図４】本発明の実施形態によるランダムアクセス応答メッセージのフォーマットの略図である。
【図５】本発明の実施形態による媒体アクセス制御プロトコルデータユニットの構造の略図である。
【図６Ａ】本発明の実施形態による媒体アクセス制御サブヘッダの略構造的線図である。
【図６Ｂ】本発明の実施形態による別の媒体アクセス制御サブヘッダの略構造的線図である。
【図７Ａ】本発明の実施形態によるユーザ機器の機能的モジュールの線図である。
【図７Ｂ】本発明の実施形態によるユーザ機器のハードウェア実施態様の概念線図である。
【図８】本発明の実施形態による基地局側の情報処理方法のフローチャートである。
【図９Ａ】本発明の実施形態による基地局の機能的モジュールの線図である。
【図９Ｂ】本発明の実施形態による基地局のハードウェア実施態様の概念線図である。
【発明を実施するための形態】
【００８３】
本発明は、基地局がユーザ機器と通信する際に存在する資源の浪費という従来技術の技術的な問題を解決する情報処理方法、ユーザ機器および基地局を提供する。
【００８４】
本発明の実施形態の目的、技術的解決法および利点をより明確にするために、以下、本発明の実施形態における添付の図面を参照して、本発明の実施形態における技術的解決法を明確に、かつ、完全に説明する。明らかに、説明される実施形態は、本発明の実施形態の一部であり、すべてではない。創造的な努力を必要とすることなく、本発明の実施形態に基づいて当業者によって獲得されるすべての他の実施形態は、本発明の保護範囲の範疇であるものとする。
【００８５】
本明細書における「および／または」という用語は、関連する対象を記述するための関連関係を記述しているにすぎず、３つの関係が存在し得ることを表している。例えばＡおよび／またはＢは、Ａのみが存在する場合、ＡおよびＢの両方が存在する場合、およびＢのみが存在する場合の３つの場合を表すことができる。さらに、本明細書における「／」という文字は、一般に、関連する対象と対象の間の「または」関係を示している。
【００８６】
以下、本発明の好ましい実施態様方式について、添付の図面を参照して詳細に説明する。
実施形態１
【００８７】
図１を参照すると、図１は、本発明の実施形態による、複数のユーザ機器と基地局の間の通信の略図である。
【００８８】
第１の態様によれば、ユーザ機器側では、本発明のこの実施形態は情報処理方法を提供する。図２を参照すると、図２は、本発明の実施形態による情報処理方法のフローチャートである。図２に示されているように、方法は、
【００８９】
Ｓ１：ユーザ機器がカバレージ強化要求を獲得することと、
【００９０】
Ｓ２：ユーザ機器がカバレージ強化要求に従って基地局と通信することと
を含む。
【００９１】
ステップＳ１で、とりわけユーザ機器は、基地局によって間断なく配信されるダウンリンク基準信号などの基地局のいくつかのシステム信号を取得することによってユーザ機器のカバレージ強化要求を獲得することができ、またはユーザ機器は、基地局によって配信されるカバレージ強化要求インジケーションメッセージを受信することによってユーザ機器のカバレージ強化要求を獲得することができる。
【００９２】
この実施形態では、カバレージ強化要求は、基地局との通信のプロセスにユーザ機器によって要求されるカバレージ強化支持の範囲を意味しており、それは、サービスを獲得するためのユーザ機器によるネットワークへのアクセスをイネーブルすることができる。例えばカバレージ強化要求を使用して、カバレージ強化レベル、カバレージ強化レベルのインデックス、信号反復回数、信号反復回数のインデックス、カバレージ強化方法およびカバレージ強化方法のインデックスのうちの１または複数を示すことができる。実際のアプリケーションでは、カバレージ強化要求の表現方法は、本明細書においては制限されないことは確かであり、カバレージ強化要求を使用して、実際の状態の要求と一致させるために、実際の状態に応じて別のパラメータをも示すことが可能であり、詳細は、本明細書においては繰り返して説明されない。
【００９３】
特定の実施態様プロセスでは、カバレージ強化要求は、より低い精度を有する第１のカバレージ強化要求であっても、またはより高い精度を有する第２のカバレージ強化要求であってもよい。０ｄｂから１５ｄｂ上でカバレージ強化レベル分類を実施する例が使用される。図３Ａおよび図３Ｂを参照すると、図３Ａは、本発明の実施形態による第１のカバレージ強化要求のレベル分類の略図であり、また、図３Ｂは、本発明の実施形態による第２のカバレージ強化要求のレベル分類の略図である。
【００９４】
図３Ａに示されているように、第１のカバレージ強化要求の分類は、カバレージ強化レベルがレベル０である、経路損失≦５ｄＢ、カバレージ強化レベルがレベル１である、５ｄＢ＜経路損失≦１０ｄＢ、およびカバレージ強化レベルがレベル２である、経路損失＞１０ｄＢである。カバレージ強化技術が信号反復技術である例では、レベル０に対応する信号反復回数は５であってもよく、レベル１に対応する信号反復回数は１０であってもよく、また、レベル２に対応する信号反復回数は１５であってもよい。
【００９５】
図３Ｂに示されているように、第２のカバレージ強化要求の分類は、カバレージ強化レベルがレベル０．１である、経路損失≦１ｄＢ、カバレージ強化レベルがレベル０．２である、１ｄＢ＜経路損失≦２ｄＢ、カバレージ強化レベルがレベル０．３である、２ｄＢ＜経路損失≦３ｄＢ、カバレージ強化レベルがレベル０．４である、３ｄＢ＜経路損失≦４ｄＢ、カバレージ強化レベルがレベル０．５である、４ｄＢ＜経路損失≦５ｄＢ、…、およびカバレージ強化レベルがレベル２．５である、１４ｄＢ＜経路損失≦１５ｄＢである。カバレージ強化技術が信号反復技術である例では、レベル０．１に対応する信号反復回数は１であってもよく、レベル０．２に対応する信号反復回数は２であってもよく、レベル０．３に対応する信号反復回数は３であってもよく、レベル０．４に対応する信号反復回数は４であってもよく、レベル０．５に対応する信号反復回数は５であってもよく、…、また、レベル２．５に対応する信号反復回数は１５であってもよい。
【００９６】
第１のカバレージ強化要求の個々のレベルに対応する信号反復回数と、第２のカバレージ強化要求の個々のレベルに対応する信号反復回数とを比較することにより、第２のカバレージ強化要求のレベル分類のための精度がより高いため、第２のカバレージ強化要求がカバレージ強化要求として使用されると、カバレージ強化は、より目標が定められることが可能であり、資源の浪費がさらに低減され得ることが分かる。
【００９７】
しかしながら、ランダムアクセスプリアンブルがランダムアクセスプロセスで送信されている場合に第２のカバレージ強化要求が直接使用されると、ランダムアクセスプロセスにおけるユーザ機器間に生じる競合の確率が度を越して高くなる問題がもたらされる。詳細にはランダムアクセスプリアンブルシーケンスは、時間領域、周波数領域および符号分割の３つのタイプの資源を含む。符号分割の例が使用される。レベル分類が第１のカバレージ強化要求に従って実施される場合、すべての符号資源は３つの部分に分類される必要がある。ユーザ機器は、ユーザ機器の測定結果に従って適切な符号資源を選択してランダムアクセスプロセスを開始し、また、基地局は、受信した符号を使用することによって、ユーザ機器が属するカバレージ強化要求レベルを決定する。ランダムアクセスプロセスにおいて２つのユーザ機器によって使用される符号が同じである場合、２つのユーザのランダムアクセスプロセスが無効になることがある。これは、ランダムアクセスプロセスにおける競合の問題である。より特定のレベル分類がカバレージ強化要求に対して実施されると、符号資源を分類することによって獲得されるより多くのグループが存在し、また、個々のグループにはより少ない符号が存在し、グループに存在する符号資源がより少ない場合、グループ内のユーザ機器によって同じ符号を選択する確率がより高くなり、また、ユーザ機器の無効ランダムアクセスプロセスもより多く存在し、したがってランダムアクセスプロセスにおいて、グループ内のユーザ機器間に生じる競合の確率がより高くなる。
【００９８】
ユーザ機器によってカバレージ強化メッセージを獲得する２つの方式によれば、以下の部分は、とりわけ、ランダムアクセスプロセスにおいてユーザ機器間に生じる競合の確率に影響を及ぼすことなく、資源の浪費をさらに低減するために、ユーザ機器と基地局の間の通信における第２のカバレージ強化要求の使用法に関する方法を説明している。
【００９９】
第１の方式では、ユーザ機器は、基地局によって間断なく配信されるダウンリンク基準信号などの基地局のいくつかのシステム信号を取得することによってユーザ機器のカバレージ強化要求を獲得する。
【０１００】
基地局のいくつかのシステム信号を取得することによってユーザ機器のカバレージ強化要求を獲得した後、ユーザ機器は、さらに、基地局がユーザ機器の現在のカバレージ強化要求を決定するように、カバレージ強化要求を基地局に報告しなければならない。
【０１０１】
この時点で報告されるカバレージ強化要求が図３Ａに示されている第１のカバレージ強化要求である場合、カバレージ強化要求は直接報告され得ることに留意されたい。この時点で報告されるカバレージ強化要求が図３Ｂに示されている第２のカバレージ強化要求である場合、カバレージ強化要求は、以下のステップを実施することによって報告されなければならない。
【０１０２】
ユーザ機器が、第１の瞬間に、ランダムアクセスプロセスで第１のカバレージ強化要求を基地局に報告するステップであって、第１のカバレージ強化要求が第１の精度を有するステップと、ユーザ機器が、第１の瞬間の後の第２の瞬間に第１のメッセージを基地局に報告するステップであって、第１のメッセージが、第１のメッセージに基づいて第１のカバレージ強化要求を第２のカバレージ強化要求に調整するように基地局に命令するために使用され、第２のカバレージ強化要求が第２の精度を有し、また、第２の精度が第１の精度より高いステップ。
【０１０３】
詳細には、ユーザ機器は、ランダムアクセスプリアンブルシーケンスを送信する同じ時間の第１の瞬間に、第１のカバレージ強化要求を基地局に報告することができ、第１のカバレージ強化要求は、図３に示されている第１のカバレージ強化要求であってもよく、第１のカバレージ強化要求は第１の精度を有し、５ｄｂが、カバレージ強化要求を分類するためのレベルとして使用される。
【０１０４】
ユーザ機器が、第１の瞬間の後の第２の瞬間に第１のメッセージを基地局に報告するステップは、例えば、ランダムアクセスプロセスにおいてＭｓｇ３である第３のメッセージを使用することによって第１のメッセージを基地局に報告するステップであってもよく、第１のメッセージは、第１のカバレージ強化要求を第２のカバレージ強化要求に調整するインジケーション情報を含む。ユーザ機器は、別の新たに定義された専用メッセージを使用することによって第１のメッセージを基地局に報告することも可能であり、それは本明細書においては制限されないことは確かである。
【０１０５】
第２の瞬間に、ユーザ機器によって報告された第１のメッセージを受信した後、基地局は、第１のカバレージ強化要求を第２のカバレージ強化要求に調整することができ、第２のカバレージ強化要求は、図３Ｂに示されている第２のカバレージ強化要求であってもよく、第２のカバレージ強化要求は第２の精度を有し、また、１ｄｂが、カバレージ強化要求を分類するためのレベルとして使用される。
【０１０６】
実際のアプリケーションでは、第１のメッセージは、第１のカバレージ強化要求を第２のカバレージ強化要求に調整するための相対値を示すことができ、つまり第１のメッセージは、第１のカバレージ強化要求を調整して第２のカバレージ強化要求を獲得するようにユーザ機器に命令するために使用される。例えば第１の瞬間にユーザ機器によって報告される第１のカバレージ強化要求はレベル０にあり、また、第１のメッセージがカバレージ強化要求レベル２を示している場合、基地局は、ユーザ機器の第２のカバレージ強化要求がレベル０．２にあることを決定することができる。第１のメッセージは、第１のカバレージ強化要求を第２のカバレージ強化要求に調整するための絶対値をも示すことができることも確かであり、つまり第１のメッセージは、ユーザ機器の第２のカバレージ強化要求を直接示す。例えば第１の瞬間にユーザ機器によって報告される第１のカバレージ強化要求がレベル０にあっても、またはレベル１にあっても、いずれにせよ第１のメッセージがカバレージ強化要求レベル２を示している場合、基地局は、ユーザ機器の第２のカバレージ強化要求がレベル０．２にあることを決定することができる。
【０１０７】
上記部分から、ユーザ機器が第２のカバレージ強化要求を基地局に報告した後、基地局は、ユーザ機器のカバレージ強化要求が、その精度が第１のカバレージ強化要求の第１の精度より高い第２のカバレージ強化要求であることを決定し、かつ、第２のカバレージ強化要求に従ってユーザ機器と通信することができ、それにより資源の浪費をさらに低減することができることが分かる。
【０１０８】
ユーザ機器が第２のカバレージ強化要求を基地局に報告した後、ユーザ機器は、さらに、ユーザ機器が次のランダムアクセスプロセスに第２のカバレージ強化要求を使用し、例えば次の回のランダムアクセスプリアンブルシーケンスを送信する際に第２のカバレージ強化要求を使用することができるように、第２のカバレージ強化要求を記憶することができることは確かであるが、それは実際のアプリケーションでは本明細書においては制限されないことは確かであり、例えばデータチャネル信号を送信する際に、または制御チャネル信号を送信する際に第２のカバレージ強化要求をさらに使用することができる。詳細は、本明細書においては繰り返し説明されない。ユーザ機器が次のランダムアクセスプロセスにカバレージ強化要求を使用するように、基地局との通信にユーザ機器によって使用されるカバレージ強化要求が記憶される、という技術的解決法が使用されるため、ユーザ機器は、次のランダムアクセスプロセスにおけるユーザ機器のカバレージ強化要求を速やかに、かつ、正確に獲得することができ、それにより資源の浪費をさらに低減することが分かる。
【０１０９】
第２の方式では、ユーザ機器は、ユーザ機器のカバレージ強化要求を獲得するように、基地局によって配信されるカバレージ強化要求インジケーションメッセージを受信する。
【０１１０】
詳細には、ユーザ機器は、基地局が、ユーザ機器によって報告されたメッセージに従ってカバレージ強化要求インジケーションメッセージを生成することができるように、メッセージを基地局に報告し、かつ、生成したカバレージ強化要求インジケーションメッセージをユーザ機器に配信することができ、ユーザ機器は、ユーザ機器のカバレージ強化要求を獲得するように、カバレージ強化要求インジケーションメッセージを受信することができる。本明細書におけるカバレージ強化要求は、第１のカバレージ強化要求のみであってもよく、または第２のカバレージ強化要求を含むことも可能であり、それは本明細書においては制限されない。
【０１１１】
ユーザ機器によって基地局に報告されるメッセージは、いくつかの特定のアップリンク基準メッセージを含むことができ、また、メッセージは、基地局による測定、等々のためにのみ使用されるが、有用な情報の別のピースは報告されなくてもよく、それは本明細書においては制限されないことに留意されたい。
【０１１２】
詳細には、ユーザ機器は、第１の瞬間に、ランダムアクセスプリアンブルシーケンスを使用することによって第１のカバレージ強化要求を基地局に報告することができ、第１のカバレージ強化要求は第１の精度を有し、また、第１のカバレージ強化要求は、基地局が、第１の瞬間の後の第２の瞬間に、第１の瞬間と第２の瞬間の間の瞬間にユーザ機器によって報告されたメッセージに従って、ユーザ機器の第２のカバレージ強化要求を獲得し、かつ、第１のカバレージ強化要求を第２のカバレージ強化要求に調整するようにユーザ機器に命令するために使用されるカバレージ強化要求インジケーションメッセージを生成するように、図３Ａに示されている第１のカバレージ強化要求であってもよく、第２のカバレージ強化要求は第２の精度を有し、また、第２の精度は、第１のカバレージ強化要求の第１の精度より高い。第２のカバレージ強化要求は、図３Ｂに示されている第２のカバレージ強化要求であってもよい。
【０１１３】
実際のアプリケーションでは、ユーザ機器は、第１のカバレージ強化要求を報告しなくてもよいことは確かであり、その代わりに、基地局が、第１の瞬間の後の第２の瞬間に、第１の瞬間と第２の瞬間の間の瞬間にユーザ機器によって報告されたメッセージに従って、ユーザ機器の第２のカバレージ強化要求を獲得し、かつ、カバレージ強化要求インジケーションメッセージを生成することができるように、第１の瞬間からメッセージの報告を開始し、カバレージ強化要求インジケーションメッセージは、ユーザ機器のカバレージ強化要求が第２のカバレージ強化要求であることを示すことができる。第２のカバレージ強化要求は、図３Ｂに示されている第２のカバレージ強化要求であってもよい。ユーザ機器によって報告されたメッセージに従ってカバレージ強化要求インジケーションメッセージを生成する場合、基地局は、カバレージ強化要求インジケーションメッセージを生成するように、測定によって、また、第１の瞬間と第２の瞬間の間の瞬間に報告されたすべてのメッセージの代わりにいくつかのメッセージに従って、ユーザ機器によって要求されるカバレージ強化要求を学習することができることに留意されたい。詳細は、本明細書においては繰り返して説明されない。
【０１１４】
特定の実施態様プロセスでは、ユーザ機器は、ランダムアクセス応答（Ｒａｎｄｏｍ  Ａｃｃｅｓｓ  Ｒｅｓｐｏｎｓｅ、ＲＡＲ）メッセージを使用することによって基地局によって配信されるカバレージ強化要求インジケーションメッセージを受信することができる。
【０１１５】
例えば、図４を参照すると、図４は、本発明の実施形態によるランダムアクセス応答メッセージのフォーマットの略図である。図４に示されているように、個々のランダムアクセス応答メッセージは、１つの予約済み（Ｒ、Ｒｅｓｅｒｖｅｄ）ビットを含む。さらに図５を参照すると、ランダムアクセス応答メッセージを運ぶように構成された媒体アクセス制御プロトコルデータユニット（Ｍｅｄｉａ  Ａｃｃｅｓｓ  Ｃｏｎｔｒｏｌ  Ｐｒｏｔｏｃｏｌ  Ｄａｔａ  Ｕｎｉｔ、ＭＡＣ  ＰＤＵ）は、１つの媒体アクセス制御ヘッダ（Ｍｅｄｉａ  Ａｃｃｅｓｓ  Ｃｏｎｔｒｏｌ  ｓｕｂｈｅａｄｅｒ、ＭＡＣ  ｓｕｂｈｅａｄｅｒ）および複数のランダムアクセス応答メッセージを含む。１つの媒体アクセス制御ヘッダは、図６Ａに示されている複数の媒体アクセス制御サブヘッダ（ＭＡＣ  ｓｕｂｈｅａｄｅｒ）を含み、図６Ａに示されている媒体アクセス制御サブヘッダは、予約済み情報ビットを含んでおらず、図６Ｂに示されているせいぜい１つの媒体アクセス制御サブヘッダを含み、また、図６Ｂに示されている媒体アクセス制御サブヘッダは、２つの予約済み情報ビットを含む。
【０１１６】
図４、図５、図６Ａおよび６Ｂを同時に参照すると、１つの媒体アクセス制御プロトコルデータユニットがｎ個のランダムアクセス応答メッセージを含んでいる場合、媒体アクセス制御プロトコルデータユニット全体は、Ｍ個の予約済み情報ビットを含み、ｎ≦Ｍ≦ｎ＋２であり、ｎは１以上の整数であり、また、Ｍは正の整数である。
【０１１７】
基地局がランダムアクセス応答メッセージを使用することによってカバレージ強化要求をユーザ機器に転送する場合、以下の２つの方式が使用され得る。
【０１１８】
方式１：基地局は、ユーザ機器によって報告された第１のカバレージ強化要求に基づいてカバレージ強化要求インジケーションメッセージを配信し、カバレージ強化要求インジケーションメッセージは絶対値であってもよく、つまりユーザ機器の第１のカバレージ強化のレベル値に無関係に、カバレージ強化要求インジケーションメッセージは、ユーザ機器の第２のカバレージ強化要求を直接示す。例えばユーザ機器によって報告される第１のカバレージ強化要求がレベル０にあっても、またはレベル１にあっても、いずれにせよ基地局によって配信されたカバレージ強化要求インジケーションメッセージによって示された第２のカバレージ強化要求のレベルが５である場合、ユーザ機器は、カバレージ強化要求に従って、カバレージ強化レベルがレベル０．５であることを決定する。
【０１１９】
方式２：基地局は、ユーザ機器によって報告された第１のカバレージ強化要求に基づいてカバレージ強化要求インジケーションメッセージを配信し、カバレージ強化要求インジケーションメッセージは相対値であってもよく、つまりユーザ機器の第１のカバレージ強化のレベル値に無関係に、カバレージ強化要求インジケーションメッセージは、ユーザ機器の第２のカバレージ強化要求を直接示す。例えばユーザによって報告された第１のカバレージ強化要求がレベル１にあり、また、基地局によって配信されたカバレージ強化要求インジケーションメッセージが−２である場合、ユーザ機器は、第１のカバレージ強化要求およびカバレージ強化要求インジケーションメッセージに従って、ユーザ機器のカバレージ強化要求のレベルは、レベル１から２つのレベルを控除することによって獲得されるレベル０．４であることを決定することができ、また、基地局がレベル２を配信している場合、端末は、端末のカバレージ強化レベルは、レベル１に２つのレベルを加えることによって獲得されるレベル１．２であると見なす。この方式では、１ビットの情報ビットは、第２のレベルの２つの相対値を示すことができ、例えば０は、カバレージ強化レベルプラス（マイナス）１つのレベルを示し、また、１は、カバレージ強化レベルプラス（マイナス）２つのレベルを示す。また、１ビットの情報ビットは、カバレージ強化レベルの調整方向を示すことも可能であり、例えば基地局が０を配信している場合、端末は、端末のカバレージ強化レベルが１つのレベルだけ下方に調整されなければならないと見なし、また、基地局が１を配信している場合、端末は、端末のカバレージ強化レベルが１つのレベルだけ上方に調整されなければならないと見なす。
【０１２０】
特定の実施態様プロセスでは、１つの媒体アクセス制御ヘッダが図６Ｂに示されている１つの媒体アクセス制御サブヘッダを含んでいない場合、媒体アクセス制御プロトコルデータユニット全体は、ｎ個の予約済み情報ビットを含み、少なくとも１つの予約済み情報ビットが使用され得る。媒体アクセス制御プロトコルデータユニットが１つの予約済み情報ビットを含んでいる場合、カバレージ強化要求は、上で説明した方式１または方式２でユーザ機器に転送され得る。媒体アクセス制御プロトコルデータユニットがｎ個のランダムアクセス応答メッセージを含んでいる場合、媒体アクセス制御プロトコルデータユニットは、ｎ個の予約済み情報ビットを含む。ユーザ機器のカバレージ強化要求であり、また、ｎ個のランダムアクセス応答メッセージに対応しているカバレージ強化要求が同じであるかどうかにかかわらず、ｎ個の予約済み情報ビットは連帯的に使用され得る。例えば２つの予約済み情報ビットは、第２のカバレージ強化要求のレベルの４つの相対値または絶対値を示すことができ、または予約済み情報ビットのうちの１つは相対値の調整方向を示し、また、他の予約済み情報ビットは、カバレージ強化要求がユーザ機器に転送されるように、調整値を示すために使用される。予約済み情報ビットのより多くの事例に対しては、詳細は繰り返し説明されない。
【０１２１】
特定の実施態様プロセスでは、１つの媒体アクセス制御ヘッダが図６Ａに示されている１つの媒体アクセス制御サブヘッダを含んでいる場合、媒体アクセス制御プロトコルデータユニット全体は、ｎ＋２個の予約済み情報ビットを含み、少なくとも３つの予約済み情報ビットを連帯的に使用することによってカバレージ強化要求がユーザ機器に転送され得るように、少なくとも３つの予約済み情報ビットが使用され得る。特定のプロセスは、上記プロセスと同じであり、詳細は、本明細書においては繰り返し説明されない。
【０１２２】
ランダムアクセス応答メッセージの予約済み情報ビットを使用することによるユーザ機器へのカバレージ強化要求の転送に加えて、ランダムアクセス応答メッセージの新たに追加された情報ビットを使用することによってカバレージ強化要求がユーザ機器に転送され得ることは確かである。
【０１２３】
第２のカバレージ強化要求をユーザ機器に転送するために、基地局がカバレージ強化要求インジケーションメッセージをランダムアクセス応答メッセージに追加し、かつ、ランダムアクセス応答メッセージをユーザ機器に配信することは全く問題ではないことが分かる。ランダムアクセス応答メッセージを使用することによって基地局によって配信されるカバレージ強化要求インジケーションメッセージを受信した後、ユーザ機器は、カバレージ強化要求インジケーションメッセージに従ってカバレージ強化要求を獲得することができる。
【０１２４】
特定の実施態様プロセスでは、ユーザ機器が、ランダムアクセス応答メッセージを使用することによって基地局によって配信されるカバレージ強化要求インジケーションメッセージに従ってカバレージ強化要求を獲得した後、ユーザ機器は、さらに、ユーザ機器が次のランダムアクセスプロセスにカバレージ強化要求を使用するように、カバレージ強化要求を記憶することができ、カバレージ強化要求は、本明細書においては第１のカバレージ強化要求であっても、または第２のカバレージ強化要求であってもよく、それは本明細書においては制限されない。例えば、ユーザ機器は、ユーザ機器が次のランダムアクセスプロセスにおけるユーザ機器のカバレージ強化要求を速やかに、かつ、正確に決定するように、次の回のランダムアクセスプリアンブルシーケンスを送信する際にカバレージ強化要求を使用することができる。
【０１２５】
ユーザ機器のカバレージ強化要求がステップＳ１で獲得されると、本発明のこの実施形態で提供される情報処理方法におけるステップＳ２が実行され、つまりユーザ機器がカバレージ強化要求に従って基地局と通信する。
【０１２６】
ステップＳ２では、とりわけ、カバレージ強化要求がユーザ機器のカバレージ強化レベルを示しており、また、ユーザ機器および基地局が、異なるカバレージ強化レベルに対して使用されるカバレージ強化技術を予め定義している場合、ユーザ機器は、対応するカバレージ強化技術を使用することによって、また、カバレージ強化要求によって示されるカバレージ強化レベルに従って基地局と通信する。ステップＳ２におけるカバレージ強化要求は、ステップＳ１で説明した第１のカバレージ強化要求であっても、または第２のカバレージ強化要求であってもよく、それは本明細書においては制限されないことに留意されたい。
【０１２７】
例えばカバレージ強化要求が第１のレベルにある場合、カバレージ強化要求は、ユーザ機器のカバレージ強化レベルが第１のレベルであることを示すことができ、ユーザ機器および基地局によって予め定義され、かつ、第１のレベルに対して使用されるカバレージ強化技術が信号反復技術である場合、ユーザ機器は、カバレージ強化要求に対応する信号反復回数に従って基地局と通信する。
【０１２８】
信号反復技術を使用して、周波数領域資源上で、つまり複数の周波数領域資源上で同じ瞬間に同じ信号を送信するために反復が実施されることが可能であり、または時間領域資源上で、つまりユーザ機器が基地局と正確に通信することができるように、同じ周波数領域資源上で異なる瞬間（連続する瞬間であってもよい）に信号を繰り返し送信するために反復が実施されることが可能である。
【０１２９】
実際のアプリケーションでは、信号反復技術に加えて、カバレージ強化技術は、要求緩和技術、パワースペクトル密度ブースティング（ＰＳＤブースティング、Ｐｏｗｅｒ  Ｓｐｅｃｔｒｕｍ  Ｄｅｎｓｉｔｙ  ｂｏｏｓｔｉｎｇ）技術、パワーブースティング（ＰＢ、ｐｏｗｅｒ  ｂｏｏｓｔｉｎｇ）技術、等々を含むことができることは確かである。要求緩和技術は、ユーザ機器のランダムアクセスプロセスが成功しない場合、ユーザ機器が基地局と正確に通信することができるように、より多くの回数の試行がユーザ機器に許容されることを意味している。パワースペクトル密度ブースティング技術は、例えばメッセージを送信するために３つの資源がユーザ機器に割り当てられることを意味しているが、現在は１つの資源のみが送信のために使用されており、他の２つの資源はアイドル状態であり、この例では、３つの資源上で情報を送信するために元々使用されるパワーは、ユーザ機器が基地局と正確に通信することができるように、伝送パワーを１つの資源上で多くする目的を達成するように１つの資源上に集中化され、それにより送信を実施している。パワーブースティング技術は、例えば基地局が最初に信号をユーザ機器Ａおよびユーザ機器Ｂに同時に送信することを意味しているが、現在は基地局は信号をユーザ機器Ｂには送信せず、ユーザ機器が基地局と正確に通信することができるように、ユーザ機器Ａに送信される信号の伝送パワーを増すために、ユーザ機器に最初に送信される信号のパワーをユーザ機器Ａに送信される信号のパワーに重畳する。本発明のこの実施形態におけるカバレージ強化技術は、説明されているいくつかの技術に限定されず、または当業者によって使用され得る別の技術であってもよいことに留意されたい。
【０１３０】
つまり、ユーザ機器が同じである場合、ユーザ機器は、ユーザ機器が配置される環境の差に従って、また、環境におけるカバレージ強化要求に対応する信号反復回数に従って基地局と正確に通信する。ユーザ機器が異なる場合、ユーザ機器は、ユーザ機器のカバレージ強化要求に対応する信号反復回数に従って基地局と正確に通信する。
【０１３１】
特定の実施態様プロセスでは、ユーザ機器と基地局の間の通信の精度を保証するために、信号反復技術を使用することによって、異なるレベルの２つのカバレージ強化要求のための異なるカバレージ強化補償が獲得されなければならない場合、異なるレベルのカバレージ強化要求に対応する信号反復回数も異なっていなければならない。したがってカバレージ強化要求が第１のレベルにある場合、カバレージ強化要求に対応する信号反復回数は第１の値であり、例えば６であってもよく、カバレージ強化要求が第１のレベルより高い第２のレベルにある場合、第２のカバレージ強化要求に対応する信号反復回数は、第１の値より大きい第２の値であり、例えば７であってもよく、また、カバレージ強化要求が第１のレベルより低い第３のレベルにある場合、カバレージ強化要求に対応する信号反復回数は、第１の値より小さい第３の値であり、例えば５であってもよい。
【０１３２】
カバレージ強化要求が第１のレベルにある場合、カバレージ強化要求に対応する信号反復回数は第１の値であり、カバレージ強化要求が第１のレベルより高い第２のレベルにある場合、第２のカバレージ強化要求に対応する信号反復回数は、第１の値より大きい第２の値であり、また、カバレージ強化要求が第１のレベルより低い第３のレベルにある場合、カバレージ強化要求に対応する信号反復回数は、第１の値より小さい第３の値である、という技術的解決法が使用されるため、異なるレベルの２つのカバレージ強化要求に対応する信号反復回数が同じになることが回避され、それによりユーザ機器と基地局の間の通信の精度を保証することが分かる。
【０１３３】
特定の実施態様プロセスでは、カバレージ強化要求が規定されたレベルにあり、また、ユーザ機器と基地局の間の通信の状態が極めて良好である場合、信号反復技術は、ユーザ機器と基地局の間の正確な通信を保証するためには要求されない。したがって規定されたレベルのカバレージ強化要求に対応する信号反復回数は、０に設定されることが可能であり、詳細は、本明細書においては繰り返し説明されない。
【０１３４】
カバレージ強化要求が規定されたレベルにあり、また、ユーザ機器と基地局の間の通信の状態が極めて良好ではない場合、カバレージ強化技術を使用して、ユーザ機器と基地局の間の正確な通信が保証されなければならないことは確かである。しかしながら、ユーザ機器は、信号反復技術を除き、上で説明したカバレージ強化技術における別の技術のみを使用し、信号反復技術を使用することなく基地局と通信しなければならず、詳細は、本明細書においては繰り返し説明されない。本明細書において説明されている規定されたレベルは、上記部分における信号反復回数０に対応するカバレージ強化要求の規定されたレベルと同じであっても、または異なっていてもよいことに留意されたい。
【０１３５】
上記部分から、ユーザ機器がカバレージ強化要求を獲得し、かつ、カバレージ強化要求に従って基地局と通信する、という技術的解決法が使用されるため、ユーザ機器が基地局と正確に通信することを保証する場合、ユーザ機器は、獲得したカバレージ強化要求に従って基地局と正確に通信し、それは、基地局が、通信状態がより良好なユーザ機器と通信する際に、通信状態がより貧弱なユーザ機器と通信する際に追加される通信資源の同じ量を依然として追加する状況を回避し、それにより、基地局がユーザ機器と通信する際に存在する資源の浪費という従来技術の技術的な問題を解決し、かつ、資源の浪費を低減する技術的効果を実現することが分かる。
【０１３６】
特定の実施態様プロセスでは、ユーザ機器が次のランダムアクセスプロセスにおけるユーザ機器のカバレージ強化要求を速やかに、かつ、正確に獲得し、基地局との正確な通信を保証することができるように、ユーザ機器がカバレージ強化要求に従って基地局と通信した後、本発明のこの実施形態で提供される情報処理方法は、ユーザ機器が次のランダムアクセスプロセスにカバレージ強化要求を使用するように、ユーザ機器がカバレージ強化要求を記憶するステップをさらに含む。本明細書におけるカバレージ強化要求は、第１のカバレージ強化要求であっても、または第２のカバレージ強化要求であってもよく、それは本明細書においては制限されないことに留意されたい。
【０１３７】
例えば獲得したカバレージ強化要求に従って基地局と正確に通信した後、ユーザ機器は、次の回のランダムアクセスプロセスを開始する際にユーザ機器がカバレージ強化要求を直接使用するように、カバレージ強化要求を記憶する。例えば、ランダムアクセスプロセスを開始する際に、ユーザ機器は、ユーザ機器が基地局と正確に通信することを保証するために、記憶されているカバレージ強化要求を使用することによってランダムアクセスプリアンブルシーケンスを報告する。
【０１３８】
同じ発明着想に基づいて、本発明のこの実施形態の一態様は、さらにユーザ機器を提供する。図７Ａを参照すると、図７Ａは、本発明の実施形態によるユーザ機器の機能的モジュールの線図である。図７Ａに示されているように、ユーザ機器は、カバレージ強化要求を獲得するように構成された獲得ユニット７０１、およびカバレージ強化要求に従って基地局と通信するように構成された通信ユニット７０２を含む。
【０１３９】
特定の実施態様プロセスでは、ユーザ機器は記憶ユニットをさらに含み、記憶ユニットは、獲得ユニットがカバレージ強化要求を獲得した後、ユーザ機器が次のランダムアクセスプロセスにカバレージ強化要求を使用するように、カバレージ強化要求を記憶するように構成される。
【０１４０】
特定の実施態様プロセスでは、通信ユニット７０２は、獲得ユニット７０１がカバレージ強化要求を獲得した後、基地局がユーザ機器のカバレージ強化要求を決定するように、カバレージ強化要求を基地局に報告するようにさらに構成される。
【０１４１】
特定の実施態様プロセスでは、通信ユニット７０２は、とりわけ、第１の瞬間に、ランダムアクセスプロセスで、第１の精度を有する第１のカバレージ強化要求を基地局に報告し、かつ、第１の瞬間の後の第２の瞬間に第１のメッセージを基地局に報告するように構成され、第１のメッセージは、第１のメッセージに基づいて第１のカバレージ強化要求を第２のカバレージ強化要求に調整するように基地局に命令するために使用され、第２のカバレージ強化要求は第２の精度を有し、また、第２の精度は第１の精度より高い。
【０１４２】
特定の実施態様プロセスでは、ユーザ機器は、ユーザ機器が次のランダムアクセスプロセスに第２のカバレージ強化要求を使用するように、第２のカバレージ強化要求を記憶するように構成された記憶ユニットをさらに含む。
【０１４３】
特定の実施態様プロセスでは、獲得ユニット７０１は、とりわけ、基地局によって配信されるカバレージ強化要求インジケーションメッセージを受信し、かつ、カバレージ強化要求インジケーションメッセージに従ってカバレージ強化要求を獲得するように構成される。
【０１４４】
特定の実施態様プロセスでは、通信ユニット７０２は、さらに、獲得ユニット７０１が基地局によって配信されるカバレージ強化要求インジケーションメッセージを受信する前に、基地局がユーザ機器によって報告されたメッセージに従ってカバレージ強化要求インジケーションメッセージを生成するように、メッセージを基地局に報告するように構成される。
【０１４５】
特定の実施態様プロセスでは、通信ユニット７０２は、とりわけ、第１の瞬間に、ランダムアクセスプリアンブルシーケンスを使用することによって第１のカバレージ強化要求を基地局に報告するように構成され、第１のカバレージ強化要求は、基地局が、第１の瞬間の後の第２の瞬間に、第１の瞬間と第２の瞬間の間の瞬間にユーザ機器によって報告されたメッセージに従ってカバレージ強化要求インジケーションメッセージを生成するように、第１の精度を有し、カバレージ強化要求インジケーションメッセージは、第１のカバレージ強化要求を第２のカバレージ強化要求に調整するようにユーザ機器に命令するために使用され、第２のカバレージ強化要求は第２の精度を有し、また、第２の精度は第１の精度より高い。
【０１４６】
特定の実施態様プロセスでは、獲得ユニット７０１は、とりわけ、ランダムアクセス応答メッセージを使用することによって基地局によって配信されるカバレージ強化要求インジケーションメッセージを受信するように構成される。
【０１４７】
特定の実施態様プロセスでは、ユーザ機器は、獲得ユニット７０１デバイスがカバレージ強化要求インジケーションメッセージに従ってカバレージ強化要求を獲得した後、ユーザ機器が次のランダムアクセスプロセスにカバレージ強化要求を使用するように、カバレージ強化要求を記憶するように構成された記憶ユニットをさらに含む。
【０１４８】
特定の実施態様プロセスでは、通信ユニット７０２は、とりわけ、カバレージ強化要求に対応する信号反復回数に従って基地局と通信するように構成される。
【０１４９】
特定の実施態様プロセスでは、カバレージ強化要求が第１のレベルにある場合、カバレージ強化要求に対応する信号反復回数は第１の値であり、カバレージ強化要求が第１のレベルより高い第２のレベルにある場合、第２のカバレージ強化要求に対応する信号反復回数は、第１の値より大きい第２の値であり、また、カバレージ強化要求が第１のレベルより低い第３のレベルにある場合、カバレージ強化要求に対応する信号反復回数は、第１の値より小さい第３の値である。
【０１５０】
特定の実施態様プロセスでは、カバレージ強化要求が規定されたレベルにある場合、カバレージ強化要求に対応する信号反復回数は０である。
【０１５１】
特定の実施態様プロセスでは、カバレージ強化技術は、要求緩和技術、信号反復技術、パワースペクトル密度ブースティングおよびパワーブースティングを含み、カバレージ要求が規定されたレベルにある場合、通信ユニット７０２は、とりわけ、信号反復技術を除く、カバレージ強化技術における別の技術を使用することによって、カバレージ強化要求に従って基地局と通信するように構成される。
【０１５２】
さらに、図７Ｂを参照すると、図７Ｂは、本発明の実施形態によるユーザ機器のハードウェア実施態様の概念線図である。図７Ｂに示されているように、ユーザ機器は、カバレージ強化要求を獲得するように構成されたプロセッサ７１、およびカバレージ強化要求に従って基地局と通信するように構成されたトランシーバ７２を含む。
【０１５３】
特定の実施態様プロセスでは、ユーザ機器はメモリ７３をさらに含み、メモリ７３は、プロセッサ７１がカバレージ強化要求を獲得した後、ユーザ機器が次のランダムアクセスプロセスにカバレージ強化要求を使用するように、カバレージ強化要求を記憶するように構成される。
【０１５４】
引き続いて図７Ｂを参照すると、バスアーキテクチャ（バス７００によって表されている）が存在している。バス７００は、任意の量の相互接続されたバスおよびブリッジを含むことができ、また、バス７００は、プロセッサ７１によって表されている１または複数のプロセッサ、およびメモリ７３によって表されているメモリを含む様々なタイプの回路を一体にリンクしている。バス７００は、さらに、周辺デバイス、電圧調整器およびパワー管理回路などの様々な他のタイプの回路を一体にリンクすることができる。これらの様々な他のタイプの回路は、当分野で公に知られており、したがって本明細書においては、それ以上は説明されない。バスインタフェース７４は、様々な他の装置またはデバイスと伝送媒体上で通信するように構成されたユニットを提供するために、バス７００とトランシーバ７２の間のインタフェースを提供し、トランシーバ７２は、同じ構成要素または装置であってもよく、または受信機および送信機から連帯的に構成されることができ、それは本明細書においては制限されない。ユーザ機器は、さらに、ユーザ機器の特性に応じて、キーパッド、ディスプレイ、拡声器、マイクロホンおよびジョイスティックなどのユーザインタフェース７５を提供することができる。
【０１５５】
特定の実施態様プロセスでは、トランシーバ７２は、プロセッサ７１がカバレージ強化要求を獲得した後、基地局が情報処理ユーザ機器のカバレージ強化要求を決定するように、カバレージ強化要求を基地局に報告するようにさらに構成される。
【０１５６】
特定の実施態様プロセスでは、トランシーバ７２は、とりわけ、第１の瞬間に、ランダムアクセスプロセスで、第１の精度を有する第１のカバレージ強化要求を基地局に報告し、かつ、第１の瞬間の後の第２の瞬間に第１のメッセージを基地局に報告するように構成され、第１のメッセージは、第１のメッセージに基づいて第１のカバレージ強化要求を第２のカバレージ強化要求に調整するように基地局に命令するために使用され、第２のカバレージ強化要求は第２の精度を有し、また、第２の精度は第１の精度より高い。
【０１５７】
特定の実施態様プロセスでは、ユーザ機器はメモリ７３をさらに含み、メモリ７３は、ユーザ機器が次のランダムアクセスプロセスに第２のカバレージ強化要求を使用するように、第２のカバレージ強化要求を記憶するように構成される。
【０１５８】
特定の実施態様プロセスでは、プロセッサ７１は、とりわけ、基地局によって配信されるカバレージ強化要求インジケーションメッセージを受信し、かつ、カバレージ強化要求インジケーションメッセージに従ってカバレージ強化要求を獲得するように構成される。
【０１５９】
特定の実施態様プロセスでは、トランシーバ７２は、プロセッサ７１が基地局によって配信されるカバレージ強化要求インジケーションメッセージを受信する前に、基地局がユーザ機器によって報告されたメッセージに従ってカバレージ強化要求インジケーションメッセージを生成するように、メッセージを基地局に報告するようにさらに構成される。
【０１６０】
特定の実施態様プロセスでは、トランシーバ７２は、とりわけ、第１の瞬間に、ランダムアクセスプリアンブルシーケンスを使用することによって第１のカバレージ強化要求を基地局に報告するように構成され、第１のカバレージ強化要求は、基地局が、第１の瞬間の後の第２の瞬間に、第１の瞬間と第２の瞬間の間の瞬間にユーザ機器によって報告されたメッセージに従ってカバレージ強化要求インジケーションメッセージを生成するように、第１の精度を有し、カバレージ強化要求インジケーションメッセージは、第１のカバレージ強化要求を第２のカバレージ強化要求に調整するようにユーザ機器に命令するために使用され、第２のカバレージ強化要求は第２の精度を有し、また、第２の精度は第１の精度より高い。
【０１６１】
特定の実施態様プロセスでは、プロセッサ７１は、とりわけ、ランダムアクセス応答メッセージを使用することによって基地局によって配信されるカバレージ強化要求インジケーションメッセージを受信するように構成される。
【０１６２】
特定の実施態様プロセスでは、ユーザ機器はメモリ７３をさらに含み、メモリ７３は、プロセッサ７１がカバレージ強化要求インジケーションメッセージに従ってカバレージ強化要求を獲得した後、ユーザ機器が次のランダムアクセスプロセスにカバレージ強化要求を使用するように、カバレージ強化要求を記憶するように構成される。
【０１６３】
特定の実施態様プロセスでは、トランシーバ７２は、とりわけ、カバレージ強化要求に対応する信号反復回数に従って基地局と通信するように構成される。
【０１６４】
特定の実施態様プロセスでは、カバレージ強化要求が第１のレベルにある場合、カバレージ強化要求に対応する信号反復回数は第１の値であり、カバレージ強化要求が第１のレベルより高い第２のレベルにある場合、第２のカバレージ強化要求に対応する信号反復回数は、第１の値より大きい第２の値であり、また、カバレージ強化要求が第１のレベルより低い第３のレベルにある場合、カバレージ強化要求に対応する信号反復回数は、第１の値より小さい第３の値である。
【０１６５】
特定の実施態様プロセスでは、カバレージ強化要求が規定されたレベルにある場合、カバレージ強化要求に対応する信号反復回数は０である。
【０１６６】
特定の実施態様プロセスでは、カバレージ強化技術は、要求緩和技術、信号反復技術、パワースペクトル密度ブースティングおよびパワーブースティングを含み、カバレージ要求が規定されたレベルにある場合、トランシーバ７２は、とりわけ、信号反復技術を除く、カバレージ強化技術における別の技術を使用することによって、カバレージ強化要求に従って基地局と通信するように構成される。
【０１６７】
この実施形態におけるユーザ機器および上記部分における報処理方法は、同じ発明着想に基づく２つの態様であり、方法の実施態様プロセスは、上記部分で詳細に説明され、したがって従来技術の技術者は、上記説明に従って、この実施形態におけるユーザ機器の構造および実施態様プロセスを明確に理解することができる。本明細書を簡潔にするために、詳細は、本明細書においては繰り返し説明されない。
【０１６８】
実施形態１は、ユーザ機器側における本発明の実施形態の技術的解決法を説明したものであり、また、以下の実施形態２は、基地局側における本発明の実施形態の技術的解決法を説明したものである。
実施形態２
【０１６９】
図８を参照すると、本発明のこの実施形態は、さらに、情報処理方法を提供する。図８に示されているように、情報処理方法は、
【０１７０】
Ｓ１：基地局がユーザ機器のカバレージ強化要求を獲得することと、
【０１７１】
Ｓ２：基地局がカバレージ強化要求に従ってユーザ機器と通信することと
を含む。
【０１７２】
ステップＳ１で基地局は、以下の部分で個別に説明される２つの方式でユーザ機器のカバレージ強化要求を獲得することができる。
【０１７３】
方式１：
【０１７４】
基地局は、第１の瞬間に、ユーザ機器によってランダムアクセスプロセスで基地局に報告される、第１の精度を有する第１のカバレージ強化要求を受信し、また、基地局は、第１の瞬間の後の第２の瞬間に、ユーザ機器によって報告される第１のメッセージを受信し、かつ、第１のメッセージに従って第１のカバレージ強化要求を第２のカバレージ強化要求に調整し、第２のカバレージ強化要求は第２の精度を有し、また、第２の精度は第１の精度より高い。方式１の特定のプロセスは、実施形態１で詳細に説明されており、したがって方式１の特定のプロセスについては、実施形態１における対応する部分が参照され、詳細は、本明細書においては繰り返し説明されない。
【０１７５】
方式２：基地局は、ユーザ機器によって報告されたメッセージに従ってユーザ機器のカバレージ強化要求を獲得する。
【０１７６】
詳細には、方式２は、以下を含むことができる。
【０１７７】
基地局は、第１の瞬間に、ランダムアクセスプリアンブルシーケンスを使用することによってユーザ機器によって報告される、第１の精度を有する第１のカバレージ強化要求を受信し、また、基地局は、第１の瞬間の後の第２の瞬間に、第１の瞬間と第２の瞬間の間の瞬間にユーザ機器によって報告されたメッセージに従ってユーザ機器の第２のカバレージ強化要求を獲得し、かつ、カバレージ強化要求インジケーションメッセージを生成し、カバレージ強化要求インジケーションメッセージは、第１のカバレージ強化要求を第２のカバレージ強化要求に調整するようにユーザ機器に命令するために使用され、第２のカバレージ強化要求は第２の精度を有し、また、第２の精度は第１の精度より高い。
【０１７８】
方式２の特定のプロセスは、実施形態１で詳細に説明されており、したがって方式２の特定のプロセスについては、実施形態１における対応する部分が参照され、詳細は、本明細書においては繰り返し説明されない。
【０１７９】
特定の実施態様プロセスでは、ユーザ機器が基地局によって獲得されるカバレージ強化要求を決定することができるように、基地局が、第１の瞬間と第２の瞬間の間の瞬間にユーザ機器によって報告されたメッセージに従ってカバレージ強化要求インジケーションメッセージを生成した後、本発明のこの実施形態で提供される方法は、基地局がカバレージ強化要求インジケーションメッセージをユーザ機器に配信するステップをさらに含むことができる。
【０１８０】
特定の実施態様プロセスでは、基地局は、ランダムアクセス応答メッセージを使用することによってカバレージ強化要求インジケーションメッセージをユーザ機器に配信する。
【０１８１】
ランダムアクセス応答メッセージを使用することによって基地局によってカバレージ強化要求インジケーションメッセージをユーザ機器に配信する特定のプロセスは、実施形態１で詳細に説明されており、詳細は、本明細書においては繰り返し説明されない。
【０１８２】
特定の実施態様プロセスでは、基地局がユーザ機器のカバレージ強化要求を獲得し、かつ、カバレージ強化要求インジケーションメッセージを使用することによってカバレージ強化要求をユーザ機器に配信した後、カバレージ強化要求が、ユーザ機器によって使用されるカバレージ強化技術が信号反復技術であることを示している場合、基地局は、カバレージ強化要求に対応する信号反復回数に従ってユーザ機器と通信することができ、詳細は、本明細書においては繰り返し説明されない。
【０１８３】
特定の実施態様プロセスでは、カバレージ強化要求が第１のレベルにある場合、カバレージ強化要求に対応する信号反復回数は第１の値であり、カバレージ強化要求が第１のレベルより高い第２のレベルにある場合、第２のカバレージ強化要求に対応する信号反復回数は、第１の値より大きい第２の値であり、また、カバレージ強化要求が第１のレベルより低い第３のレベルにある場合、カバレージ強化要求に対応する信号反復回数は、第１の値より小さい第３の値である。
【０１８４】
特定の実施態様プロセスでは、カバレージ強化要求が規定されたレベルにある場合、カバレージ強化要求に対応する信号反復回数は０である。
【０１８５】
特定の実施態様プロセスでは、カバレージ強化技術は、要求緩和技術、信号反復技術、パワースペクトル密度ブースティングおよびパワーブースティングを含む。
【０１８６】
カバレージ要求が規定されたレベルにある場合、基地局がカバレージ強化要求に従ってユーザ機器と通信することは、とりわけ、基地局が、信号反復技術を除く、カバレージ強化技術における別の技術を使用することによって、カバレージ強化要求に従ってユーザ機器と通信することである。
【０１８７】
同じ発明着想に基づいて、本発明のこの実施形態の一態様は、さらに基地局を提供する。図９Ａを参照すると、図９Ａは、本発明の実施形態による基地局の機能的モジュールの線図である。図９Ａに示されているように、基地局は、ユーザ機器のカバレージ強化要求を獲得するように構成された獲得ユニット９０１、およびカバレージ強化要求に従ってユーザ機器と通信するように構成された通信ユニット９０２を含む。
【０１８８】
特定の実施態様プロセスでは、獲得ユニット９０１は、とりわけ、第１の瞬間に、ユーザ機器によってランダムアクセスプロセスで基地局に報告される、第１の精度を有する第１のカバレージ強化要求を受信し、また、第２の瞬間に、ユーザ機器によって報告される第１のメッセージを受信し、かつ、第１のメッセージに従って第１のカバレージ強化要求を第２のカバレージ強化要求に調整するように構成され、第２のカバレージ強化要求は第２の精度を有し、また、第２の精度は第１の精度より高い。
【０１８９】
特定の実施態様プロセスでは、獲得ユニット９０１は、とりわけ、ユーザ機器によって報告されたメッセージに従ってユーザ機器のカバレージ強化要求を獲得するように構成される。
【０１９０】
特定の実施態様プロセスでは、獲得ユニット９０１は、とりわけ、第１の瞬間に、ランダムアクセスプリアンブルシーケンスを使用することによってユーザ機器によって報告される、第１の精度を有する第１のカバレージ強化要求を受信し、また、第１の瞬間の後の第２の瞬間に、第１の瞬間と第２の瞬間の間の瞬間にユーザ機器によって報告されたメッセージに従って、ユーザ機器の第２のカバレージ強化要求を獲得し、かつ、カバレージ強化要求インジケーションメッセージを生成するように構成され、カバレージ強化要求インジケーションメッセージは、第１のカバレージ強化要求を第２のカバレージ強化要求に調整するようにユーザ機器に命令するために使用され、第２のカバレージ強化要求は第２の精度を有し、また、第２の精度は第１の精度より高い。
【０１９１】
特定の実施態様プロセスでは、通信ユニット９０２は、獲得ユニット９０１が、第１の瞬間と第２の瞬間の間の瞬間にユーザ機器によって報告されたメッセージに従ってカバレージ強化要求インジケーションメッセージを生成した後、カバレージ強化要求インジケーションメッセージをユーザ機器に配信するようにさらに構成される。
【０１９２】
特定の実施態様プロセスでは、通信ユニット９０２は、とりわけ、ランダムアクセス応答メッセージを使用することによってカバレージ強化要求インジケーションメッセージをユーザ機器に配信するように構成される。
【０１９３】
特定の実施態様プロセスでは、通信ユニット９０２は、とりわけ、カバレージ強化要求に対応する信号反復回数に従ってユーザ機器と通信するように構成される。
【０１９４】
特定の実施態様プロセスでは、カバレージ強化要求が第１のレベルにある場合、カバレージ強化要求に対応する信号反復回数は第１の値であり、カバレージ強化要求が第１のレベルより高い第２のレベルにある場合、第２のカバレージ強化要求に対応する信号反復回数は、第１の値より大きい第２の値であり、また、カバレージ強化要求が第１のレベルより低い第３のレベルにある場合、カバレージ強化要求に対応する信号反復回数は、第１の値より小さい第３の値である。
【０１９５】
特定の実施態様プロセスでは、カバレージ強化要求が規定されたレベルにある場合、カバレージ強化要求に対応する信号反復回数は０である。
【０１９６】
特定の実施態様プロセスでは、カバレージ強化技術は、要求緩和技術、信号反復技術、パワースペクトル密度ブースティングおよびパワーブースティングを含み、カバレージ要求が規定されたレベルにある場合、通信ユニット９０２は、とりわけ、信号反復技術を除く、カバレージ強化技術における別の技術を使用することによって、カバレージ強化要求に従ってユーザ機器と通信するように構成される。
【０１９７】
さらに図９Ｂを参照すると、図９Ｂは、本発明の実施形態による基地局のハードウェア実施態様の概念線図である。図９Ｂに示されているように、基地局は、ユーザ機器のカバレージ強化要求を獲得するように構成されたプロセッサ９１、およびカバレージ強化要求に従ってユーザ機器と通信するように構成されたトランシーバ９２を含む。
【０１９８】
引き続いて図９Ｂを参照すると、バスアーキテクチャ（バス９００によって表されている）が存在している。バス９００は、任意の量の相互接続されたバスおよびブリッジを含むことができ、また、バス９００は、プロセッサ９１によって表されている１または複数のプロセッサ、およびメモリ９３によって表されているメモリを含む様々なタイプの回路を一体にリンクしており、メモリ９３は、プロセッサ９１が操作を実施する際に使用されるデータを記憶するように構成され得る。バス９００は、さらに、周辺デバイス、電圧調整器およびパワー管理回路などの様々な他のタイプの回路を一体にリンクすることができる。これらの様々な他のタイプの回路は、当分野で公に知られており、したがって本明細書においては、それ以上は説明されない。バスインタフェース９４は、様々な他の装置またはデバイスと伝送媒体上で通信するように構成されたユニットを提供するために、バス９００とトランシーバ９２の間のインタフェースを提供し、トランシーバ９２は、同じ構成要素または装置であってもよく、または受信機および送信機から連帯的に構成されることができ、それは本明細書においては制限されない。ユーザ機器は、さらに、ユーザ機器の特性に応じて、キーパッド、ディスプレイ、拡声器、マイクロホンおよびジョイスティックなどのユーザインタフェース９５を提供することができる。
【０１９９】
特定の実施態様プロセスでは、プロセッサ９１は、とりわけ、第１の瞬間に、ユーザ機器によってランダムアクセスプロセスで基地局に報告される、第１の精度を有する第１のカバレージ強化要求を受信し、また、第２の瞬間に、ユーザ機器によって報告される第１のメッセージを受信し、かつ、第１のメッセージに従って第１のカバレージ強化要求を第２のカバレージ強化要求に調整するように構成され、第２のカバレージ強化要求は第２の精度を有し、また、第２の精度は第１の精度より高い。
【０２００】
特定の実施態様プロセスでは、プロセッサ９１は、とりわけ、ユーザ機器によって報告されたメッセージに従ってユーザ機器のカバレージ強化要求を獲得するように構成される。
【０２０１】
特定の実施態様プロセスでは、プロセッサ９１は、とりわけ、第１の瞬間に、ランダムアクセスプリアンブルシーケンスを使用することによってユーザ機器によって報告される、第１の精度を有する第１のカバレージ強化要求を受信し、また、第１の瞬間の後の第２の瞬間に、第１の瞬間と第２の瞬間の間の瞬間にユーザ機器によって報告されたメッセージに従って、ユーザ機器の第２のカバレージ強化要求を獲得し、かつ、カバレージ強化要求インジケーションメッセージを生成するように構成され、カバレージ強化要求インジケーションメッセージは、第１のカバレージ強化要求を第２のカバレージ強化要求に調整するようにユーザ機器に命令するために使用され、第２のカバレージ強化要求は第２の精度を有し、また、第２の精度は第１の精度より高い。
【０２０２】
特定の実施態様プロセスでは、トランシーバ９２は、プロセッサ９１が、第１の瞬間と第２の瞬間の間の瞬間にユーザ機器によって報告されたメッセージに従ってカバレージ強化要求インジケーションメッセージを生成した後、カバレージ強化要求インジケーションメッセージをユーザ機器に配信するようにさらに構成される。
【０２０３】
特定の実施態様プロセスでは、トランシーバ９２は、とりわけ、ランダムアクセス応答メッセージを使用することによってカバレージ強化要求インジケーションメッセージをユーザ機器に配信するように構成される。
【０２０４】
特定の実施態様プロセスでは、トランシーバ９２は、とりわけ、カバレージ強化要求に対応する信号反復回数に従ってユーザ機器と通信するように構成される。
【０２０５】
特定の実施態様プロセスでは、カバレージ強化要求が第１のレベルにある場合、カバレージ強化要求に対応する信号反復回数は第１の値であり、カバレージ強化要求が第１のレベルより高い第２のレベルにある場合、第２のカバレージ強化要求に対応する信号反復回数は、第１の値より大きい第２の値であり、また、カバレージ強化要求が第１のレベルより低い第３のレベルにある場合、カバレージ強化要求に対応する信号反復回数は、第１の値より小さい第３の値である。
【０２０６】
特定の実施態様プロセスでは、カバレージ強化要求が規定されたレベルにある場合、カバレージ強化要求に対応する信号反復回数は０である。
【０２０７】
特定の実施態様プロセスでは、カバレージ強化技術は、要求緩和技術、信号反復技術、パワースペクトル密度ブースティングおよびパワーブースティングを含み、カバレージ要求が規定されたレベルにある場合、トランシーバ９２は、とりわけ、信号反復技術を除く、カバレージ強化技術における別の技術を使用することによって、カバレージ強化要求に従ってユーザ機器と通信するように構成される。
【０２０８】
この実施形態における基地局および上記部分における情報処理方法は、同じ発明着想に基づく２つの態様であり、方法の実施態様プロセスは、上記部分で詳細に説明され、したがって従来技術の技術者は、上記説明に従って、この実施形態における情報処理装置の構造および実施態様プロセスを明確に理解することができる。本明細書を簡潔にするために、詳細は、本明細書においては繰り返し説明されない。
【０２０９】
本発明の１または複数の実施形態は、以下の技術的効果を実現することができる。
【０２１０】
１．ユーザ機器がカバレージ強化要求を獲得し、かつ、カバレージ強化要求に従って基地局と通信する、という技術的解決法が使用されるため、ユーザ機器が基地局と正確に通信することを保証する場合、ユーザ機器は、獲得したカバレージ強化要求に従って基地局と正確に通信し、それは、基地局が、通信状態がより良好なユーザ機器と通信する際に、通信状態がより貧弱なユーザ機器と通信する際に追加される通信資源の同じ量を依然として追加する状況を回避し、それにより、基地局がユーザ機器と通信する際に存在する資源の浪費という従来技術の技術的な問題を解決し、かつ、資源の浪費を低減する技術的効果を実現する。
【０２１１】
２．ユーザ機器が第２のカバレージ強化要求を基地局に報告した後、基地局は、ユーザ機器のカバレージ強化要求が、その精度が第１のカバレージ強化要求の第１の精度より高い第２のカバレージ強化要求であることを決定し、かつ、第２のカバレージ強化要求に従ってユーザ機器と通信することができ、それにより資源の浪費をさらに低減する。
【０２１２】
３．ユーザ機器が次のランダムアクセスプロセスにカバレージ強化要求を使用するように、基地局との通信にユーザ機器によって使用されるカバレージ強化要求が記憶される、という技術的解決法が使用されるため、ユーザ機器は、次のランダムアクセスプロセスにおけるユーザ機器のカバレージ強化要求を速やかに、かつ、正確に獲得することができ、それにより資源の浪費をさらに低減する。
【０２１３】
４．カバレージ強化要求が第１のレベルにある場合、カバレージ強化要求に対応する信号反復回数は第１の値であり、カバレージ強化要求が第１のレベルより高い第２のレベルにある場合、第２のカバレージ強化要求に対応する信号反復回数は、第１の値より大きい第２の値であり、また、カバレージ強化要求が第１のレベルより低い第３のレベルにある場合、カバレージ強化要求に対応する信号反復回数は、第１の値より小さい第３の値である、という技術的解決法が使用されるため、異なるレベルの２つのカバレージ強化要求に対応する信号反復回数が同じになることが回避され、それによりユーザ機器と基地局の間の通信の精度を保証する。
【０２１４】
当業者には、本発明の実施形態は、方法、システムまたはコンピュータプログラム製品として提供され得ることを理解されたい。したがって本発明は、ハードウェアのみの実施形態、ソフトウェアのみの実施形態、またはソフトウェアおよびハードウェアの組合せを使用した実施形態の形態を使用することができる。さらに、本発明は、コンピュータ使用可能プログラムコードを含む１または複数のコンピュータ使用可能記憶媒体（それらに限定されないが、ディスクメモリ、ＣＤ−ＲＯＭ、光メモリ、等々を含む）上で実現されるコンピュータプログラム製品の形態を使用することができる。
【０２１５】
本発明は、本発明の実施形態による方法、デバイス（システム）およびコンピュータプログラム製品のフローチャートおよび／またはブロック図を参照して説明されている。コンピュータプログラム命令を使用して、フローチャートおよび／またはブロック図における個々のプロセスおよび／または個々のブロック、ならびにフローチャートおよび／またはブロック図におけるプロセスおよび／またはブロックの組合せが実現され得ることを理解されたい。これらのコンピュータプログラム命令は、マシンを生成するための汎用コンピュータ、専用コンピュータ、組込み型プロセッサまたは任意の他のプログラマブルデータ処理デバイスのプロセッサのために提供されることができ、それによりコンピュータまたは任意の他のプログラマブルデータ処理デバイスのプロセッサによって実行される命令は、フローチャートにおける１または複数のプロセス、および／またはブロック図における１または複数のブロックにおける特定の機能を実現するための装置を生成する。
【０２１６】
これらのコンピュータプログラム命令は、特定の方式で動作するようにコンピュータまたは任意の他のプログラマブルデータ処理デバイスに命令することができるコンピュータ可読メモリにも記憶されることができ、したがってコンピュータ可読メモリに記憶された命令は、命令装置を含むアーチファクトを生成する。命令装置は、フローチャートにおける１または複数のプロセス、および／またはブロック図における１または複数のブロックにおける特定の機能を実現する。
【０２１７】
また、これらのコンピュータプログラム命令は、コンピュータまたは別のプログラマブルデータ処理デバイス上にロードされることも可能であり、したがって一連の操作およびステップがコンピュータまたは別のプログラマブルデバイス上で実施され、それによりコンピュータ実現処理を生成する。したがってコンピュータまたは別のプログラマブルデバイス上で実行される命令は、フローチャートにおける１または複数のプロセス、および／またはブロック図における１または複数のブロックにおける特定の機能を実現するためのステップを提供する。
【０２１８】
本発明のいくつかの好ましい実施形態が説明されたが、当業者は、それらが基本的な発明概念を一度学習すれば、これらの実施形態に変更および修正を加えることができる。したがって以下の特許請求の範囲には、好ましい実施形態をカバーするものとして解釈されるべきことが意図されており、すべての変更および修正は、本発明の範囲の範疇である。
【０２１９】
当業者は、本発明の実施形態の精神および範囲を逸脱することなく、本発明の実施形態に様々な修正および変化を加えることができることは明らかである。本発明には、それらが、以下の特許請求の範囲およびそれらの等価技術によって定義される保護の範囲の範疇であることを条件として、これらの修正および変化をカバーすることが意図されている。
【外国語明細書】
2018186555000001.pdf